(57)【特許請求の範囲】
【請求項１】
プロセッサと、
コンピュータ可読命令を記憶するメモリと、を備えた装置であって、
前記コンピュータ可読命令が実行されると、前記装置は、
ユーザによって行なわれた運動活動中に記録された運動活動データを、前記装置から離れた運動活動監視システムから受信し、
前記受信した運動活動データに基づいて、前記ユーザによって行なわれた運動活動のタイプを決定し、
前記決定されたユーザによって行なわれた運動活動のタイプに基づいて、運動活動ディスクリプタオブジェクトを選択し、
前記ユーザによって行われた前記運動活動を監視するために使用された監視装置を決定し、
前記決定された監視装置に基づいて、装置ディスクリプタオブジェクトを選択し、
ソーシャルネットワーキングサイトのネットワーキングページ上に運動活動エントリを生成し、
前記運動活動エントリと前記ネットワーキングページは、少なくとも１人の他のユーザによって閲覧可能であって、
前記運動活動ディスクリプタオブジェクトは、前記運動活動中に前記ユーザによって行われた運動活動のタイプを記載しており、
前記装置ディスクリプタオブジェクトは、テキスト、オーディオ、画像および映像のうちの少なくとも一つを含んでおり、
前記運動活動エントリの生成では、
前記運動活動ディスクリプタオブジェクトを具備したメッセージを生成し、
前記メッセージ内では、前記装置ディスクリプタオブジェクトの前記テキスト、前記オーディオ、前記画像及び前記映像のうちの少なくとも一つを含める、装置。
【請求項２】
前記運動活動ディスクリプタオブジェクトは、別のテキスト、オーディオ、画像および映像のうちの少なくとも一つを含んでいる、請求項１に記載の装置。
【請求項３】
前記運動活動データは、前記ユーザによって行なわれた運動活動と関連したマップ情報及び経路情報のうちの少なくとも一方をさらに有しており、
前記運動活動エントリの生成では、前記マップ情報と前記経路情報のうちの少なくとも一方に対応するマップが前記運動活動エントリに追加される、請求項１に記載の装置。
【請求項４】
前記運動活動を行なう際の前記ユーザの経路は、前記マップ内において特定される、請求項３に記載の装置。
【請求項５】
前記マップ情報と前記経路情報のうち少なくとも一方は、少なくとも１人の他のユーザによってダウンロード可能であって、
前記マップ情報と前記経路情報のうち少なくとも一方は、前記少なくとも１人の他のユーザのトレーニング位置又は経路を特定するように構成されている、請求項３に記載の装置。
【請求項６】
前記マップは、インタラクティブにユーザをナビゲート可能に構成されている、請求項３に記載の装置。
【請求項７】
前記ソーシャルネットワーキングサイトのコンテキスト内で実行するように構成された活動追跡アプリケーションを更に備えた請求項１に記載の装置。
【請求項８】
前記運動活動ディスクリプタオブジェクトの選択では、
前記運動活動データに記録された運動活動計量値を決定し、
前記運動活動計量値がしきい値より大きいかどうかを判定し、
前記運動活動計量値が前記しきい値以上であると判定したときに第１の運動活動ディスクリプタオブジェクトを選択し、
前記運動活動計量値が前記しきい値より小さいと判定したときに第２の運動活動ディスクリプタオブジェクトを選択する請求項１に記載の装置。
【請求項９】
前記運動活動ディスクリプタオブジェクトは、複数の運動活動ディスクリプタオブジェクトから選択され、
前記運動活動ディスクリプタオブジェクトの各々は、単一タイプの運動活動に固有のものである、請求項１に記載の装置。
【請求項１０】
前記運動活動エントリの生成では、
マップ情報と経路情報のうち少なくとも一方が前記ユーザによって行なわれた前記運動活動用に利用可能かどうかを判定し、
前記マップ情報及び前記経路情報のうち少なくとも一方が利用可能でないと判定したときに、閲覧者を非位置指向の活動サマリインタフェースに導くように構成された第１のインタラクティブ要素を組み込む、請求項１に記載の装置。
【請求項１１】
前記運動活動エントリの生成では、さらに、
前記マップ情報と前記経路情報のうち少なくとも一方が利用可能であると判定したときに、前記ユーザによって行なわれた前記運動活動の位置に対応する経路のマップと画像のうち少なくとも一方に前記閲覧者を導くように構成された第２のインタラクティブ要素を組み込む、請求項１０に記載の装置。
【発明の詳細な説明】
【背景技術】
【０００１】
＜関連出願の相互参照＞
本出願は、「ＭＯＮＩＴＯＲＩＮＧ  ＦＩＴＮＥＳＳ  ＵＳＩＮＧ  Ａ  ＭＯＢＩＬＥ  ＤＥＶＩＣＥ」と題し、２０１１年１２月９日に出願された米国特許出願１３／３１５，８７５の優先権を主張する。
【０００２】
ほとんどの人々は、体の健康の重要性を理解しているが、多くは、通常の運動プログラムを維持するのに必要な動機を見つけるのに苦労している。一部の人は、ランニング、ウォーキング、サイクリングなどの連続繰り返し運動を伴う運動内容を維持することが特に難しいことが分っている。更に、多くの場合、個人は、トレーニング結果を記録し追跡するのに必要なことがある余分な労力のために、運動する気にならないことがある。例えば、個人は、自分の進捗を追跡するために、走行距離数、走行経路、平均心拍数などのトレーニング情報を、データベースに手作業で入力することが要求されることがある。別の例では、個人は、トレーニング結果を自動的に追跡するために、特別の健康専用装置を使用しなければならないことがある。場合によっては、個人が、運動しているのが屋内か屋外か、トレッドミルか、屋外経路を走っているかなどにより、異なるタイプの健康機器が必要とされることがある。
【０００３】
モチベーションは、また、個人の健康レベルが向上することよって得られることがある。しかしながら、健康レベルの向上は、トレーニング内容の強化や又は他の方法による変更を要することが多い。例えば、個人は、持久力を高めるために、より速く又はより長期間走ることを始めることがある。場合によっては、個人が、同じトレーニングを繰り返し、したがって、以前のパフォーマンスを改善するための挑戦ができないことがある。より強力なトレーニングを行なうように促されないと、個人は、結果を直ちに又は全く確認できず、それによりモチベーションを失う可能性がある。
【発明の概要】
【課題を解決するための手段】
【０００４】
１以上の態様によれば、ユーザは、全地球測位システム（ＧＰＳ）、加速度計、又はリモートシステムに依存しない他のタイプの装置（例えば、歩数計）などの多数のタイプの位置決定システムを有するモバイル装置を用いて運動活動を記録し追跡してもよい。ＧＰＳ装置と加速度計の両方を使用することにより、モバイル装置は、屋内（例えば、静止）トレーニングと屋外トレーニングの両方のトレーニングデータを記録してもよい。モバイル装置は、条件に応じて、使用するのを一方の装置から他の装置に切り換えてもよい。例えば、ＧＰＳ信号を失った場合、加速度計を活動化してバックアップとして用いてトレーニングと関連したデータを提供してもよい。ＧＰＳ信号を再取得した後で、システムは、ＧＰＳデータの記録を再開してもよい。システムは、信号可用性及び／又は強度、検出された動き、場所（屋内と屋外）、ユーザの好み（例えば、好みのトレーニングデータタイプ、好みの精度）などにより、２つのセンサを自動的に切り換え（又は、両方を用いて）もよい。
【０００５】
別の態様によれば、本明細書に記載したシステム及び方法は、トレーニングを改善するための挑戦又は提案を提供してもよい。例えば、システムは、以前の走行や他の運動活動を改善するオプションをユーザに提供してもよい。ユーザは、提案された改善走行のリストから選択してもよく、以前に記録された走行又はトレーニングに基づきカスタマイズした走行を作成してもよい。特定の例では、システムは、ペース、距離、燃焼カロリー、又は走行時間長を５％増やす改善走行を提案してもよい。別の例では、システムは、週、月、６ヶ月などの所定の期間にわたるアスリートの傾向を解析し、１週間又は１日当たりの平均進捗量を識別してもよい。次に、システムは、決定された平均進捗量を含む改善トレーニングを提案してもよい。アスリートが１以上の運動活動計量値を改善するのを支援するために、他の活動改善アルゴリズムを用いて、提案トレーニングを生成してもよい。
【０００６】
更に別の態様によれば、ユーザは、運動活動監視サービス提供者に対してデータを同期させそこからのデータを表示させもよい。ユーザは、モバイル健康監視装置にデータをダウンロードして、指定された期間にわたって履歴走行と自分の進捗を追跡してもよい。追加又は別として、一部のデータは、ユーザのモバイル装置のローカルに記憶され、リモートネットワークサイト（例えば、運動活動監視サービス提供者）からのデータで補足されてもよい。更に、モバイル装置のメモリ要件を緩和するために、モバイル装置によって記録されたデータ（例えば、ＧＰＳデータ又は加速度計データ）が、リモートネットワークサイトと同期されてもよい。更に、リモートネットワークサイトと同期することにより、ユーザが、他の場所及び装置から運動活動情報を閲覧することができる。更に、トレーニング情報が、１以上のソーシャルアウトレットによって共有されてもよい。一例を挙げると、アプリケーション又はアプレットは、運動活動監視追跡システム、サイト及び／又は装置と接続し支援し、そこから運動活動データを受け取るように構成されてもよい。アプリケーションは、ソーシャルネットワークサイト又はシステムなどのネットワークサイトのコンテキスト上又はコンテキスト内で実行してもよい。追加又は別として、ユーザは、トレーニング情報を共有するための許可及びオプションを構成してもよい。例えば、ユーザは、ソーシャルネットワーキングサイトによって共有される情報のタイプを選択してもよい。共有オプションは、更に、様々なタイプの情報が共有される条件の指定を含むことがある。
【０００７】
別の態様によれば、位置決定装置を用いて完了した走行が、経路情報と一緒に記憶されてもよい。経路情報は、トレーニング中にユーザがとった経路を含む。経路は、ユーザが走行に関する様々な情報及び統計を見ることができるようにマップに対して表示されてもよい。例えば、距離マーカ、ペースマーカ、及び高度マーカが表示されてもよい。更に、最高及び最低ペース、最高及び最低心拍数、最高及び最低高度などを識別するためのインジケータが提供されてもよい。ペース、心拍数、再生される音楽のタイプ、温度（周囲又は身体）などを含む様々なタイプの運動情報を示すために、経路の色や他の視覚要素が使用されてもよい。経路表示は、ユーザの好みによりカスタマイズ可能でもよい。更に、ユーザは、経路を、白紙の状態から又は以前に記録されたＧＰＳ経路／走行に基づいて作成してもよい。マップは、１以上の構成で共有されてもよい。例えば、ユーザの走行、歩行や他の活動のマップが、コミュニティサイト、ソーシャルネットワーク、別のユーザの装置、Ｅメールアドレス、テキスト又はマルチメディアメッセージ宛先などに送信されてもよい。マップの画像の追加又は別として、マップ情報は、ユーザが周辺領域、ユーザの経路とパフォーマンスに関する情報などを見るためにユーザが修正又はナビゲートすることがあるインタラクティブ・マップを含んでもよい。幾つかの例では、他のユーザが、自分の活動のためにマップをダウンロードし経路を用いてもよい。マップ又は経路情報は、ダウンロードされたときに運動活動監視アプリケーションが使用できるような方式でフォーマットされてもよい。更に、サーバ、コミュニティサイト又はソーシャルネットワークにアップロードされたマップ及びマップ情報を用いて、ユーザの活動データを収集してもよい。例えば、総距離、平均距離、合計時間、平均時間、平均ペース、上位Ｘ（例えば、１位、２位、５位、１０位、１５位など）のトレーニング位置などを含む全てのマップ及び経路情報が、ユーザの走行又はトレーニングの概要に集約されてもよい。追加又は別として、ユーザは、マップ内の友人、又は特定の経路の友人、若しくはより一般的にはトレーニング中の友人にタグ付けして、同じ経路を走った他のユーザ、同じ時間に走った他のユーザ、その経路に関心を持つ他のユーザ、トレーニング又は経路を知らせるべき他のユーザなど及び／又はこれらの組み合わせを識別してもよい。マップ及び経路情報の共有は、必要に応じてオンオフに切り換えられてもよい。更に別の態様によれば、改善及び目標の達成を支援するために、ユーザにコーチング（指導）が提供されてもよい。一例を挙げると、コーチングは、特定の目標を達成するか又は超えるためにユーザがとることがある特定の行動を識別する教育的解説を含むことがある。コーチングは、アスリート、映画スター、歌手、音楽家などの有名人の音声又は映像のオーバーレイを含んでもよい。コーチングは、天候や地形などの自動的に決定された位置固有のパラメータを考慮してもよく、更に同じか又は類似の位置で行なわれた他のユーザによるパフォーマンスを評価してもよい。
【０００８】
更に別の態様によれば、モバイル運動活動監視装置は、更に、走行前、走行中、及び走行後、又は運動トレーニングのユーザに対して激励のコメント、提案及び言葉を提供してもよい。例えば、ユーザが、走行中に所定の距離に達した場合、装置は、テキスト、オーディオ及び／又はビデオメッセージを生成しユーザに与えてもよい。１以上の構成では、祝福又はモチベーションメッセージとして有名人メッセージが含まれてもよい。別の例では、祝福又はモチベーションメッセージは、特定の距離の到達や指定されたペースの達成などの設定トリガに基づいて提供されてもよい。１つの構成では、ユーザは、友人からしきい値数のメッセージを受け取ったとき（例えば、ＴＷＩＴＴＥＲ（登録商標）やＦＡＣＥＢＯＯＫ（登録商標）などのソーシャルネットワーキングサイトを介して）、何らかの音、視覚的又は触覚フィードバックが提供されてもよい。
【０００９】
更に、ユーザは、種々のパラメータ及びメモをトレーニングセッションとタグ付け又は他の方法で関連付けてもよい。幾つかの例では、タグ、メモ及び／又はパラメータが、自動的に検出されてもよい。例えば、天候、地形、傾斜、高度、体温などは、ＧＰＳ受信部、心拍数モニタ、ジャイロスコープ、加速度計、温度計などの装置によって決定された情報に基づいて、トレーニングセッションのパラメータ又はタグ付けパラメータとして自動的に登録されてもよい。幾つかの例では、トレーニング中に使用される運動機器が、タグ付けされてもよい。次に、この情報が、例えば、運動機器の摩耗を監視し、新しい補助及び／又は交換機器を推奨し、よりよい結果を提供する機器を決定するために使用されもよい。
【００１０】
更に別の態様によれば、ユーザを自動的に識別し他の挑戦者とマッチングする方法及びシステムが提供されてもよい。例えば、このシステムは、走行を開始させ、その走行に対して１人以上の他のユーザを挑戦させるリクエストを最初のユーザから受け取ることがある。システムは、ユーザが、挑戦する特定のユーザを選択して招待し、別又は追加としてそのような他のユーザを自動的に識別することを可能にしてもよい。一例を挙げると、最初のユーザの属性が決定され、他のユーザの属性と比較されてもよい。システムは、現在オンラインになっている挑戦を識別するだけでもよい。次に、識別されたユーザが、挑戦に参加するように招待されることがある。ユーザが、当該挑戦を受け入れる場合、参加者は挑戦に参戦して、その終わりで勝者が宣言されてもよい。勝者には、報酬、賞賛及び他の報賞が提供されてもよい。追加又は別として、システムは、自動的に２人の参加者間の更に他の挑戦のスケジュールを提案して、改善及び運動活動を促進してもよい。
【００１１】
本開示の以上その他の特徴は、以下の詳細な説明から明らかになる。
【図面の簡単な説明】
【００１２】
【図１】本発明の様々な例を実現するために使用されることがある計算装置を示す図である。
【図２】本発明の様々な例により使用される運動情報監視装置の例を示す図である。
【図３】本発明の様々な例により使用される運動情報監視装置の例を示す図である。
【図４】本発明の様々な例による運動パラメータ測定装置が使用される一の環境を示す図である。
【図５】本発明の様々な実施態様に係る、運動データを収集しかつ／又は表示するために使用される運動情報収集表示装置の例を示す図である。
【図６】本発明の様々な例により使用される運動データ表示構成装置の例を示す図である。
【図７】本明細書に記載された１以上の態様による、例示的なモバイル運動活動監視装置を示す図である。
【図８】本明細書に記載された１以上の態様による、トレーニングを定義する例示的な方法を示す図である。
【図９】本明細書に記載された１以上の態様による、トレーニングを定義する例示的な方法を示す図である。
【図１０Ａ】本明細書に記載された１以上の態様による、個人が最初の走行を始めたときに生成・表示されるユーザインタフェースを示す図である。
【図１０Ｂ】本明細書に記載された１以上の態様による、個人が最初の走行を始めたときに生成・表示されるユーザインタフェースを示す図である。
【図１０Ｃ】本明細書に記載された１以上の態様による、個人が最初の走行を始めたときに生成・表示されるユーザインタフェースを示す図である。
【図１０Ｄ】本明細書に記載された１以上の態様による、個人が最初の走行を始めたときに生成・表示されるユーザインタフェースを示す図である。
【図１０Ｅ】本明細書に記載された１以上の態様による、個人が最初の走行を始めたときに生成・表示されるユーザインタフェースを示す図である。
【図１０Ｆ】本明細書に記載された１以上の態様による、個人が最初の走行を始めたときに生成・表示されるユーザインタフェースを示す図である。
【図１０Ｇ】本明細書に記載された１以上の態様による、個人が最初の走行を始めたときに生成・表示されるユーザインタフェースを示す図である。
【図１１Ａ】本明細書に記載された１以上の態様による、ユーザが最初の走行を完了し記録した後に生成・表示されるインタフェースを示す図である。
【図１１Ｂ】本明細書に記載された１以上の態様による、ユーザが最初の走行を完了し記録した後に生成・表示されるインタフェースを示す図である。
【図１１Ｃ】本明細書に記載された１以上の態様による、ユーザが最初の走行を完了し記録した後に生成・表示されるインタフェースを示す図である。
【図１１Ｄ】本明細書に記載された１以上の態様による、ユーザが最初の走行を完了し記録した後に生成・表示されるインタフェースを示す図である。
【図１１Ｅ】本明細書に記載された１以上の態様による、ユーザが最初の走行を完了し記録した後に生成・表示されるインタフェースを示す図である。
【図１２Ａ】本明細書に記載された１以上の態様により生成・表示される別の例示的なホーム画面インタフェースを示す図である。
【図１２Ｂ】本明細書に記載された１以上の態様により生成・表示される別の例示的なホーム画面インタフェースを示す図である。
【図１３Ａ】本明細書に記載された１以上の態様による、ユーザに以前の走行履歴がないときに表示する例示的な走行タイプ選択インタフェースを示す図である。
【図１３Ｂ】本明細書に記載された１以上の態様による、ユーザが記録された走行履歴を有するときに表示されることがある例示的な走行タイプ選択インタフェースを示す図である。
【図１４Ａ】本明細書に記載された１以上の態様による、走行時間を定義するための例示的ユーザインタフェースを示す図である。
【図１４Ｂ】本明細書に記載された１以上の態様による、走行時間を定義するための例示的ユーザインタフェースを示す図である。
【図１４Ｃ】本明細書に記載された１以上の態様による、走行時間を定義するための例示的ユーザインタフェースを示す図である。
【図１４Ｄ】本明細書に記載された１以上の態様による、走行時間を定義するための例示的ユーザインタフェースを示す図である。
【図１４Ｅ】本明細書に記載された１以上の態様による、走行時間を定義するための例示的ユーザインタフェースを示す図である。
【図１４Ｆ】本明細書に記載された１以上の態様による、走行時間を定義するための例示的ユーザインタフェースを示す図である。
【図１４Ｇ】本明細書に記載された１以上の態様による、走行時間を定義するための例示的ユーザインタフェースを示す図である。
【図１５Ａ】本明細書に記載された１以上の態様による、ユーザが走行距離タイプを選択するときに表示される例示的ユーザインタフェースを示す図である。
【図１５Ｂ】本明細書に記載された１以上の態様による、ユーザが走行距離タイプを選択するときに表示される例示的ユーザインタフェースを示す図である。
【図１５Ｃ】本明細書に記載された１以上の態様による、ユーザが走行距離タイプを選択するときに表示される例示的ユーザインタフェースを示す図である。
【図１５Ｄ】本明細書に記載された１以上の態様による、ユーザが走行距離タイプを選択するときに表示される例示的ユーザインタフェースを示す図である。
【図１５Ｅ】本明細書に記載された１以上の態様による、ユーザが走行距離タイプを選択するときに表示される例示的ユーザインタフェースを示す図である。
【図１５Ｆ】本明細書に記載された１以上の態様による、ユーザが走行距離タイプを選択するときに表示される例示的ユーザインタフェースを示す図である。
【図１５Ｇ】本明細書に記載された１以上の態様による、ユーザが走行距離タイプを選択するときに表示される例示的ユーザインタフェースを示す図である。
【図１６Ａ】本明細書に記載された１以上の態様による、ユーザが改善走行タイプを選択するときに生成され表示される例示的ユーザインタフェースを示す図である。
【図１６Ｂ】本明細書に記載された１以上の態様による、ユーザが改善走行タイプを選択するときに生成され表示される一連の例示的ユーザインタフェースを示す図である。
【図１６Ｃ】本明細書に記載された１以上の態様による、ユーザが改善走行タイプを選択するときに生成され表示される一連の例示的ユーザインタフェースを示す図である。
【図１６Ｄ】本明細書に記載された１以上の態様による、ユーザが改善走行タイプを選択するときに生成され表示される一連の例示的ユーザインタフェースを示す図である。
【図１６Ｅ】本明細書に記載された１以上の態様による、ユーザが改善走行タイプを選択するときに生成され表示される一連の例示的ユーザインタフェースを示す図である。
【図１６Ｆ】本明細書に記載された１以上の態様による、ユーザが改善走行タイプを選択するときに生成され表示される一連の例示的ユーザインタフェースを示す図である。
【図１７】本明細書に記載された１以上の態様による、ユーザが音楽定義オプションを選択する例示的なインタフェースを示す図である。
【図１８Ａ】本明細書に記載された１以上の態様による、オーディオコンテンツ定義オプションを選択するときに生成・表示される例示的オーディオコンテンツ選択インタフェースを示す図である。
【図１８Ｂ】本明細書に記載された１以上の態様による、オーディオコンテンツ定義オプションを選択するときに生成・表示される例示的オーディオコンテンツ選択インタフェースを示す図である。
【図１８Ｃ】本明細書に記載された１以上の態様による、オーディオコンテンツ定義オプションを選択するときに生成・表示される例示的オーディオコンテンツ選択インタフェースを示す図である。
【図１８Ｄ】本明細書に記載された１以上の態様による、オーディオコンテンツ定義オプションを選択するときに生成・表示される例示的オーディオコンテンツ選択インタフェースを示す図である。
【図１８Ｅ】本明細書に記載された１以上の態様による、オーディオコンテンツ定義オプションを選択するときに生成・表示される例示的オーディオコンテンツ選択インタフェースを示す図である。
【図１９Ａ】本明細書に記載された１以上の態様による、例示的な位置定義インタフェースを示す図である。
【図１９Ｂ】本明細書に記載された１以上の態様による、例示的な位置定義インタフェースを示す図である。
【図１９Ｃ】本明細書に記載された１以上の態様による、例示的な位置定義インタフェースを示す図である。
【図２０Ａ】本明細書に記載された１以上の態様による、走行を設定するために表示される追加の例示的なインタフェースを示す図である。
【図２０Ｂ】本明細書に記載された１以上の態様による、走行を設定するために表示される追加の例示的なインタフェースを示す図である。
【図２０Ｃ】本明細書に記載された１以上の態様による、走行を設定するために表示される追加の例示的なインタフェースを示す図である。
【図２０Ｄ】本明細書に記載された１以上の態様による、走行を設定するために表示される追加の例示的なインタフェースを示す図である。
【図２０Ｅ】本明細書に記載された１以上の態様による、走行を設定するために表示される追加の例示的なインタフェースを示す図である。
【図２０Ｆ】本明細書に記載された１以上の態様による、走行を設定するために表示される追加の例示的なインタフェースを示す図である。
【図２０Ｇ】本明細書に記載された１以上の態様による、走行を設定するために表示される追加の例示的なインタフェースを示す図である。
【図２０Ｈ】本明細書に記載された１以上の態様による、走行を設定するために表示される追加の例示的なインタフェースを示す図である。
【図２０Ｉ】本明細書に記載された１以上の態様による、走行を設定するために表示される追加の例示的なインタフェースを示す図である。
【図２０Ｊ】本明細書に記載された１以上の態様による、走行を設定するために表示される追加の例示的なインタフェースを示す図である。
【図２０Ｋ】本明細書に記載された１以上の態様による、走行を設定するために表示される追加の例示的なインタフェースを示す図である。
【図２０Ｌ】本明細書に記載された１以上の態様による、走行を設定するために表示される追加の例示的なインタフェースを示す図である。
【図２０Ｍ】本明細書に記載された１以上の態様による、走行を設定するために表示される追加の例示的なインタフェースを示す図である。
【図２０Ｎ】本明細書に記載された１以上の態様による、走行を設定するために表示される追加の例示的なインタフェースを示す図である。
【図２０Ｏ】本明細書に記載された１以上の態様による、走行を設定するために表示される追加の例示的なインタフェースを示す図である。
【図２０Ｐ】本明細書に記載された１以上の態様による、走行を設定するために表示される追加の例示的なインタフェースを示す図である。
【図２０Ｑ】本明細書に記載された１以上の態様による、走行を設定するために表示される追加の例示的なインタフェースを示す図である。
【図２０Ｒ】本明細書に記載された１以上の態様による、走行を設定するために表示される追加の例示的なインタフェースを示す図である。
【図２０Ｓ】本明細書に記載された１以上の態様による、走行を設定するために表示される追加の例示的なインタフェースを示す図である。
【図２０Ｔ】本明細書に記載された１以上の態様による、走行を設定するために表示される追加の例示的なインタフェースを示す図である。
【図２０Ｕ】本明細書に記載された１以上の態様による、走行を設定するために表示される追加の例示的なインタフェースを示す図である。
【図２０Ｖ】本明細書に記載された１以上の態様による、走行を設定するために表示される追加の例示的なインタフェースを示す図である。
【図２０Ｗ】本明細書に記載された１以上の態様による、走行を設定するために表示される追加の例示的なインタフェースを示す図である。
【図２０Ｘ】本明細書に記載された１以上の態様による、走行を設定するために表示される追加の例示的なインタフェースを示す図である。
【図２０Ｙ】本明細書に記載された１以上の態様による、走行を設定するために表示される追加の例示的なインタフェースを示す図である。
【図２０Ｚ】本明細書に記載された１以上の態様による、走行を設定するために表示される追加の例示的なインタフェースを示す図である。
【図２１Ａ】本明細書に記載された１以上の態様による、走行を設定するために表示される追加の例示的なインタフェースを示す図である。
【図２１Ｂ】本明細書に記載された１以上の態様による、走行を設定するために表示される追加の例示的なインタフェースを示す図である。
【図２１Ｃ】本明細書に記載された１以上の態様による、走行を設定するために表示される追加の例示的なインタフェースを示す図である。
【図２１Ｄ】本明細書に記載された１以上の態様による、走行を設定するために表示される追加の例示的なインタフェースを示す図である。
【図２２Ａ】本明細書に記載された１以上の態様による、ユーザのトレーニング中にユーザに表示される様々な例示的なインタフェースを示す図である。
【図２２Ｂ】本明細書に記載された１以上の態様による、ユーザのトレーニング中にユーザに表示される様々な例示的なインタフェースを示す図である。
【図２２Ｃ】本明細書に記載された１以上の態様による、ユーザのトレーニング中にユーザに表示される様々な例示的なインタフェースを示す図である。
【図２２Ｄ】本明細書に記載された１以上の態様による、ユーザのトレーニング中にユーザに表示される様々な例示的なインタフェースを示す図である。
【図２３Ａ】本明細書に記載された１以上の態様による、パワーソングオプションのないトレーニング情報を表示する例示的な走行中インタフェースを示す図である。
【図２３Ｂ】本明細書に記載された１以上の態様による、パワーソングオプションのないトレーニング情報を表示する例示的な走行中インタフェースを示す図である。
【図２４Ａ】本明細書に記載された１以上の態様による、ユーザがインタフェースをロックしたとき（例えば、入力防止のため）又はユーザ入力が検出されない期間の満了時に表示される例示的なロックインタフェースを示す図である。
【図２４Ｂ】本明細書に記載された１以上の態様による、ユーザがインタフェースをロックしたとき（例えば、入力防止のため）又はユーザ入力が検出されない期間の満了時に表示される例示的なロックインタフェースを示す図である。
【図２４Ｃ】本明細書に記載された１以上の態様による、ユーザがインタフェースをロックしたとき（例えば、入力防止のため）又はユーザ入力が検出されない期間の満了時に表示される例示的なロックインタフェースを示す図である。
【図２４Ｄ】本明細書に記載された１以上の態様による、ユーザがインタフェースをロックしたとき（例えば、入力防止のため）又はユーザ入力が検出されない期間の満了時に表示される例示的なロックインタフェースを示す図である。
【図２４Ｅ】本明細書に記載された１以上の態様による、ユーザがインタフェースをロックしたとき（例えば、入力防止のため）又はユーザ入力が検出されない期間の満了時に表示される例示的なロックインタフェースを示す図である。
【図２４Ｆ】本明細書に記載された１以上の態様による、ユーザがインタフェースをロックしたとき（例えば、入力防止のため）又はユーザ入力が検出されない期間の満了時に表示される例示的なロックインタフェースを示す図である。
【図２５Ａ】本明細書に記載された１以上の態様による、ＧＰＳの可用性及び状態を伝えるために使用される様々な例示的なユーザインタフェースを示す図である。
【図２５Ｂ】本明細書に記載された１以上の態様による、ＧＰＳの可用性及び状態を伝えるために使用される様々な例示的なユーザインタフェースを示す図である。
【図２５Ｃ】本明細書に記載された１以上の態様による、ＧＰＳの可用性及び状態を伝えるために使用される様々な例示的なユーザインタフェースを示す図である。
【図２５Ｄ】本明細書に記載された１以上の態様による、ＧＰＳの可用性及び状態を伝えるために使用される様々な例示的なユーザインタフェースを示す図である。
【図２５Ｅ】本明細書に記載された１以上の態様による、ＧＰＳの可用性及び状態を伝えるために使用される様々な例示的なユーザインタフェースを示す図である。
【図２５Ｆ】本明細書に記載された１以上の態様による、ＧＰＳの可用性及び状態を伝えるために使用される様々な例示的なユーザインタフェースを示す図である。
【図２６Ａ】本明細書に記載された１以上の態様による、ユーザに提供される例示的な警告を示す図である。
【図２６Ｂ】本明細書に記載された１以上の態様による、ユーザに提供される例示的な警告を示す図である。
【図２７Ａ】本明細書に記載された１以上の態様による、ユーザが走行している間に表示される追加又は別のユーザインタフェースを示す図である。
【図２７Ｂ】本明細書に記載された１以上の態様による、ユーザが走行している間に表示される追加又は別のユーザインタフェースを示す図である。
【図２７Ｃ】本明細書に記載された１以上の態様による、ユーザが走行している間に表示される追加又は別のユーザインタフェースを示す図である。
【図２７Ｄ】本明細書に記載された１以上の態様による、ユーザが走行している間に表示される追加又は別のユーザインタフェースを示す図である。
【図２７Ｅ】本明細書に記載された１以上の態様による、ユーザが走行している間に表示される追加又は別のユーザインタフェースを示す図である。
【図２７Ｆ】本明細書に記載された１以上の態様による、ユーザが走行している間に表示される追加又は別のユーザインタフェースを示す図である。
【図２７Ｇ】本明細書に記載された１以上の態様による、ユーザが走行している間に表示される追加又は別のユーザインタフェースを示す図である。
【図２７Ｈ】本明細書に記載された１以上の態様による、ユーザが走行している間に表示される追加又は別のユーザインタフェースを示す図である。
【図２８Ａ】本明細書に記載された１以上の態様による、本質的に文字であり対応するオーディオメッセージを伴う追加の例示的な警告を示す図である。
【図２８Ｂ】本明細書に記載された１以上の態様による、本質的に文字であり対応するオーディオメッセージを伴う追加の例示的な警告を示す図である。
【図２９】本明細書に記載された１以上の態様による、屋内走行の例示的なトレーニングサマリを示す図である。
【図３０Ａ】本明細書に記載された１以上の態様による、ユーザが走行距離を修正する一連の例示的なユーザインタフェースを示す図である。
【図３０Ｂ】本明細書に記載された１以上の態様による、ユーザが走行距離を修正する一連の例示的なユーザインタフェースを示す図である。
【図３０Ｃ】本明細書に記載された１以上の態様による、ユーザが走行距離を修正する一連の例示的なユーザインタフェースを示す図である。
【図３１Ａ】本明細書に記載された１以上の態様による、ユーザが加速度計又は非ＧＰＳ走行を修正する例示的な更なるインタフェースを更に示す図である。
【図３１Ｂ】本明細書に記載された１以上の態様による、ユーザが加速度計又は非ＧＰＳ走行を修正する例示的な更なるインタフェースを更に示す図である。
【図３１Ｃ】本明細書に記載された１以上の態様による、ユーザが加速度計又は非ＧＰＳ走行を修正する例示的な更なるインタフェースを更に示す図である。
【図３２Ａ】本明細書に記載された１以上の態様による、ユーザが様々なタイプの情報に基づいて走行をタグ付けする例示的なユーザインタフェースを示す図である。
【図３２Ｂ】本明細書に記載された１以上の態様による、ユーザが様々なタイプの情報に基づいて走行をタグ付けする例示的なユーザインタフェースを示す図である。
【図３２Ｃ】本明細書に記載された１以上の態様による、ユーザが様々なタイプの情報に基づいて走行をタグ付けする例示的なユーザインタフェースを示す図である。
【図３２Ｄ】本明細書に記載された１以上の態様による、ユーザが様々なタイプの情報に基づいて走行をタグ付けする例示的なユーザインタフェースを示す図である。
【図３３Ａ】本明細書に記載された１以上の態様による、屋外走行の例示的なトレーニングサマリを示す図である。
【図３３Ｂ】本明細書に記載された１以上の態様による、屋外走行の例示的なトレーニングサマリを示す図である。
【図３３Ｃ】本明細書に記載された１以上の態様による、屋外走行の例示的なトレーニングサマリを示す図である。
【図３４】本明細書に記載された１以上の態様による、例示的な経路情報インタフェースを示す図である。
【図３５Ａ】本明細書に記載された１以上の態様による、マップが表示される例示的な経路サマリインタフェースを示す図である。
【図３５Ｂ】本明細書に記載された１以上の態様による、マップが表示される例示的な経路サマリインタフェースを示す図である。
【図３５Ｃ】本明細書に記載された１以上の態様による、マップが表示される例示的な経路サマリインタフェースを示す図である。
【図３６】本明細書に記載された１以上の態様による、例示的な経路命名インタフェースを示す図である。
【図３７Ａ】本明細書に記載された１以上の態様による、新たな距離記録を設定するためのマイル数メダルを表示する例示的なサマリインタフェースを示す図である。
【図３７Ｂ】本明細書に記載された１以上の態様による、新たな距離記録を設定するためのマイル数メダルを表示する例示的なサマリインタフェースを示す図である。
【図３７Ｃ】本明細書に記載された１以上の態様による、新たな距離記録を設定するためのマイル数メダルを表示する例示的なサマリインタフェースを示す図である。
【図３８Ａ】本明細書に記載された１以上の態様による、ユーザに表示される例示的な警告及びリマインダメッセージを更に示す図である。
【図３８Ｂ】本明細書に記載された１以上の態様による、ユーザに表示される例示的な警告及びリマインダメッセージを更に示す図である。
【図３９Ａ】本明細書に記載された１以上の態様による、登録オプションを含む例示的なトレーニングサマリインタフェースを示す図である。
【図３９Ｂ】本明細書に記載された１以上の態様による、登録オプションを含む例示的なトレーニングサマリインタフェースを示す図である。
【図４０Ａ】本明細書に記載された１以上の態様による、サービス提供者とデータが同期可能な例示的なインタフェースを示す図である。
【図４０Ｂ】本明細書に記載された１以上の態様による、サービス提供者とデータが同期可能な例示的なインタフェースを示す図である。
【図４０Ｃ】本明細書に記載された１以上の態様による、サービス提供者とデータが同期可能な例示的なインタフェースを示す図である。
【図４１Ａ】本明細書に記載された１以上の態様による、同期が行われる例示的なトレーニングサマリインタフェースを示す図である。
【図４１Ｂ】本明細書に記載された１以上の態様による、同期が行われる例示的なトレーニングサマリインタフェースを示す図である。
【図４１Ｃ】本明細書に記載された１以上の態様による、同期が行われる例示的なトレーニングサマリインタフェースを示す図である。
【図４２Ａ】本明細書に記載された１以上の態様による、ユーザがサービス提供者アカウントにログインするか作成することによって運動活動データを同期させる例示的なインタフェースを示す図である。
【図４２Ｂ】本明細書に記載された１以上の態様による、ユーザがサービス提供者アカウントにログインするか作成することによって運動活動データを同期させる例示的なインタフェースを示す図である。
【図４２Ｃ】本明細書に記載された１以上の態様による、ユーザがサービス提供者アカウントにログインするか作成することによって運動活動データを同期させる例示的なインタフェースを示す図である。
【図４３】本明細書に記載された１以上の態様による、トレーニングがタイムアウトしたことを示すメッセージを有する例示的なインタフェースを示す図である。
【図４４Ａ】本明細書に記載された１以上の態様による、同期プロセスが行なわれる例示的なインタフェースを示す図である。
【図４４Ｂ】本明細書に記載された１以上の態様による、同期プロセスが行なわれる例示的なインタフェースを示す図である。
【図４４Ｃ】本明細書に記載された１以上の態様による、同期プロセスが行なわれる例示的なインタフェースを示す図である。
【図４５Ａ】本明細書に記載された１以上の態様による、ユーザがトレーニング履歴からエントリを削除するインタフェースを示す図である。
【図４５Ｂ】本明細書に記載された１以上の態様による、ユーザがトレーニング履歴からエントリを削除するインタフェースを示す図である。
【図４６Ａ】本明細書に記載された１以上の態様による、履歴情報をユーザに伝えるために表示される追加の例示的なインタフェースを示す図である。
【図４６Ｂ】本明細書に記載された１以上の態様による、履歴情報をユーザに伝えるために表示される追加の例示的なインタフェースを示す図である。
【図４６Ｃ】本明細書に記載された１以上の態様による、履歴情報をユーザに伝えるために表示される追加の例示的なインタフェースを示す図である。
【図４７Ａ】本明細書に記載された１以上の態様による、運動活動監視装置及びアプリケーションを構成するための種々の設定インタフェースの例示的な部分を示す図である。
【図４７Ｂ】本明細書に記載された１以上の態様による、運動活動監視装置及びアプリケーションを構成するための種々の設定インタフェースの例示的な部分を示す図である。
【図４８Ａ】本明細書に記載された１以上の態様による、利用可能な特徴と機能を示す詳細情報を提供する例示的なツアーインタフェースを示す図である。
【図４８Ｂ】本明細書に記載された１以上の態様による、利用可能な特徴と機能を示す詳細情報を提供する例示的なツアーインタフェースを示す図である。
【図４８Ｃ】本明細書に記載された１以上の態様による、利用可能な特徴と機能を示す詳細情報を提供する例示的なツアーインタフェースを示す図である。
【図４８Ｄ】本明細書に記載された１以上の態様による、利用可能な特徴と機能を示す詳細情報を提供する例示的なツアーインタフェースを示す図である。
【図４８Ｅ】本明細書に記載された１以上の態様による、利用可能な特徴と機能を示す詳細情報を提供する例示的なツアーインタフェースを示す図である。
【図４８Ｆ】本明細書に記載された１以上の態様による、利用可能な特徴と機能を示す詳細情報を提供する例示的なツアーインタフェースを示す図である。
【図４９Ａ】本明細書に記載された１以上の態様による、ユーザがサービス提供者に登録することができる例示的なインタフェースを示す図である。
【図４９Ｂ】本明細書に記載された１以上の態様による、ユーザがサービス提供者に登録することができる例示的なインタフェースを示す図である。
【図４９Ｃ】本明細書に記載された１以上の態様による、ユーザがサービス提供者に登録することができる例示的なインタフェースを示す図である。
【図４９Ｄ】本明細書に記載された１以上の態様による、ユーザがサービス提供者に登録することができる例示的なインタフェースを示す図である。
【図４９Ｅ】本明細書に記載された１以上の態様による、ユーザがサービス提供者に登録することができる例示的なインタフェースを示す図である。
【図５０Ａ】本明細書に記載された１以上の態様による、ユーザが、パワーソングオプションを選択し、次にソングリストから歌を選択することができる一連の例示的なインタフェースを示す図である。
【図５０Ｂ】本明細書に記載された１以上の態様による、ユーザが、パワーソングオプションを選択し、次にソングリストから歌を選択することができる一連の例示的なインタフェースを示す図である。
【図５１Ａ】本明細書に記載された１以上の態様によりそれぞれ、ユーザが距離計量値、フィードバック頻度及びロック画面方向を設定可能な例示的なインタフェースを示す図である。
【図５１Ｂ】本明細書に記載された１以上の態様によりそれぞれ、ユーザが距離計量値、フィードバック頻度及びロック画面方向を設定可能な例示的なインタフェースを示す図である。
【図５１Ｃ】本明細書に記載された１以上の態様によりそれぞれ、ユーザが距離計量値、フィードバック頻度及びロック画面方向を設定可能な例示的なインタフェースを示す図である。
【図５２Ａ】運動活動統計をより正確に監視・追跡可能にする様々なユーザ属性及び好みを定義するための例示的な修正インタフェースを示す図である。
【図５２Ｂ】運動活動統計をより正確に監視・追跡可能にする様々なユーザ属性及び好みを定義するための例示的な修正インタフェースを示す図である。
【図５２Ｃ】運動活動統計をより正確に監視・追跡可能にする様々なユーザ属性及び好みを定義するための例示的な修正インタフェースを示す図である。
【図５２Ｄ】運動活動統計をより正確に監視・追跡可能にする様々なユーザ属性及び好みを定義するための例示的な修正インタフェースを示す図である。
【図５２Ｅ】運動活動統計をより正確に監視・追跡可能にする様々なユーザ属性及び好みを定義するための例示的な修正インタフェースを示す図である。
【図５２Ｆ】運動活動統計をより正確に監視・追跡可能にする様々なユーザ属性及び好みを定義するための例示的な修正インタフェースを示す図である。
【図５２Ｇ】運動活動統計をより正確に監視・追跡可能にする様々なユーザ属性及び好みを定義するための例示的な修正インタフェースを示す図である。
【図５２Ｈ】運動活動統計をより正確に監視・追跡可能にする様々なユーザ属性及び好みを定義するための例示的な修正インタフェースを示す図である。
【図５３Ａ】本明細書に記載された１以上の態様による、モバイル健康監視装置によって生成・表示される別又は追加の設定インタフェースを示す図である。
【図５３Ｂ】本明細書に記載された１以上の態様による、モバイル健康監視装置によって生成・表示される別又は追加の設定インタフェースを示す図である。
【図５３Ｃ】本明細書に記載された１以上の態様による、モバイル健康監視装置によって生成・表示される別又は追加の設定インタフェースを示す図である。
【図５３Ｄ】本明細書に記載された１以上の態様による、モバイル健康監視装置によって生成・表示される別又は追加の設定インタフェースを示す図である。
【図５３Ｅ】本明細書に記載された１以上の態様による、モバイル健康監視装置によって生成・表示される別又は追加の設定インタフェースを示す図である。
【図５３Ｆ】本明細書に記載された１以上の態様による、モバイル健康監視装置によって生成・表示される別又は追加の設定インタフェースを示す図である。
【図５３Ｇ】本明細書に記載された１以上の態様による、モバイル健康監視装置によって生成・表示される別又は追加の設定インタフェースを示す図である。
【図５３Ｈ】本明細書に記載された１以上の態様による、モバイル健康監視装置によって生成・表示される別又は追加の設定インタフェースを示す図である。
【図５３Ｉ】本明細書に記載された１以上の態様による、モバイル健康監視装置によって生成・表示される別又は追加の設定インタフェースを示す図である。
【図５３Ｊ】本明細書に記載された１以上の態様による、モバイル健康監視装置によって生成・表示される別又は追加の設定インタフェースを示す図である。
【図５３Ｋ】本明細書に記載された１以上の態様による、モバイル健康監視装置によって生成・表示される別又は追加の設定インタフェースを示す図である。
【図５３Ｌ】本明細書に記載された１以上の態様による、モバイル健康監視装置によって生成・表示される別又は追加の設定インタフェースを示す図である。
【図５３Ｍ】本明細書に記載された１以上の態様による、モバイル健康監視装置によって生成・表示される別又は追加の設定インタフェースを示す図である。
【図５３Ｎ】本明細書に記載された１以上の態様による、モバイル健康監視装置によって生成・表示される別又は追加の設定インタフェースを示す図である。
【図５３Ｏ】本明細書に記載された１以上の態様による、モバイル健康監視装置によって生成・表示される別又は追加の設定インタフェースを示す図である。
【図５３Ｐ】本明細書に記載された１以上の態様による、モバイル健康監視装置によって生成・表示される別又は追加の設定インタフェースを示す図である。
【図５３Ｑ】本明細書に記載された１以上の態様による、モバイル健康監視装置によって生成・表示される別又は追加の設定インタフェースを示す図である。
【図５３Ｒ】本明細書に記載された１以上の態様による、モバイル健康監視装置によって生成・表示される別又は追加の設定インタフェースを示す図である。
【図５３Ｓ】本明細書に記載された１以上の態様による、モバイル健康監視装置によって生成・表示される別又は追加の設定インタフェースを示す図である。
【図５３Ｔ】本明細書に記載された１以上の態様による、モバイル健康監視装置によって生成・表示される別又は追加の設定インタフェースを示す図である。
【図５３Ｕ】本明細書に記載された１以上の態様による、モバイル健康監視装置によって生成・表示される別又は追加の設定インタフェースを示す図である。
【図５３Ｖ】本明細書に記載された１以上の態様による、モバイル健康監視装置によって生成・表示される別又は追加の設定インタフェースを示す図である。
【図５４Ａ】本明細書に記載された１以上の態様による、ユーザがソーシャルネットワーキングサイト及びニュースフィード上でトレーニング情報を共有する例示的なインタフェースを示す図である。
【図５４Ｂ】本明細書に記載された１以上の態様による、ユーザがソーシャルネットワーキングサイト及びニュースフィード上でトレーニング情報を共有する例示的なインタフェースを示す図である。
【図５４Ｃ】本明細書に記載された１以上の態様による、ユーザがソーシャルネットワーキングサイト及びニュースフィード上でトレーニング情報を共有する例示的なインタフェースを示す図である。
【図５５Ａ】本明細書に記載された１以上の態様による、トレーニング／走行情報を共有するための他の例示的なインタフェースを示す図である。
【図５５Ｂ】本明細書に記載された１以上の態様による、トレーニング／走行情報を共有するための他の例示的なインタフェースを示す図である。
【図５６】本明細書に記載された１以上の態様による、トレーニング情報が投稿され伝えられる例示的なソーシャルネットワーキングサイト・インタフェースを示す図である。
【図５７】本明細書に記載された１以上の態様による、友人や他のユーザが激励メッセージを入力可能な例示的なメッセージ入力インタフェースを示す図である。
【図５８】図５７のインタフェースによって送信されたメッセージを表示する例示的なモバイル装置インタフェースを示す図である。
【図５９】本明細書に記載された１以上の態様による運動活動監視サービスのログインインタフェースを示す図である。
【図６０Ａ】本明細書に記載された１以上の態様による、リモート健康監視サイトから少なくとも部分的に受け取ることがあるトレーニング情報をナビゲートし表示するために使用される例示的なインタフェースを示す図である。
【図６０Ｂ】本明細書に記載された１以上の態様による、リモート健康監視サイトから少なくとも部分的に受け取ることがあるトレーニング情報をナビゲートし表示するために使用される例示的なインタフェースを示す図である。
【図６０Ｃ】本明細書に記載された１以上の態様による、リモート健康監視サイトから少なくとも部分的に受け取ることがあるトレーニング情報をナビゲートし表示するために使用される例示的なインタフェースを示す図である。
【図６０Ｄ】本明細書に記載された１以上の態様による、リモート健康監視サイトから少なくとも部分的に受け取ることがあるトレーニング情報をナビゲートし表示するために使用される例示的なインタフェースを示す図である。
【図６０Ｅ】本明細書に記載された１以上の態様による、リモート健康監視サイトから少なくとも部分的に受け取ることがあるトレーニング情報をナビゲートし表示するために使用される例示的なインタフェースを示す図である。
【図６０Ｆ】本明細書に記載された１以上の態様による、リモート健康監視サイトから少なくとも部分的に受け取ることがあるトレーニング情報をナビゲートし表示するために使用される例示的なインタフェースを示す図である。
【図６１Ａ】本明細書に記載された１以上の態様による例示的な目標定義インタフェースを示す図である。
【図６１Ｂ】本明細書に記載された１以上の態様による例示的な目標定義インタフェースを示す図である。
【図６１Ｃ】本明細書に記載された１以上の態様による例示的な目標定義インタフェースを示す図である。
【図６２Ａ】本明細書に記載された１以上の態様による、トレーニング及び目標リマインダを提供する例示的なインタフェースを示す図である。
【図６２Ｂ】本明細書に記載された１以上の態様による、トレーニング及び目標リマインダを提供する例示的なインタフェースを示す図である。
【図６３Ａ】本明細書に記載された１以上の態様による、１以上の祝福又はモチベーションメッセージがリストに表示される例示的な祝福インタフェースを示す図である。
【図６３Ｂ】本明細書に記載された１以上の態様による、１以上の祝福又はモチベーションメッセージがリストに表示される例示的な祝福インタフェースを示す図である。
【図６３Ｃ】本明細書に記載された１以上の態様による、１以上の祝福又はモチベーションメッセージがリストに表示される例示的な祝福インタフェースを示す図である。
【図６４Ａ】本明細書に記載された１以上の態様による、有名人メッセージを含む例示的な祝福インタフェースを示す図である。
【図６４Ｂ】本明細書に記載された１以上の態様による、有名人メッセージを含む例示的な祝福インタフェースを示す図である。
【図６４Ｃ】本明細書に記載された１以上の態様による、有名人メッセージを含む例示的な祝福インタフェースを示す図である。
【図６４Ｄ】本明細書に記載された１以上の態様による、有名人メッセージを含む例示的な祝福インタフェースを示す図である。
【図６４Ｅ】本明細書に記載された１以上の態様による、有名人メッセージを含む例示的な祝福インタフェースを示す図である。
【図６５Ａ】本明細書に記載された１以上の態様による例示的なトレーニング告知を示す図である。
【図６５Ｂ】本明細書に記載された１以上の態様による例示的なトレーニング告知を示す図である。
【図６５Ｃ】本明細書に記載された１以上の態様による例示的なトレーニング告知を示す図である。
【図６５Ｄ】本明細書に記載された１以上の態様による例示的なトレーニング告知を示す図である。
【図６６Ａ】本明細書に記載された１以上の態様による、トレーニングレビューを含む例示的なインタフェースを示す図である。
【図６６Ｂ】本明細書に記載された１以上の態様による、トレーニングレビューを含む例示的なインタフェースを示す図である。
【図６６Ｃ】本明細書に記載された１以上の態様による、トレーニングレビューを含む例示的なインタフェースを示す図である。
【図６６Ｄ】本明細書に記載された１以上の態様による、トレーニングレビューを含む例示的なインタフェースを示す図である。
【図６６Ｅ】本明細書に記載された１以上の態様による、トレーニングレビューを含む例示的なインタフェースを示す図である。
【図６６Ｆ】本明細書に記載された１以上の態様による、トレーニングレビューを含む例示的なインタフェースを示す図である。
【図６６Ｇ】本明細書に記載された１以上の態様による、トレーニングレビューを含む例示的なインタフェースを示す図である。
【図６６Ｈ】本明細書に記載された１以上の態様による、トレーニングレビューを含む例示的なインタフェースを示す図である。
【図６６Ｉ】本明細書に記載された１以上の態様による、トレーニングレビューを含む例示的なインタフェースを示す図である。
【図６６Ｊ】本明細書に記載された１以上の態様による、トレーニングレビューを含む例示的なインタフェースを示す図である。
【図６６Ｋ】本明細書に記載された１以上の態様による、トレーニングレビューを含む例示的なインタフェースを示す図である。
【図６７Ａ】本明細書に記載された１以上の態様による、経路情報が表示される一連の例示的な経路詳細インタフェースを示す図である。
【図６７Ｂ】本明細書に記載された１以上の態様による、経路情報が表示される一連の例示的な経路詳細インタフェースを示す図である。
【図６７Ｃ】本明細書に記載された１以上の態様による、経路情報が表示される一連の例示的な経路詳細インタフェースを示す図である。
【図６７Ｄ】本明細書に記載された１以上の態様による、経路情報が表示される一連の例示的な経路詳細インタフェースを示す図である。
【図６７Ｅ】本明細書に記載された１以上の態様による、経路情報が表示される一連の例示的な経路詳細インタフェースを示す図である。
【図６７Ｆ】本明細書に記載された１以上の態様による、経路情報が表示される一連の例示的な経路詳細インタフェースを示す図である。
【図６７Ｇ】本明細書に記載された１以上の態様による、経路情報が表示される一連の例示的な経路詳細インタフェースを示す図である。
【図６８Ａ】本明細書に記載された１以上の態様による別の例示的な経路詳細インタフェースを示す図である。
【図６８Ｂ】本明細書に記載された１以上の態様による、ユーザが経路を保存し経路詳細を追加することがある例示的なインタフェースを示す図である。
【図６９Ａ】本明細書に記載された１以上の態様による、ユーザが走り、作成しかつ／又は保存した様々な経路をリストする例示的な保存経路インタフェースを示す図である。
【図６９Ｂ】本明細書に記載された１以上の態様による、ユーザが経路リストから経路を選択したときに表示される例示的な経路インタフェースを示す図である。
【図７０Ａ】本明細書に記載された１以上の態様による、ユーザが新しい経路を定義する例示的な経路作成インタフェースを示す図である。
【図７０Ｂ】本明細書に記載された１以上の態様による、複数の以前に記録された経路が表示される例示的な選択メニューを示す図である。
【図７０Ｃ】本明細書に記載された１以上の態様による、１以上のフィールドが自動的に埋められる別の例示的な経路作成インタフェースを示す図である。
【図７１Ａ】本明細書に記載された１以上の態様による、経路情報を表示するための更なる例示的なインタフェースを示す図である。
【図７１Ｂ】本明細書に記載された１以上の態様による、経路情報を表示するための更なる例示的なインタフェースを示す図である。
【図７２Ａ】本明細書に記載された１以上の態様による、インタフェースを追跡表示する例示的な経路を更に示す図である。
【図７２Ｂ】本明細書に記載された１以上の態様による、インタフェースを追跡表示する例示的な経路を更に示す図である。
【図７２Ｃ】本明細書に記載された１以上の態様による、インタフェースを追跡表示する例示的な経路を更に示す図である。
【図７２Ｄ】本明細書に記載された１以上の態様による、インタフェースを追跡表示する例示的な経路を更に示す図である。
【図７２Ｅ】本明細書に記載された１以上の態様による、インタフェースを追跡表示する例示的な経路を更に示す図である。
【図７２Ｆ】本明細書に記載された１以上の態様による、インタフェースを追跡表示する例示的な経路を更に示す図である。
【図７３】本明細書に記載された１以上の態様による、経路固有の統計が表示される例示的なインタフェースを示す図である。
【図７４】本明細書に記載された１以上の態様による、生の挑戦を生成処理するための例示的な方法を示す図である。
【図７５】本明細書に記載された１以上の態様による、トレーニングセッションの前又は後にユーザがウォームアップ又はクールダウン活動をそれぞれ選択する例示的なインタフェースを示す図である。
【図７６】本明細書に記載された１以上の態様による、トレーニングセッションの前又は後にユーザがウォームアップ又はクールダウン活動をそれぞれ選択する例示的なインタフェースを示す図である。
【図７７】例示的な共有許可構成インタフェースを示す図である。
【図７８Ａ】ユーザが活動情報共有オプションを構成する例示的なトレーニングサマリインタフェースを示す図である。
【図７８Ｂ】ユーザが活動情報共有オプションを構成する例示的なトレーニングサマリインタフェースを示す図である。
【図７８Ｃ】ユーザが活動情報共有オプションを構成する例示的なトレーニングサマリインタフェースを示す図である。
【図７９Ａ】ソーシャルネットワーキングサイトにおける例示的なトレーニング情報入力又は投稿を示す図である。
【図７９Ｂ】ソーシャルネットワーキングサイトにおける例示的なトレーニング情報入力又は投稿を示す図である。
【図８０】トレーニングエントリを含む例示的なソーシャルネットワーキングページを示す図である。
【図８１】例示的な運動活動プロファイルページを示す図である。
【図８２】情報共有オプション及び許可を構成するための例示的な活動共有アプリケーションインタフェースを示す図である。
【図８３】ソーシャルメッセージングシステムにより配布するメッセージを生成するための例示的なインタフェースを示す図である。
【発明を実施するための形態】
【００１３】
＜運動活動の概要＞
開示の態様は、運動情報及び非運動情報の測定、収集、表示及び管理に関する。当業者によって理解されるように、最初に個人から運動情報を取得しなければならない。本発明の様々な実施態様より、１以上の異なる運動情報監視装置を用いて、人によって実行された運動活動に対応する運動データを測定し記録し、その情報を通貨の形に変換してもよい。典型的には、運動情報監視装置は、監視される人に関するパラメータを測定するための１つのセンサ又は複数のセンサと、センサによって測定されたパラメータを処理するための計算装置とを内蔵する。
【００１４】
運動情報監視装置が、人の運動活動の運動情報を記録した後、人は、記録された運動データを表示するために、記録された運動情報を１以上の別個の装置に転送することがある。ユーザは、例えば、記録された運動情報を、運動情報監視装置から別個の収集装置にダウンロードする。収集装置は、次に、運動情報監視装置から収集した運動情報を別個の表示構成装置に転送してもよく、そこで、例えば更に別の装置に後で表示するために、運動情報を整理し構成することができる。後でより詳しく言及するように、本発明の様々な実施態様は、人が、インターネットなどのネットワークを介して通信する計算装置群を用いて、運動情報を記録し、収集し、表示できるようにする。
【００１５】
例えば、本明細書で述べた幾つかの態様は、人が、専用計算装置を用いて運動情報を測定し記録することを可能にする。次に、ユーザは、記録した運動情報を、個人用デスクトップコンピュータやラップトップコンピュータなどのローカル計算装置に転送することができる。より詳細には、ユーザは、記録した運動情報を、運動情報監視装置から、コンピュータネットワーク内で「クライアント」として働くローカルコンピュータ上の収集ソフトウェアツールにダウンロードすることができる。次に、収集ソフトウェアツールは、ダウンロードした運動情報を、ネットワークを介してリモート「サーバ」コンピュータに転送する。次に、リモートサーバコンピュータ上の表示構成ソフトウェアツールが、転送された運動情報を保存する。その後で、人は、クライアントコンピュータ又は別のローカルコンピュータを用いて、記憶した運動情報をサーバコンピュータから取得することができる。ローカルコンピュータからの表示リクエストに応じて、表示構成ソフトウェアツールは、要求された運動情報をローカルコンピュータに表示するように構成し、次に構成した運動情報を表示用ローカルコンピュータに送信する。
【００１６】
＜計算装置＞
本発明の種々の例は、１以上の機能を実行するように構成された電子回路を用いて実現されてもよい。例えば、本発明の幾つかの実施形態によれば、運動情報監視装置、収集装置、表示装置、又はこれらの任意の組み合わせは、１以上の特定用途向け集積回路（ＡＳＩＣ）を用いて実現されてもよい。しかしながら、より典型的には、本発明の種々の例の構成要素は、ファームウェア若しくはソフトウェア命令を実行するプログラム可能な計算装置を用いて、又は専用電子回路と、プログラム可能な計算装置上で実行されるファームウェア若しくはソフトウェア命令との何らかの組み合わせによって実現される。
【００１７】
したがって、図１は、本発明の様々な実施形態を実現するために使用できるコンピュータ１０１の１つの説明的な例に示す。この図で分かるように、コンピュータ１０１は、計算ユニット１０３を有する。計算ユニット１０３は、典型的には、処理ユニット１０５とシステムメモリ１０７を含む。処理ユニット１０５は、ソフトウェア命令を実行する任意のタイプの処理装置でよいが、慣例的にマイクロプロセッサ装置になる。システムメモリ１０７は、読み出し専用メモリ（ＲＯＭ）１０９とランダムアクセスメモリ（ＲＡＭ）１１１の両方を含んでもよい。読み出し専用メモリ（ＲＯＭ）１０９とランダムアクセスメモリ（ＲＡＭ）１１１は両方とも、処理ユニット１０５によって実行されるソフトウェア命令を記憶することがあることは当業者に理解されるであろう。
【００１８】
処理ユニット１０５とシステムメモリ１０７は、バス１１３又は代替通信構造によって、１以上の周辺装置に、直接又は間接に接続される。例えば、処理ユニット１０５又はシステムメモリ１０７は、ハードディスクドライブ１１５、リムーバブル磁気ディスクドライブ１１７、光ディスクドライブ１１９、フラッシュメモリカード１２１などの追加のメモリ記憶装置に直接又は間接に接続されてもよい。また、処理ユニット１０５とシステムメモリ１０７は、１以上の入力装置１２３及び１以上の出力装置１２５に直接又は間接に接続されてもよい。入力装置１２３には、例えば、キーボード、タッチ画面、リモートコントロールパッド、ポインティング装置（マウス、タッチパッド、スタイラス、トラックボール、ジョイスティックなど）、スキャナ、カメラ、又はマイクロフォンが含まれる。出力装置１２５には、例えば、モニタ表示装置、触覚フィードバック装置、テレビ、プリンタ、ステレオ、又はスピーカが含まれる。
【００１９】
更に、計算ユニット１０３は、ネットワークと通信するために１以上のネットワークインタフェース１２７に直接又は間接に接続される。このタイプのネットワークインタフェース１２７は、ネットワークアダプタ又はネットワークインタフェースカード（ＮＩＣ）と呼ばれることもあり、計算ユニット１０３からデータ及び制御信号を、伝送制御プロトコル（ＴＣＰ）、インターネットプロトコル（ＩＰ）、ユーザデータグラムプロトコル（ＵＤＰ）などの１以上の通信プロトコルにしたがって、ネットワークメッセージに変換する。これらのプロトコルは、当該技術分野で周知であり、したがって本明細書では詳細に考察しない。インタフェース１２７は、例えば無線送信部、電力線アダプタ、モデム又はイーサネット接続を含むネットワークに接続するために任意の適切な接続エージェントを使用することがある。
【００２０】
具体的に前述した入力、出力及び記憶周辺装置に加えて、計算装置は、入力、出力及び記憶機能又はこれらの何らかの組み合わせを実行することがある周辺装置を含む、様々な他の周辺装置に接続されてもよいことを理解されたい。例えば、コンピュータ１０１は、カリフォルニア州キューパーティーノのアップル社から入手可能なＩＰＯＤ[登録商標]商標デジタル音楽プレーヤなどのデジタル音楽プレーヤに接続されてもよい。当該技術分野で知られているように、このタイプのデジタル音楽プレーヤは、コンピュータの出力装置（例えば、音声ファイルから音楽を出力するか又は画像ファイルから写真を出力する）と記憶装置の両方として働くことができる。更に、このタイプのデジタル音楽プレイは、後でより詳しく述べるように、記録された運動情報を入力するための入力装置として働くこともできる。
【００２１】
デジタル音楽プレーヤに加えて、コンピュータ１０１は、電話などの１以上の他の周辺装置に接続されてもよく、それらの装置を他の方法で含んでもよい。電話は、例えば、ワイヤレス「スマートフォン」でよい。一例では、通信装置は、カリフォルニア州キューパーティーノのアップル社から入手可能なＩＰＨＯＮＥ（登録商標）型の携帯通信装置でよい。当該技術分野で知られているように、このタイプの電話は、無線周波数伝送を使用する無線ネットワークを介して通信する。単純な通信機能に加えて、「スマートフォン」は、電子メッセージ（例えば、電子メールメッセージ、ＳＭＳテキストメッセージなど）の送信、受信及び表示、音声ファイルの記録又は再生、画像ファイル（例えば、静止画又は動画ファイル）の記録又は再生、テキスト付きファイル（例えば、Ｍｉｃｒｏｓｏｆｔ  Ｗｏｒｄ若しくはＥｘｃｅｌファイル、又はＡｄｏｂｅ  Ａｃｒｏｂａｔファイル）の表示及び編集などの１以上のデータ管理機能をユーザに提供することができる。このタイプの電話のデータ管理機能のため、ユーザは、維持されるデータが同期されるように電話をコンピュータ１０１に接続してもよい。
【００２２】
当然ながら、更に、他の周辺装置が、当該技術分野で周知のように、図１に示されたタイプのコンピュータ１０１と共に含まれてもよく、コンピュータ１０１と他の方法で接続されてもよい。幾つかの例では、周辺装置は、計算ユニット１０３に永久的又は半永久的に接続されてもよい。例えば、多数のコンピュータがある場合、計算ユニット１０３、ハードディスクドライブ１１７、リムーバブル光ディスクドライブ１１９、及び表示装置が、単一ハウジング内に半永久的に収容される。しかしながら、更に他の周辺装置がコンピュータ１０１に取り外し可能に接続されてもよい。コンピュータ１０１は、例えば、周辺装置を計算ユニット１０３に（直接又はバス１１３を介して間接に）接続できる１以上の通信ポートを含むことがある。したがって、そのような通信ポートには、汎用シリアルバス（ＵＳＢ）規格又はＩＥＥＥ  １３９４高速シリアルバス規格（例えば、Ｆｉｒｅｗｉｒｅポート）を使用するシリアルバスポートなどの平行のバスポート又はシリアルバスポートが挙げられる。別又は追加として、コンピュータ１０１は、Ｂｌｕｅｔｏｏｔｈインタフェース、Ｗｉ−Ｆｉインタフェース、赤外線データポートなどの無線データ「ポート」を有してもよい。
【００２３】
本発明の様々な例により使用される計算装置は、図１に示されたコンピュータ１０１より多くの構成要素、コンピュータ１０１より少数の構成要素、又はコンピュータ１０１と異なる組み合わせの構成要素を含んでもよいことを理解されたい。本発明の幾つかの実施態様では、例えば、デジタル音楽プレーヤやサーバコンピュータなどのきわめて特定の機能を有するように設計された１以上の計算装置が用いられてもよい。したがって、そのような計算装置は、ネットワークインタフェース１１５、リムーバブル光ディスクドライブ１１９、プリンタ、スキャナ、外付けハードディスクなどの不必要な周辺装置を省略してもよい。本発明の幾つかの実施態様は、別又は追加として、デスクトップパーソナルコンピュータやラップトップパーソナルコンピュータなどの種々様々の機能を可能にするように設計された計算装置を用いてもよい。これらの計算装置は、必要に応じて、周辺装置又は追加の構成要素の任意の組み合わせを有してもよい。
【００２４】
＜運動情報監視装置＞
図２は、ユーザの運動活動に対応する運動情報を測定するために、本発明の様々な例にしたがって使用されることがある運動情報監視装置２０１の一例を示す。この図に示されたように、運動情報監視装置２０１は、デジタル音楽プレーヤ２０３、電子インタフェース装置２０５、及び運動パラメータ測定装置２０７を含む。より詳細に述べるように、デジタル音楽プレーヤ２０３は、電子インタフェース装置２０５に（取り外し可能に）接続され、この組み合わせは、ランニングやウォーキングなどの運動活動を行なっている間、ユーザによって着用されるか他の方法で所持される。更に、デジタル音楽プレーヤ２０３は、電話通信、テキストメッセージ、マルチメディアメッセージなどを作成し受信するための電気通信構成要素を含むことがある。１以上の例において、デジタル音楽プレーヤ２０３は、例えば、コンピュータアプリケーションを実行し、電気通信機能を提供し、音声を再生し、ビデオ録画し、触覚フィードバックを提供し、ローカル及び広域ネットワークにアクセスするように構成されたスマートフォンに対応してもよい。
【００２５】
運動パラメータ測定装置２０７は、運動活動を行なっている間にユーザによって着用又は携帯されてもよく、ユーザが行なっている運動動作に関連した１以上の運動パラメータを測定する。運動パラメータ測定装置２０７は、測定された運動パラメータに対応する信号を電子インタフェース装置２０５に送信する。電子インタフェース装置２０５は、運動パラメータ測定装置２０７から信号を受信し、受信情報をデジタル音楽プレーヤ２０３に提供する。１以上の構成において、電子インタフェース装置２０５は、運動監視システム２０１の一部として含まれなくてもよい。代わりに、デジタル音楽プレーヤ２０３は、１以上の運動の測定センサからセンサデータを受信し、命令を送信するように構成された通信装置を含むことがある。
【００２６】
図３により詳細に示されるように、運動パラメータ測定装置２０７は、運動パラメータ測定装置２０７を装着しているか又は他の方法で使用する人と関連した運動パラメータを測定する１以上のセンサ３０１を含む。本実施形態の場合、例えば、センサ３０１Ａ及び３０１Ｂは、運動パラメータ測定装置２０７の加速度を２つの直角方向で測定するための加速度計（圧電加速度計など）でよい。運動パラメータ測定装置２０７は、ユーザが運動している間に所望の運動パラメータを測定するために、ユーザによって携帯されるか他の方法で着用される。例えば、図４に示されたように、運動パラメータ測定装置２０７は、歩くか走っているユーザの靴４０１の底に配置されてもよい。この構成により、センサ３０１は、ユーザの足の動きに対応する電気信号を生成する。当該技術分野で知られているように、これらの信号を用いて、ユーザが行なう運動活動を表す運動データを生成することができる。他の例では、運動パラメータ測定装置２０７は、胸ストラップ又はユーザの手首に着用されてもよく、デジタル音楽プレーヤ２０３に組み込まれてもよい。
【００２７】
運動パラメータ測定装置２０７は、また、センサ３０１によって出力された電気信号を処理するプロセッサ３０３を含む。本発明の幾つかの実施態様により、プロセッサ３０３は、プログラム可能なマイクロプロセッサでよい。しかしながら、本発明の更に他の実施態様に関して、プロセッサ３０３は、ＡＳＩＣなどの専用回路装置でよい。プロセッサ３０３は、センサ３０１から出力された信号に、カーブスムージング、ノイズフィルタリング、外れ値除去、増幅、加算、積分などの所望の操作を実行してもよい。プロセッサ３０３は、処理した信号を送信部３０７に提供する。運動パラメータ測定装置２０７は、また、必要に応じて、センサ３０１、プロセッサ３０３及び送信部３０５に電力を提供するための電源３０７を含む。電源３０７は、例えば、バッテリ（電池）でよい。
【００２８】
運動パラメータ測定装置２０７は、図４で分かるように、処理信号を電子インタフェース装置２０５に送信するか、デジタル音楽プレーヤ２０３に直接送信する。次に図３に戻ると、電子インタフェース装置２０５は、運動パラメータ測定装置２０７内の送信部３０５によって送信された処理信号を受信する受信部３０９を有する。受信部３０９は、処理信号を第２のプロセッサ３１１に中継し、第２のプロセッサ３１１は、更に信号を処理する。プロセッサ３０３と同様に、プロセッサ３１１は、処理信号に、カーブスムージング、ノイズフィルタリング、外れ値除去、増幅、加算、積分などの所望の操作を行なってもよい。
【００２９】
プロセッサ３０３は、処理信号をデジタル音楽プレーヤ２０３に提供する。ここで図２に戻って参照すると、１つの構成で、電子インタフェース装置２０５は、デジタル音楽プレーヤ２０３上に提供された従来の入力ポート２１１に物理的に差し込み接続するコネクタシステム２０９を有する。電子インタフェース装置２０５のコネクタシステム２０９が接続する入力ポート２１１は、データを転送する所望のタイプの入力ポート（パラレルデータポート、シリアルデータポート、イヤホン又はマイクジャックなど）でよい。コネクタシステム２０９は、デジタル音楽プレーヤ２０３の入力ポート２１１に提供された対応する要素と電気接続又は任意の適切な接続をするため（例えば、インタフェース装置２０５と電子インタフェース装置２０５との間の電子及び／又はデータ通信を可能にするため）、電線、ピン、電気コネクタなどの任意の適切な接続装置を含んでもよい。必要又は要求に応じて、インタフェース装置２０５をデジタル音楽プレーヤ２０３に接続するために、ストラップ、フック、バックル、クリップ、締め金、保持要素、機械式コネクタなどの追加の固定要素が提供されてもよい。
【００３０】
ここで図３に戻ると、プロセッサ３１１は、処理信号を計算ユニット３１３に提供する。計算ユニット３１３は、最初に、処理信号をメモリ３１５に記憶してもよい。更に、本発明の幾つかの実施態様によれば、計算ユニット３１３は、運動情報監視装置２０１によって提供される処理信号を処理して、ユーザによって行なわれた運動活動に対応する１組の運動データを生成してもよい。例えば、運動情報監視装置２０１が、ユーザの脚の動きを測定するための加速度計を含む場合、計算ユニット３１３は、運動情報監視装置２０１からの処理信号を分析して、ユーザの運動活動中の特定の瞬間におけるユーザの速度と、その特定の瞬間のそれぞれにおいてユーザが移動した総距離とを示す１組の運動データを生成してもよい。加速度計信号からのユーザの速度を決定するための様々な技術は、例えば、「Monitoring Activity Of A User In Locomotion On Foot」と題し、２００５年５月２４日に発行された米国特許第６，８９８，５５０号（Ｂｌａｃｋａｄａｒ）、「Monitoring Activity Of A User In Locomotion On Foot」と題し、２００５年４月１９日に発行された米国特許第６，８８２，９５５号（Ｏｈｌｅｎｂｕｓｃｈ）、「Monitoring Activity Of A User In Locomotion On Foot」と題し、２００５年４月５日に発行された米国特許第６，８７６，９４７号（Ｄａｒｌｅｙ）、「Monitoring Activity Of A User In Locomotion On Foot」と題し、２００２年１２月１０日に発行された米国特許第６，４９３，６５２号（Ｏｈｌｅｎｂｕｓｃｈ）、「Detecting The Starting And Stopping Of Movement Of A Person On Foot」と題し、２００１年１０月２日に発行された米国特許第６，２９８，３１４号（Ｂｌａｃｋａｄａｒ）、「Measuring Foot Contact Time And Foot Loft Time Of A Person In Locomotion」と題し、２０００年４月１８日に発行された米国特許第６，０５２，６５４号（Ｇａｕｄｅｔ）、及び「Measuring Foot Contact Time And Foot Loft Time Of A Person In Locomotion」と題し、２０００年１月２５日に発行された米国特許第６，０１８，７０５号（Ｇａｕｄｅｔ）に記載されており、これらの特許はそれぞれ援用することで、これら全体が本明細書に組み込まれる。
【００３１】
運動データセットは、各速度値及び／又は各距離値と関連付けられた時間値を含んでもよい。運動情報監視装置２０１を用いて、様々なユーザから運動情報を収集できる場合、運動データ計算ユニット３１３は、更に、ユーザを促して何らかの方法で身元を明らかにさせてもよい。次に、この識別情報は、運動情報監視装置２０１によって提供された情報から生成された運動データセットに含まれていてもよい。計算ユニット３１３が、運動情報監視装置２０１によって提供された情報から１組の運動データを生成した場合、計算ユニット３１３は、運動データセットをメモリ３１５に記憶してもよい。後でより詳細に述べるように、デジタル音楽プレーヤ２０３が、運動情報収集ツールを実現する計算装置に接続されたとき、計算ユニット３１３は、運動データを、リモート計算装置上にホストされた表示構成ツールにダウンロードする。
【００３２】
図２〜図４に示された実施形態に関して、運動パラメータ測定装置２０７とインタフェース装置２０５との間の無線通信について述べたが、有線接続を含む、運動パラメータ測定装置２０７とインタフェース装置２０５との間の所望の通信方法を、本発明から逸脱することなく使用することができる。また、運動パラメータ測定装置２０７からの物理的又は生理学的データから導出されたデータを、電子装置２１０に表示するか又は電子装置２１０から出力するのに適切な形態又は形式に変換する任意の望ましい方法を、本発明から逸脱することなく提供することができる。例えば、必要に応じて、運動パラメータ測定装置２０７は、１以上の特定の電子装置と共に使用するように特別に設計されかつ／又はプログラムされてもよく、例えば、特定の装置と共に動作し、それらの装置に適した形態及び形式の出力データを提供するようにあらかじめプログラムされかつ／又は配線されてもよい。この状況で、インタフェース装置２０５は、特定モデルのデジタル音楽プレーヤや、電話、時計、携帯情報端末などの更に他の電子装置など、特定の電子装置を特にターゲットとするように市場に出されて販売されてもよい。別の選択肢として、必要に応じて、インタフェース装置２０５は、例えば、インターネット、ディスク又は別のソースなどから、特定の電子装置用のディスプレイ又はデバイスドライバ及び／又はフォーマットデータをダウンロードすることによって、種々の異なる電子装置と共に動作するように、後でプログラムされてもよい。
【００３３】
必要に応じて、本発明の少なくとも幾つかの例によれば、電子インタフェース装置２０５は、更に、ディスプレイ２２０及び／又は、１以上の回転式入力装置、スイッチ、ボタン（図２に例示されたような）、マウス又はトラックボール素子、タッチ画面など若しくはこれらの何らかの組み合わせなどのユーザ入力システム２２２を含んでもよい。ディスプレイ２２０は、例えば、デジタル音楽プレーヤ２０３によって再生される音楽に関する情報、デジタル音楽プレーヤ２０３によって受信される運動情報信号に関する情報、受信した運動情報信号からデジタル音楽プレーヤ２０３によって生成される運動データを示すために使用されることがある。ユーザ入力システム２２２は、例えば、インタフェース装置２０５を介して受け取った入力データの処理の１以上の態様を制御し、入力データの受領（例えば、タイミング、受信した情報のタイプ、オンデマンドデータ要求など）を制御し、電子装置２０３に出力されるか又は電子装置２０３によって出力されるデータを制御し、運動パラメータ測定装置２０７を制御するために使用されてもよい。別又は追加として、必要に応じて、デジタル音楽プレーヤ２０３上の入力システム（例えば、ボタン２２２、タッチ画面、デジタイザ／スタイラス式入力、回転入力装置、トラックボール又はロールボール、マウスなど）が、インタフェース装置２０５及び／又は運動パラメータ測定装置２０７にユーザ入力データを提供するために使用されてもよい。更に別の例として、必要に応じて、例えば音声コマンドによるユーザ入力を可能にするために、音声入力システムが、インタフェース装置２０５及び／又はデジタル音楽プレーヤ２０３に提供されてもよい。任意のシステム要素の制御及び／又は任意の目的のために、本発明から逸脱しない任意の他の所望のタイプのユーザ入力システムが提供されてもよい。
【００３４】
デジタル音楽プレーヤ２０３には、例えば、ヘッドホン（又は、他の音声出力）、電源、無線通信、赤外線入力、マイクロフォン入力、や他の装置のための、例えば図２に示されたポート２２４及び２２６など、追加の入力及び／又は出力素子が含まれてもよい。必要に応じて、またインタフェース装置２０５が電子装置２０３に取り付けられたときにこれらのポート２２４及び／又は２２６が覆われる場合、インタフェース装置２０５は、ポート２２４及び／又は２２６と類似の外部ポートを装備してもよく、インタフェース装置２０５内に、ユーザが、デジタル音楽プレーヤ２０３に差し込むのと同じ付加装置をインタフェース装置２０５に差し込み、更に同じ機能を利用できるようにする（例えば、それにより、必要なデータ、信号、電力、及び／又は情報が、インタフェース装置２０５を介して、ユーザ、別の出力、及び／又はデジタル音楽プレーヤ２０３に渡ることを可能にする）内部回路が提供されてもよい。
【００３５】
前述の本発明の幾つかの特定の実施形態が、デジタル音楽プレーヤ２０３に関するが、本発明の代替例が、任意の携帯電子装置を用いて実現されてもよいことを理解されたい。例えば、本発明の幾つかの実施態様の場合、運動パラメータ測定装置２０７は、携帯電話、時計、携帯情報端末、別のタイプの音楽プレーヤ（コンパクトディスク又は衛星ラジオ音楽プレーヤなど）、ポータブルコンピュータ、その他の所望の電子装置と共に使用されてもよい。更に、本発明の幾つかの実施態様は、別又は追加として、インタフェース装置２０５の使用を省略してもよい。例えば、運動パラメータ測定装置２０７は、Ｂｌｕｅｔｏｏｔｈ（登録商標）無線通信プロトコルを用いて通信するように構成されてもよい。したがって、Ｂｌｕｅｔｏｏｔｈ携帯電話、携帯情報端末、時計、又はパーソナルコンピュータと共に使用することができる。当然ながら、インタフェース装置２０５を省略しかつ更に他の無線又は有線通信技術が使用されてもよい。
【００３６】
以上、理解を容易にするために、運動パラメータ測定装置２０７の特定の例について述べたが、任意のタイプの所望の運動パラメータ測定装置２０７を、本発明の様々な実施形態と共に使用することができることを理解されたい。例えば、本発明の幾つかの実施態様の場合、運動パラメータ測定装置２０７は、心拍数モニタ、血液酸素モニタ、衛星測位装置（例えば、全地球測位衛星（ＧＰＳ）ナビゲーション装置）や他の位置決定システム、ユーザの電気的活動を測定する装置（例えば、ＥＫＧモニタ）、又はユーザの１以上の物理パラメータを測定する任意の他の装置でよい。更に、運動パラメータ測定装置２０７は、自転車の速度及び／又は距離、トレッドミル、ローイングマシーン、エリプティカルマシン、固定自転車によって行われる速度及び／又は仕事、スキー（水又は雪）、スケート（ローラ又はアイス）、スノーシューズ、又はユーザが着用した類似物が移動する幾つかの速度及び／又は距離など、ユーザによって操作されている装置の１以上の操作パラメータを測定してもよい。
【００３７】
また、運動パラメータ測定装置２０７は、運動パラメータ測定装置２０７から信号を受け取るデジタル音楽プレーヤ２０３や他の携帯電子装置と別個であるように示したが、本発明の幾つかの実施態様の場合、運動パラメータ測定装置２０７は、デジタル音楽プレーヤ２０３や他の携帯電子装置に組み込まれてもよい。例えば、本発明の幾つかの実施態様は、加速度計、衛星測位装置、又は運動活動を測定する他の所望の装置を内蔵する音楽プレーヤ、携帯電話、時計、又は携帯情報端末を用いてもよい。更に、本発明の様々な実施態様は、デジタル音楽プレーヤ２０３や他の携帯電子装置に組み込まれるか、デジタル音楽プレーヤ２０３や他の携帯電子装置と別個か、まれはこれらの何らかの組み合わせの複数の運動パラメータ測定装置２０７を用いてもよいことを理解されたい。
【００３８】
＜運動収集表示ツール＞
図５は、本発明の様々な実施態様より運動データを収集しかつ／又は表示するために使用されることがある運動情報収集表示装置５０１の一例を示す。後でより詳しく述べるように、運動情報収集表示装置５０１は、運動データを収集し表示してもよい。運動情報収集表示装置５０１は、前述した計算装置１０１の任意の適切な変形を用いて実現されてもよい。しかしながら、幾つかの状況では、情報収集表示装置５０１は、例えば、ワシントン州レドモンドのマイクロソフト社から入手可能なＭｉｃｒｏｓｏｆｔ  Ｗｉｎｄｏｗｓ（登録商標）オペレーティングシステムの一バージョン、カリフォルニア州キューパーティーノのアップル社から入手可能なＡｐｐｌｅ  Ｍａｃｉｎｔｏｓｈ（登録商標）オペレーティングシステムの一バージョン、又は複数のベンダから入手可能なＵｎｉｘ（登録商標）又はＬｉｎｕｘ（登録商標）オペレーティングシステムの一バージョンを用いて、デスクトップ又はラップトップパーソナルコンピュータを用いて商業的に実現されてもよい。
【００３９】
図５を示されたように、運動情報収集表示装置５０１は、運動情報監視装置２０１からデータを受け取るためのインタフェース５０３を有する。インタフェース５０３は、例えば、電気構成要素、ソフトウエアコンポーネント（アプリケーションプログラムインターフェイス（ＡＰＩ）など）、又はこれらの何らかの組み合わせを用いて実施されてもよい。運動情報収集表示装置５０１は、また、運動データ収集モジュール５０５を有する。本発明の様々な例によれば、運動データ収集モジュール５０５は、１以上の運動データセットを記憶するデジタル音楽プレーヤ２０３や他の携帯電子装置が、インタフェース５０３を介して運動情報収集表示装置５０１に接続されたことを検出し、デジタル音楽プレーヤ２０３や他の携帯電子装置との通信セッションを確立して運動データセットを取得してもよい。本発明の幾つかの実施態様では、運動データ収集モジュール５０５は、運動データセットを取得した後、デジタル音楽プレーヤ２０３や他の携帯電子装置から運動データセットを削除してもよい。
【００４０】
本発明の幾つかの例によれば、運動データ収集モジュール５０５は、デジタル音楽プレーヤ２０３や他の携帯電子装置から取得した運動データセットに幾つかの更なる操作を行なってもよい。例えば、運動情報監視装置２０１を用いて様々なユーザから運動情報を収集できる場合、運動データ収集モジュール５０５は、更に、ユーザに身元を明からかにすることを促してもよい（この情報が、運動情報収集表示装置５０１によって以前に取得されてない場合）。次に、この身元情報は、取得された運動データセットと共に含まれてもよい。
【００４１】
前に示したように、運動情報収集表示装置５０１は、典型的には、１以上の運動パラメータ測定装置２０７によって測定された情報から運動データセットを生成する。しかしながら、本発明の幾つかの実施形態によれば、運動情報収集表示装置５０１は、代りに、運動パラメータ測定装置２０７によって提供される未処理情報を記憶してもよい。これらの実施形態によれば、運動データ収集モジュール５０５は、デジタル音楽プレーヤ２０３や他の携帯電子装置から未処理情報を取得し、次にその未処理情報自体から運動データセットを生成してもよい。当然ながら、本発明の更に他の例は、運動パラメータ測定装置２０７によって測定された未処理情報からの運動データの生成に関する機能を、必要に応じて、運動データ収集モジュール５０５と、デジタル音楽プレーヤ２０３や他の携帯電子装置とに分割してもよい。
【００４２】
運動データ収集モジュール５０５は、例えば、計算装置１０１の計算ユニット１１３によって実行されるソフトウェア命令によって実現されてもよい。本発明の幾つかの例によれば、運動データ収集モジュール５０５は、ブラウザなどの従来のソフトウェアツールによって実現されてもよい。あるいは、運動データ収集モジュール５０５は、専用ソフトウェアツールによって、又は運動データ収集機能を行なうように強化された従来のソフトウェアツールによって実現されてもよい。例えば、運動データ収集モジュール５０５は、様々な機能を実行する従来のブラウザを含むソフトウェアツールによって実現されてもよい。これらの機能は、デジタル音楽プレーヤ２０３や他の携帯電子装置から運動データを収集する他に、例えば、音楽及びビデオコンテンツの選択、購入、及びダウンロードを含んでもよい。
【００４３】
運動データ収集モジュール５０５が、運動情報監視装置２０１によって提供された処理信号を収集した後で、運動データ収集モジュール５０５は、インタフェースモジュール５０７を介して運動データセットを運動データ表示構成装置６０１に送信する。運動情報収集表示装置５０１は、インターネットなどの従来のネットワークを介して、運動データ表示構成装置６０１と通信してもよい。これらの構成により、インタフェースモジュール５０７は、ネットワークインタフェースカードなどの任意の従来のタイプのネットワークインタフェースを用いて実現されてもよい。当然ながら、代替として任意のタイプの所望のハードウェア又はソフトウェアの組み合わせを用いて、運動データ収集モジュール５０５が、収集した運動データを運動データ表示構成装置６０１に送信することができる。本発明の幾つかの実施態様によれば、運動データ収集モジュール５０５は、収集した運動データを運動データ表示構成装置６０１に自動的に転送してもよい。例えば、運動データ収集モジュール５０５は、収集した直後、所定の間隔、運動データ表示構成装置６０１へのネットワーク接続の検出時、又はこれらの何らかの組み合わせで、収集運動データを運動データ表示構成装置６０１に転送することを試みてもよい。別又は追加として、運動データ収集モジュール５０５は、収集運動データが運動データ表示構成装置６０１に送信される時間をユーザに指定させてもよい。
【００４４】
図６は、本発明の様々な例により使用されることがある運動データ表示構成装置６０１の例を示す。この図で分かるように、運動データ表示構成装置６０１は、運動情報収集表示装置５０１と通信するためのインタフェースモジュール６０３を含む。前述したように、運動情報収集表示装置５０１は、インターネットなどの従来のネットワークを介して、運動データ表示構成装置６０１と通信してもよい。これらの構成により、インタフェースモジュール６０３は、ネットワークインタフェースカードなどの任意の従来タイプのネットワークインタフェースを用いて実現されてもよい。当然ながら、代わりに任意のタイプの所望のハードウェア又はソフトウェアの組み合わせを用いて、運動データ表示構成装置６０１が運動情報収集表示装置５０１と通信できるようにしてもよい。
【００４５】
また、運動データ表示構成装置６０１は、運動データ表示構成モジュール６０５と運動データ記憶装置６０７とを含む。運動データ表示構成装置６０１のインタフェース６０３は、運動情報収集表示装置５０１から運動データを受信したとき、受信した運動データを運動データ表示構成モジュール６０５に提供する。次に、運動データ表示構成モジュール６０３は、将来使用するために、運動データを運動データ記憶装置６０７に記憶してもよい。後で詳細に述べるように、運動データ表示構成モジュール６０５は、運動データ記憶装置６０７から運動データを取得し、取得した運動データを、ユーザにとって意味のある様式で１以上のユーザインタフェースによって表示するように構成する。
【００４６】
ここで図５に戻ると、ユーザが、自分の運動活動（又は、後でより詳細に述べるような別の人の運動活動）に関する情報を見たいとき、ユーザは、運動情報収集表示装置５０１にリクエストを出す。より詳細には、ユーザは、キーボード、マウス、ディスプレイなどの従来の入出力装置を用いてリクエストを出してもよい。次に、表示リクエストは、従来のインタフェース入力／出力インタフェース５１１を介して、運動データ表示モジュール５０９に提供される。当該技術分野で周知のように、インタフェース入力／出力インタフェース５１１は、入力装置からの入力を検出処理し、データを出力装置に送信するか他の方法で制御するために使用される従来のアプリケーション・プログラミング・インタフェース（ＡＰＩ）など、ハードウェア及びソフトウエアコンポーネントの所望の組み合わせを用いて実現されてもよい。
【００４７】
本発明の幾つかの例によれば、運動データ表示モジュール５０９は、データの表示を要求し制御する入力を受け取り、次にそのデータを要求された形で表示するための任意の従来のツールを用いて実現されてもよい。例えば、運動データ表示モジュール５０９は、計算ユニット１１３上で実行されるＭｉｃｒｏｓｏｆｔ  Ｉｎｔｅｒｎｅｔ  Ｅｘｐｌｏｒｅｒ、Ｍｏｚｉｌｌａ  Ｆｉｒｅｆｏｘ、又はＯｐｅｒａなどの従来のブラウザプログラムを用いて実現されてもよい。本発明の更に別の実施形態によれば、運動データ表示モジュール５０９は、カリフォルニア州サンノゼのＡｄｏｂｅ  Ｓｙｓｔｅｍｓ  Ｉｎｃｏｒｐｏｒａｔｅｄから入手可能な、ＡｃｔｉｖｅＸプラグイン、Ｊａｖａスクリプト、又はＭａｃｒｏｍｅｄｉａ  Ｆｌａｓｈ  Ｐｌａｙｅｒ若しくはＡｄｏｂｅ  Ｆｌａｓｈ  Ｐｌａｙｅｒなどの１以上の表示ツールによって強化された従来のブラウザプログラムを用いて実現されてもよい。本発明の更に別の実施形態において、運動データ表示モジュール５０９は、例えば、運動データを表示する専用ソフトウェアツールによって実現されてもよい。
【００４８】
後でより詳細に述べるように、ユーザが、運動データ表示モジュール５０９を起動するとき、表示したい収集運動データや、収集運動データを表示したいフォーマットなどをユーザに選択させるユーザインタフェースがユーザに提供される。このユーザインタフェースは、運動データ表示モジュール５０９、運動データ表示構成モジュール６０５、又はこれらの何らかの組み合わせによって生成されてもよい。ユーザは、提供されたユーザインタフェースを用いて運動データを表示するリクエストを出すとき、運動データ表示モジュール５０９は、当該リクエストを運動データ表示構成モジュール６０５に中継する。これに応じて、運動データ表示構成モジュール６０５は、当該要求された運動データを、運動データ表示モジュール５０９で表示する。例えば、後でより詳細に述べるように、ユーザは、所定の１週間において、ユーザが走る日毎の総距離を表示するように要求してもよい。これに応じて、運動データ表示構成モジュール６０５は、運動データ記憶装置６０７から関連距離データを取得する。次に、取得した距離データを所望の画像（例えば、棒グラフ）で表示するように構成し、構成した運動データを運動データ表示モジュール５０９に提供してユーザに表示する。
【００４９】
本発明の幾つかの実施形態によれば、データ表示構成機能は、運動データ表示モジュール５０９と運動データ表示構成モジュール６０５に分割されてもよいことに留意されたい。例えば、運動データ表示モジュール５０９が、単純なブラウザによって実現された場合、運動データ表示モジュール５０９は、運動データ表示構成モジュール６０５の「シンクライアント」として働いてもよい。即ち、データ表示構成機能が全て、運動データ表示構成モジュール６０５によって実行されてもよい。次に、運動データ表示モジュール５０９は、提供された情報だけを表示する。あるいは、運動データ表示モジュール５０９が、専用ソフトウェアツールによって実現された場合、データ表示構成機能のほとんど又は全てが、運動データ表示モジュール５０９によって実行されてもよい。これらの例によれば、運動データ表示構成モジュール６０５は、運動データを運動データ記憶装置６０７に記憶しそこから取得するためだけに使用されてもよい。
【００５０】
＜ＧＰＳ対応モバイル装置を使用した運動活動監視＞
前述のように、様々なソフトウェア（例えば、図５の運動表示モジュール５０９）及びハードウェア（例えば、図２のデジタル音楽プレーヤ２０３及び／又は図５の運動情報収集表示装置５０１）を用いて、運動活動を追跡し、そのような情報を個人に提供してもよい。１つの構成において、ソフトウェア及び／又はハードウェアは、モバイル通信装置又はモバイル計算装置などのモバイル装置に含まれてもよい。運動情報を検出し、収集処理し表示するモバイル装置は、様々な環境で運動活動情報をアスリートに提供してもよい。例えば、処理又は収集された運動活動情報を表示するため、アスリートは、固定計算システムを使用せずに、自分のモバイル装置を用いてもよい。そのようなモバイル装置には、スマートフォン、携帯電話、携帯情報端末（ＰＤＡ）、ラップトップ計算装置、デジタル音楽プレーヤ、タブレットコンピュータ、手首装着型装置などが挙げられる。ソフトウェアアプリケーション又はアプレットの形のコンピュータ実行命令が、モバイル装置に記憶されてもよく、これにより、モバイル装置は、様々な運動活動追跡監視機能を実行することができる。例えば、モバイル装置は、個人の運動パフォーマンスに応じて、フィードバック、挑戦、提案、激励、及びその他のデータを提供してもよい。一例では、計算装置は、個人の改善とより大きい進捗の達成を支援するために、以前のトレーニングセッションによりも激しいか又は困難なトレーニングを行なうように個人に促す。より大きい進捗を達成することによって、個人は、運動を定期的に続けるようにより強くモチベーションが与えられることがある。別の例では、モバイル装置は、個人を、その人のパフォーマンス及び／又は他の個人から受け取ったコメント及び激励に基づいて激励しモチベーションを与えるように構成されてもよい。
【００５１】
図７は、トラック運動活動情報を追跡し様々なタイプのフィードバックを個人に提供するために使用される例示的なモバイル装置のブロック図を示す。特定の例において、モバイル装置は、図２のデジタル音楽プレーヤ２０３などのデジタル音楽プレーヤに対応してもよい。モバイル装置７００は、プロセッサ７０１、ＲＡＭ７０３、ＲＯＭ７０５、データベース７０７、無線送信部７０９、ネットワークアダプタ７１１、全地球測位システム（ＧＰＳ）装置７１３、加速度計７１５、及び入出力アダプタ７１７を含むことがある。
ＲＡＭ７０３やＲＯＭ７０３などのコンピュータ読取可能媒体は、実行されたとき、本明細書に記載された１以上の機能をモバイル装置７００などの機器に実行させるコンピュータ可読命令を記憶するように構成されてもよい。プロセッサ７０１は、様々な計算を行い、ＲＡＭ７０３及びＲＯＭ７０５に記憶された命令を実行するように構成されてもよい。データベース７０７は、ユーザ情報、電話番号、ネットワークアドレス、電子メールアドレス、ソフトウェア、画像、ドキュメントなどを含むデータを記憶してもよい。入出力アダプタ７１７は、タッチ画面ディスプレイ、スピーカ、オーディオジャック、物理キーボード、マイクロフォンなどを含む１以上の入力又は出力装置へのデータの受信と出力を容易にするように構成されてもよい。
【００５２】
単一のモバイル装置７００にＧＰＳ装置７１３と加速度計７１５を含めることにより、装置７００は、複数のトレーニング環境の運動活動データを記録することができる。例えば、個人が、トレッドミル上を走っている場合は、一般に個人が静止したままであり、ＧＰＳ衛星信号を利用できないことがあるので、ＧＰＳ装置７１３が、重要な運動データを検出も出力もできない可能性が高い。したがって、モバイル装置は、代りに加速度計を用いて、個人が走った歩数、個人の速度／加速度（例えば、ペース）などを決定してもよい。他方、個人が、屋外を走っているので、個人がある位置から別の位置に移動する場合は、代わりに、ＧＰＳ装置７１３又はＧＰＳ装置７１３からのデータの記録（例えば、ＧＰＳ装置が常に作動状態であるが、記録がオンオフされる）が、駆動され使用されてもよい。１以上の構成において、モバイル装置７００は、ＧＰＳ装置７１３を使用すべきか加速度計７１５を使用すべきか（又は、ＧＰＳ装置７１３又は加速度計７１５からのデータを記録すべきかどうか）を自動的に検出してもよい。例えば、個人の位置が変化していないことを装置７００が決定した場合、加速度計７１５又は加速度計７１５のデータの記録が駆動されて使用されてもよい（この場合も、装置が常に駆動状態であるが、装置からのデータの記録がオンオフされる）。幾つかの構成で、ＧＰＳ装置７１３と加速度計７１５は両方とも、追加のデータ粒度を提供しかつ／又はデータの精度を高めるために互いに連動して使用されてもよい。また、モバイル装置７００には、追加のタイプの活動データを提供する心拍数監視装置を含む他のセンサが含まれてもよい。更に、幾つかの例では、位置は、ＧＰＳが利用できない場合にセルラ三角測量を用いて決定されてもよい。
【００５３】
１以上の構成において、モバイル装置７００は、加速度計のないＧＰＳ環境、ＧＰＳのない加速度計環境、又はＧＰＳと加速度を組み合わせた環境（及び、幾つかの例では、加速度計モードのセルラ三角測量）を自動的に切り換えてもよい。使用するモードの切り換えと決定は、検出された動き、ＧＰＳ信号の強度と可用性、ユーザの好み、位置などを含む様々な要素に依存してもよい。例えば、ＧＰＳ信号が弱い場合（例えば、５０％未満の強度、３０％未満の強度、１０％未満の強度など）、モバイル装置７００は、ＧＰＳ装置７１３と加速度計７１５の両方を作動させて（例えば、その両方からのデータを記録し）、それにより、加速度計７１５データが、潜在的に取得できないか不正確なＧＰＳ情報を補足してもよい。別又は追加として、ＧＰＳデータと加速度計データは、ユーザによって行なわれる運動活動の量を決定するために、平均化されるか他の方法で組み合わされてもよい。別の例では、モバイル装置７００は、信号強度が所定レベル（例えば、５０％、７０％、９０％など）より高いとき、加速度計７１５からのデータを使用も記録もせずにＧＰＳ装置６１３からのデータを使用し記録してもよい。更に別の例で、モバイル装置７００が、加速度計７１５によって動きを検出するが、ＧＰＳ装置７１３を用いて位置の変化を検出しない場合、モバイル装置７００は、そのトレーニングにＧＰＳ装置７１３ではなく加速度計７１５を用いてもよい。更に、装置７００が、ＧＰＳ信号を検出し始めた場合、装置７００は、ＧＰＳモード又はＧＰＳ／加速度計組み合わせモードに切り換えてもよい。他の例では、ＧＰＳ信号が利用できずかつ／又はユーザの位置が屋内の場合、加速度計７１５は、ＧＰＳ装置７１３なしに使用されてもよい。ユーザ位置は、ＧＰＳ（例えば、位置、信号強度）を用いて自動的に決定されてもよく、手動入力に基づいてもよい。
【００５４】
１以上の構成によれば、モバイル装置７００は、所定のペースで行われるステップの検出、運動活動の開始のユーザ指示の受信、心拍数の上昇の検出（例えば、心拍数センサにより）などによって、ユーザが静止運動活動を行なっていることを決定してもよい。一例を挙げると、モバイル装置７００は、加速度計７１５からのデータを用いて、ステップがしきい値ペースより上で行われていることを検出してもよい。ステップが行われていることを検出した際、モバイル装置７００は、ＧＰＳ装置７１３からのＧＰＳデータが利用可能かつ／又は位置の変化を示すかどうかを判定してもよい。そうでない場合（例えば、ＧＰＳ信号がないか位置の変化がない）、モバイル装置７００は、ユーザが静止運動活動を行なっていることを記録してもよい。モバイル装置７００は、更に、この決定をユーザと共に確認してもよい。追加又は別として、モバイル装置７００は、高い心拍数が検出されたかどうか判定してもよい。
【００５５】
他の例において、別又は追加の活動情報を提供する他のセンサが、位置決定システムと協力して使用されてもよい。例えば、位置決定システムが、ユーザの物理位置の変化（又は、所定のしきい値距離又は高度より大きい変化）を検出しない場合は、ユーザが運動活動を行なっているかどうかを判定するために心拍数センサが使用されることがある。追加又は別として、ＧＰＳ装置７１３及び／又は加速度計７１５は、モバイル装置７００と物理的に別個の装置でよい。例えば、加速度計７１５は、手首装着又は靴内蔵センサに対応してもよい。ＧＰＳ装置７１３は、例えば、手首装着装置に内蔵されてもよい。モバイル装置７００は、Ｂｌｕｅｔｏｏｔｈ、Ｗｉ−Ｆｉ、赤外線などを含む様々な無線又は有線通信システムを用いて、これらの別個の装置のそれぞれと通信しデータを受信してもよい。
【００５６】
モバイル装置７００や他の計算システムは、トレーニングを定義するための様々な機能とオプションを提供してもよい。例えば、システムは、走行を白紙の状態から始めるか、以前に完了した走行を改善するかのユーザオプションを提供してもよい。次に、走行は、カスタマイズされてよく、激励及び／又は状況情報が、走行中と走行後に個人に提供されてもよい。
【００５７】
＜走行の定義−概要＞
図７の装置７００などの運動活動監視装置を用いて、ユーザは、運動活動セッションを登録し、そこからデータを記録してもよい。運動活動セッションの登録は、活動のタイプ、活動の継続時間、提供される音声、ビデオ又は触覚フィードバックの定義を含んでもよい。この情報は、装置７００上の１以上のアプリケーションの実行によって入力されてもよい。したがって、ユーザは、モバイル環境で、活動セッションに参加する直前に運動活動セッションを設定してもよい。
【００５８】
図８は、ユーザが、図７の装置７００や他の健康監視装置などのモバイル装置を用いて走行を定義する例示的なプロセスを示すフローチャートである。ステップ８００で、システムは、トレーニングを開始するコマンドに対応するユーザ入力を受け取ることがある。例えば、ユーザ入力は、システム上で利用可能なアプリケーション又は機能のメニューからのトレーニングオプションのユーザ選択を含むことがある。次に、ブロック８０５で、システムは、コマンドに応じて複数のトレーニングオプションをユーザに提示してもよい。例えば、システムは、前回の走行を繰り返すオプション、基本走行を開始するオプション、過去の走行を改善するオプション、１以上の検出装置を修正するオプション、トレーニング履歴を表示するオプション、及び／又は目標を設定するオプションを提供してもよい。オプションは、ユーザインタフェースの別のセクション又は画面に分類され表示されてもよい。例えば、ホーム画面は、前回走行繰り返しオプション、改善オプション、及び基本走行オプションを含んでもよく、トレーニング画面は、基本走行オプション、改善オプション、目標設定オプション、履歴オプション、及び修正オプションを含んでもよい。
【００５９】
ユーザが、前回走行繰り返しオプションを選択した場合は、ステップ８１０で、ユーザの最近の走行が、データベースから取得されてもよい。このデータベースは、システムに対してローカルでもよく、リモートサーバにあってもよい。次に、走行の位置によって活動の追跡に使用されるセンサが決まることがあるので、システムは、ステップ８１５で、走行が行われる場所に関して（例えば、屋外か屋内か）決定してもよい。例えば、以前の走行が屋外で行われた場合、システムは、ブロック８２０で、ＧＰＳ装置を用いて、走行を追跡し監視し始めてもよい。他方、走行が屋内で行われた場合、システムは、ブロック８２５に示されたように、加速度計システムを用いて走行を追跡し監視し始めてもよい。走行の開始は、関連するファームウェア、ハードウェア及び／又はソフトウェアの駆動化、トレーニングパラメータの定義（例えば、屋外の距離目標に対する屋内のカロリー燃焼目標の設定）、トレーニングインタフェースの生成（例えば、屋内走行用の体育館画像と屋外走行用の屋外風景）などを含む。本明細書に示されたように、幾つかの構成では、トレーニングにＧＰＳを使用できるが、屋内トレーニングに非ＧＰＳ装置しか使用されない場合は、加速度計とＧＰＳシステムの両方を用いて、様々なトレーニング統計を追跡してもよい。装置の使用は、その装置からのデータを記録し、指定された時間（又は、連続的）にデータを通信するように装置に指示することを含んでもよい。また、前回走行の繰り返しは、以前の走行と同じ音楽再生リストや他のオーディオコンテンツの使用を含んでもよい。別又は追加として、ユーザには、現在の走行のためのオーディオコンテンツをカスタマイズするオプション及び機能が提供されてもよい。
【００６０】
ユーザは、自己のトレーニングパフォーマンスを改善することを選択した場合、ブロック８３０で、第２組のオプションがユーザに提示されてもよい。当該オプションは、特定経路の走行、より速い走行、より長い走行、より遠くへの走行、１Ｋ又は５Ｋでの自己最高記録（時間的）の設定、又は走行距離の自己最高記録の設定を含む改善の様々な方法を提供してもよい。ユーザが、特定経路を完了するオプションを選択した場合は、ブロック８３５で、経路リストがユーザに提示されてもよい。経路リストは、ユーザが以前に走行しかつ／又は保存した経路、リモートネットワークサイトからダウンロードされた経路、及び友人や他の知人が走行した経路などを含むかもしれない。幾つかの構成では、ユーザの過去の運動パフォーマンスに基づいて、以前に走った経路のタイプを含む経路がユーザに推奨されてもよい。例えば、ユーザは、以前に実質的に平らな地形を３マイル走っており、モバイル装置又は別のシステムは、類似の地形を有する同様の距離の経路を識別する。幾つかの構成では、推奨経路は、ユーザに挑戦させる経路を含むことがある。例えば、推奨は、ユーザの改善を支援するために、３．５及び４マイルの経路、又はより厳しい坂道プロファイルを有する経路を含むことがある。
【００６１】
他方、ユーザが、他のオプションの１つを選択した場合、ユーザは、ブロック８４０で、対応する改善量を入力するように求められることがある。次に、システムは、ブロック８４５で、ユーザ入力に基づいてトレーニングの目標を設定してもよい。ユーザが自分のパフォーマンスを改善したい量は、パーセンテージ又は絶対値で定義されてもよい。例えば、ユーザが更に遠くまで走りたい場合、ユーザは、自分が走りたい追加のマイル数を定義してもよく、走行距離のパーセンテージを定義してもよい。次に、総マイル数は、選択された改善タイプにより、最近の走行に基づいて又は自己最高記録に基づいて計算されてもよい。一例を挙げると、ユーザが、更に遠くまで走るオプションを選択した場合、ユーザの前回走行に基づいて改善目標が定義されてもよい。しかしながら、ユーザが、走行距離で自己最高記録を設定するオプションを選択した場合は、改善目標は、以前又は現在の距離の自己最高記録に基づいて、自動、半自動及び／又は手動で定義されてもよい。例えば、システムは、目標を、距離のユーザの自己最高記録を超える特定のパーセンテージ（例えば、５％）として自動的に設定してもよい。別又は追加として、これまで記録された全てのトレーニングから改善したいトレーニングを選択するオプションがユーザに提供されてもよい。
【００６２】
ユーザが、トレーニングメニューから目標設定オプションを選択した場合、ブロック８５０で、ユーザは、設定したい目標のタイプを選択するように求められることがある。様々なタイプの目標には、距離、時間及びカロリーが挙げられる。また、ペース、心拍数、走行傾斜率などの他のタイプの目標が設定されてもよい。１以上の構成において、ユーザは、２つ以上の目標タイプを選択し、走行のために複数の目標パラメータを設定してもよい。目標のタイプを選択する際、システムは、ブロック８５５で、目標のリストをユーザに表示してもよい。目標のリストは、マラソンの走行、指定時間（例えば、３０分間）の走行、及び／又は特定カロリー数の燃焼（例えば、３００カロリー）など、１以上の所定及び／又は自動的に定義された目標を含むことがある。目標のリストは、また、ユーザが目標をカスタマイズするためのオプションを提供することがある。例えば、１０マイルの走行に所定の選択が利用できない場合、ユーザは、１０マイルの走行のためのカスタマイズされた目標を設定してもよい。別の例では、ユーザが、５００カロリーを燃焼したいが、所定のカロリー目標が、２００カロリーの増分である場合、ユーザは、４００又は６００カロリーの選択を強制される代わりに、カスタマイズされた５００カロリーの目標を設定してもよい。
【００６３】
ユーザが、トレーニングタイプを選択し及び／又はトレーニングタイプの目標を定義した場合、システムは、ブロック８６０で、トレーニング中に聞きたい音楽のタイプを選択するようにユーザに促すことがある。様々な選択には、所定の再生リスト（ユーザ又はシステムが作成した）、シャッフル（例えば、ランダム選択の歌又はランダム順序の歌）、又は音楽なしが含まれることがある。ブロック８６５で、システムは、ユーザがＦＡＣＥＢＯＯＫなどのソーシャルネットワーキングサイトにトレーニング情報を公表したいかどうか決定してもよい。別又は追加として、システムは、ユーザがトレーニングデータを運動活動監視サービスに同期させたいかどうかを判定してもよい。そのような場合、ユーザは、様々な識別又はログイン情報を入力するように促されることがあり、それにより、システムが、自動的にユーザのアカウントにアクセスし、そのアカウントに同期させるか情報を投稿することがある。また、ユーザは、不特定多数の人々が情報を利用できるようにするかどうか、友人又はユーザのグループの選択、同期されるのが全てのデータか特定のタイプのデータだけかどうか（例えば、カロリー、走行距離、経路など）などを示す公表又は同期オプションを入力するように促されることがある。
【００６４】
ユーザが、データを公表も同期もしたくない場合、又はユーザが、ブロック８７０で、同期／公開情報の投稿を完了した後、システムは、ブロック８７５で、トレーニングが行われる環境をユーザが定義することを可能にする。例えば、ユーザは、屋外トレーニング又は屋内トレーニングのいずれを選択してもよい。幾つかの構成で、ユーザは、特定の位置又は機器のタイプを選択してもよい。例えば、ユーザは、トレッドミル上で走りたいか又はエリプティカルマシンを使用したいことを示してもよい。定義された環境によって、システムは、ブロック８２０及び８２５に関して述べたように、トレーニングの結果を検出するのに適した装置及びセンサを識別選択し、開始してもよい。幾つかの構成において、場所又は環境を選択することにより、装置は、その特定の環境に合わせてセンサ及び装置をより正確に修正することができる。様々なトレーニング、トレーニングタイプ及びトレーニング環境のために、異なる組の修正データが記憶されてもよい。
【００６５】
このプロセスでは、オプションを設定する他の運動活動セッションが提供されてもよい。例えば、設定によって、アスリートがパフォーマンス情報をソーシャルネットワーキングサイト又はニュースフィードに投稿するかどうか、データを運動活動作業監視サービスなどに同期又は送信するかどうかを指定することができる。
【００６６】
図９は、ユーザがトレーニングを定義し開始することがある別の例のプロセスフローを示す。図９のプロセスフローは、図８に示したものと類似しているが、追加のオプション及び特徴を含む。例えば、図９のプロセスフローは、ブロック９０１〜９０５で改善する過去の走行をユーザが選択することを可能にする改善オプションを含むことがある。システムは、ユーザが改善すべきトレーニングパラメータを自動的に選択してもよく、ユーザが、自分が改善したいパラメータを選択してもよい。あるいは、ユーザは、トレーニング中の複数又は全てのパラメータ（例えば、カロリーと距離）に基づいて改善することを選択するか又は期待されてもよい。更に、プロセスフローは、ブロック９０７で、ユーザが、都市雑音（例えば、自動車の警笛／そばを通る自動車、警察サイレン、遊ぶ子どもなど）、田舎の音（例えば、コウロギ、風、家畜鳴き声）などの様々な周囲雑音及び音を重ね合わせることを可能にする音声オプションを含んでもよい。周囲雑音及び音は、都市、場所及び／又は環境のリストと関連して選択するようにユーザに提示されてもよい。例えば、リストは、ニューヨーク、ワシントンＤ．Ｃ．、ボストン、ロサンジェルス及びシカゴなどの都市と、バー、クラブ、駐車場、海岸などの場所を含むことがある。
【００６７】
プロセスフローは、ブロック９０９で、個人のトレーニングを更に改善するために、ユーザがトレーニング中にプロンプトを受け取りたいかどうかを選択できるようにする別のオプションを含んでもよい。例えば、トレーニングの途中まで、システムは、個人が走行時間を更に５分増やしたいかどうか、又は個人が更に５０カロリー消費したいかどうかを尋ねるプロンプトを自動的に生成し表示してもよい。改善又は追加の量は、未修正の目標／トレーニングのパーセンテージ、運動活動計量値の自己最高記録を超えるためにトレーニングを増やす量に対応してもよい。ユーザが、そのようなプロンプト又は通知を受け取りたくない場合は、そのトレーニングのプロンプトは無効化されてもよい。あるいは、ユーザが、プロンプトを受け取るオプションを選択した場合、ユーザは、プロンプトがいつどのような条件で提供されるかを定義することができる。例えば、ユーザは、１時間走行の最後の３０分間に、ユーザの心拍数が特定の値より低いときだけ提供されるように指定してもよい。別の例では、ユーザは、個人が距離目標を超えるペースで、予想ペースより速く走っているときにプロンプトが提供されることを要求してもよい。また、個人のトレーニングパフォーマンスを更に改善しようとするプロンプトのトリガを定義するために、種々の他のタイプのパラメータ及び条件が使用されてもよい。
【００６８】
１以上の構成によれば、ユーザには、２種類の改善トレーニングオプションが提供されてもよい。第１の改善トレーニングオプションは、以前のトレーニングを超える標準改善量（例えば、個人に関係なく５％の改善）に基づいて生成された改善トレーニング選択を提供するように構成されてもよい。第２の改善トレーニングオプションは、ユーザの属性及び／又は過去のトレーニング統計に基づく改善トレーニングを生成するように構成されてもよい。一例を挙げると、第２の改善トレーニングオプションの改善トレーニングに組み込まれる改善量は、ユーザの以前の傾向に基づいて動的に決定されてもよい。別又は追加として、第２の改善トレーニングオプションの改善トレーニングに設定される改善量は、ユーザの体重、身長、性別及び／又はこれらの組み合わせを考慮してもよい。例えば、ユーザの傾向が、指定された時間フレーム（例えば、一か月）にわたってより遅くなるかゆるやかなる進捗を示す場合は、より低い改善量（例えば、１パーセント改善）が設定され、ユーザの傾向が、指定時間フレームにわたってより早い進捗を示す場合は、ユーザの改善トレーニングを生成するためにより高い改善量が使用されてもよい。また、改善走行又はトレーニングの推奨は、特定の推奨経路、トレーニングの推奨時刻又は曜日を含んでもよい。一例を挙げると、推奨は、ＧＰＳなどの位置決定システムによって決定される場所に固有の天気予報に基づいてもよい。
【００６９】
ユーザがトレーニングセッションを容易に設定できるようにするため、種々のタイプのユーザインタフェースが生成されてもよい。例えば、トレーニングタイプ選択及び定義、音声選択などが、図示される。また、ユーザを活動セッション構成により論理的かつ効率的に導くために、一連のユーザインタフェースが定義されてもよい。
【００７０】
図１０Ａ〜図１０Ｇは、個人が最初の走行を始めるときに生成され表示されることがある一連のユーザインタフェースを示す。最初の走行は、以前に記録されたトレーニング履歴のない個人の新しい走行でよい。ユーザが、最初の走行を作成するとき、ユーザは、最初に、図１０Ａの歓迎インタフェース１０００が提示されることがある。インタフェース１０００は、以前の走行の数１００１（例えば、ユーザに以前に記録された走行がないので０）、平均ペース１００３、継続時間１００５、及び燃焼カロリー１００７を含むユーザ及びトレーニング情報を表示してもよい。継続時間１００５と燃焼カロリー１００７の測定値がそれぞれ、行われた全ての走行にわたる全継続時間と全燃焼カロリーでもよく、各走行の平均でもよい。インタフェース１０００は、更に、新しい走行１００９を開始するオプションと、トレーニングアプリケーション１０１１の特徴を巡回するオプションを含む複数のオプションを表示してもよい。追加又は別として、インタフェース１０００は、以前に記録されたトレーニングのリストを表示する履歴オプション１０１３と、設定オプション１０１５とを含む、トレーニングアプリケーションの他の態様にアクセスするオプションを含むことがある。設定オプション１０１５を選択すると、プロファイル設定／編集インタフェースが表示されてもよい。１つの構成において、ユーザに以前の走行履歴がない場合、新しい走行オプション１００９を選択すると、プロファイル設定／編集インタフェースが表示されることがある。
【００７１】
一例を挙げると、走行が以前に記録されてない場合は、履歴インタフェースが空のことがある。図１０Ｇは、保存された走行がないというメッセージ１０５１を表示する履歴インタフェース（例えば、図１０Ａの履歴オプション１０１３を選択すると表示する）を示す。インタフェースは、更に、最初の走行に参加するようにユーザを促す走行設定又は開始オプション１０５３を含んでもよい。
【００７２】
図１０Ｂは、ユーザが様々なトレーニング及びトレーニング記録パラメータを構成するプロファイル設定／編集インタフェース１０２０を示す。例えば、インタフェース１０２０は、ユーザが使用する測定単位を定義し、ユーザの身長、体重及び性別を設定することを可能にする。プロファイル設定／編集インタフェース１０２０は、新規走行セッションを開始するオプション（図１０Ａ参照）及び／又はユーザ選択設定オプション１０１５（図１０Ａ）をユーザが選択したときに表示されることがある。インタフェース１０２０によって、追加又は別パラメータが変更可能でよい。プロファイル設定／編集機能を省略するオプション１０２１がユーザに提供されてもよい。ユーザが、プロファイル設定の完了を選択した場合、ユーザは、オプション１０２３を用いてプロファイル情報を保存してもよい。ユーザは、ホームナビゲーションオプション１００５を選択することによって、ホーム画面１０００（図１０Ａ）などの他のインタフェース及び画面に移動してもよい。
【００７３】
ユーザが、自分のプロファイルを設定し終わった後、又はユーザがプロファイル定義メニューを省略することを選択したとき、図１０Ｃに示したような走行設定インタフェース１０３０がユーザに提示されてもよい。走行インタフェース１０３０は、ユーザが新しい走行のトレーニングパラメータを定義できるように構成されてもよい。例えば、ユーザは、走行タイプ、トレーニング中に再生される音楽、及び場所を定義してもよく、それぞれ、本明細書で更に詳しく説明される。これらのパラメータが定義された後で、ユーザは、オプション１０３１を用いて走行を開始してもよい。
【００７４】
図１０Ｄは、走行中インタフェース１０３５を示し、ここで、現在の走行距離１０３７が、ペース１０３８と、トレーニング１０４０で費やされた時間の長さと共に表示される。また、オーディオコンテンツの再生を制御するオプション１０３８と、再生されるオーディオコンテンツを変更するオプション１０４１、及びトレーニングを終了するオプション１０４３がユーザに提供されてもよい。
【００７５】
図１０Ｅで、インタフェース１０４５は、走行の完了又は終了時にトレーニングサマリを表示した。例えば、サマリインタフェース１０４５は、全走行距離１０５１、ペース１０５２、走行時間１０５３、及び燃焼カロリー１０５５を含む。インタフェース１０４５は、更に、ＧＰＳ装置を用いて走行が記録された場合にユーザが走った経路を表示する表示オプション１０５４を表示してもよい。他のオプションは、走行にユーザの感情又は精神状態（例えば、気分）をタグ付けするオプション１０５６と、運動活動サービス提供者サイトを訪れるオプション１０５７とを含んでもよい。タグ付けは、活動データの１以上のパラメータ又は計量値と関連したメタデータ、属性又は他のタイプの情報を記憶することを伴ってもよい。トレーニング中に使用される運動機器（例えば、靴）を識別するタグ、及びトレーニング中の天候を指定するタグを含む、その他又は追加のタグが使用されてもよい。使用される運動機器をトレーニングにタグ付けすることによって、システムは、運動機器の摩耗を監視し、摩耗又はユーザのしきい値量（例えば、運動機器を用いて行なわれる運動活動の量）に達したときの交換を推奨してもよい。一例を挙げると、磨耗又は行なわれたユーザ／運動活動の量は、走行距離によって測定されてもよく、運動機器が、靴を含んでもよい。他の例では、行なわれた運動活動の量は、燃焼カロリー及び／又はペースに基づいて決定されてもよい。運動機器をタグ付けすることにより、製品が使用される方法と場所の洞察（例えば、追跡）、予想される製品の寿命、人気（例えば、様々なスポーツに固有）などが提供され得る。したがって、運動活動監視サービス又は製品提供者は、この情報を用いて、製品をより適切に標的を定め、開発しかつ／又は改善することができる。運動活動サービス提供者サイトを訪問することにより、ユーザは、そのユーザ向けのサービス提供者によって収集された追加のトレーニング情報を表示することができる。これにより、モバイル装置は、トレーニングデータをサービス提供者サイトに記憶する代わりに、モバイル装置で必要な記憶量を最小化してもよい。
【００７６】
ユーザが自分の最初の走行を完了した後、図１０Ｆのインタフェース１０７０などの履歴インタフェースは、最初の走行に対応するエントリ１０７５を含んでもよい。トレーニングエントリ１０７５は、走行距離などの１以上のトレーニング統計によってインタフェース１０７０内で識別されてもよい。追加又は別として、エントリ１０７５に特定のタイプの情報が利用できることを示すために、エントリ１０７５と関連して、アイコン１０７３などの様々なアイコン又はタグが表示されてもよい。例えば、アイコン１０７３は、そのトレーニングのＧＰＳ経路が記録されたことを示す。エントリ１０７５を選択することにより、ユーザは、記録されたＧＰＳ経路をトレーニングの他の詳細（例えば、燃焼カロリー、トレーニング継続時間、トレーニング後のユーザの気持ち）と共に表示することができる。
【００７７】
追加又は別として、図１０Ａのインタフェース１０００などの歓迎又はホームインタフェースは、更に、ユーザのトレーニングのフィードバックを有効化又は無効化する機能をユーザに提供するフィードバックオプションを含んでもよい。フィードバックは、オーディオ、ビデオ又は触覚フィードバックを含んでもよく、他のアスリート、友人、有名人、家族、サービス提供者（例えば、運動訓練及び監視サービス）などで作成されたものでもよい。幾つかの例では、フィードバックは、ユーザが特定の目標を達成するか又は指定されたしきい値に達したときに、トレーニング中に提供されるように構成されたオーディオ、ビデオ又は触覚コンテンツを含んでもよい。フィードバックは、ユーザが特定の目標を達成するかしきい値に達した場合、トレーニング後に提供されてもよい。他の例では、フィードバックは、ＦＡＣＥＢＯＯＫやＴＷＩＴＴＥＲなどのソーシャルネットワーキングアウトレットを介して他者から受け取ったいくつのコメントなどの他のトリガリングイベントに基づいて提供されてもよい。また、フィードバックオプションは、ユーザが、トレーニング中に欲しいフィードバックのソースと欲しくないフィードバックのソースを選択することを可能にする様々な粒度レベルを含んでもよい。追加のフィードバックオプションは、トレーニング中に再生されるオーディオが、フィードバック中に一時停止されるかどうかを含んでもよい。
【００７８】
フィードバックは、祝福、激励、又はモチベーションでよい。例えば、ユーザが特定の目標を達成した場合、フィードバックメッセージは、祝福でよい。幾つかの例では、ユーザが目標を達成するのが難しい場合、メッセージは、モチベーションか激励でよい。フィードバックは、また、改善の提案を含むことがある。したがって、ユーザに提供されるメッセージのタイプは、ユーザのトレーニングの結果又は現在状態に依存してもよい。監視装置又はシステムは、トレーニング結果又は状態により適切なタイプのメッセージを自動的に選択するように構成されてもよい。
【００７９】
１以上の例で、トレーニングの設定は、所望のコーチングの追加又は定義を含むことがある。コーチングは、教育的で、厳しく管理され、構造化され、トレーニング前、トレーニング中又はトレーニング後に提供されるように意図された一種のフィードバックを表してもよく、イベント固有及び／又はユーザ固有でよい。例えば、コーチングは、ユーザがトレーニングイベントのタイプとしてマラソンを選択した場合にマラソンに固有の指示を提供する。別の例では、コーチングは、インターバル・トレーニングのための固有の指示（例えば、走る、第１のペースに減速する、第２のペースに加速する、クールダウンする、ウォームアップする等）を提供してもよい。インターバルは、身長、体重、性別、トレーニング履歴などを含むユーザ属性に基づいて定義されてもよい。したがって、指示は、ユーザがとるユーザ固有のインターバルや他のイベント固有の動作に基づいて、時間的又は距離的に合図されてもよい。適切なコーチング（例えば、指示）は、所望の走行タイプ、距離、ペースなどの選択を含むことがある所望の走行をユーザが定義するときに選択されてもよい。コーチングは、更に、トレーニング前、トレーニング中及び／又はトレーニング後にユーザに与えられるヒント又は助言を含んでもよく、また音声、視覚及び／又は触覚で提供されてもよい。例えば、指示は、振動、視覚的表示器若しくはオーディオトーン、又は音声指示を用いて示されてもよい。
【００８０】
コーチングは、また、特定の位置所又は時刻に固有でもよい。例えば、コーチングは、所定の位置がより著しい坂道特徴を有する場合（例えば、サンフランシスコ）の斜面走行を改善するための推奨を含むことがある。別の例では、コーチングは、代謝サイクル、ユーザの好み、食事時間などにより、１日の早い時間又は遅い時間には、あまり激しくないトレーニングをするように推奨してもよい。更に別の例において、コーチングは、様々なタイプの地形及び／又は様々なタイプの天候でどれだけ速く走るべきかどうか（例えば、ペース）についての推奨を提供してもよい。
【００８１】
ユーザが、最初の走行を完了した後で、アプリケーションは、記録されたトレーニング履歴を反映する様々なユーザインタフェースを提供してもよい。例えば、図１１Ａ〜図１１Ｆは、ユーザが最初の走行を完了し記録した後で生成・表示されることがある一連のインタフェースを示す。図１１Ａは、後の走行又はトレーニングのために表示されることがあるホームインタフェース１１００を示す。ツアーオプション（例えば、図１０Ａの１０１１）を表示する代わりに、ホームインタフェース１１００は、以前のトレーニングを改善するトレーニングをユーザが行なうことを可能にするオプション１１０１を表示してもよい。以前のトレーニングは、ユーザによって選択されてもよく、自動的に選択されてもよい。一例では、選択された以前のトレーニングは、最近記録されたトレーニングでよい。更に、図１０Ａのインタフェース１０００に表示されたような一般的な画像と対照的に、記録された全てのトレーニングの総距離１１０３や他の計量値が、インタフェース１１００に表示されてもよい。
【００８２】
図１１Ｂは、ユーザによって選択されることがある様々な異なるトレーニング１１１１又はトレーニングタイプを表示するインタフェース１１１０を示す。トレーニング１１１１はそれぞれ、以前のトレーニングを所定の量だけ改善する目標を設定することにより生成されてもよい。例えば、インタフェース１１１０に、トレーニング１１１１が、以前のトレーニングの１以上のパラメータを５％か他の割合又は所定の量だけ増やすことによって自動的に生成される。これにより、ユーザは、自分をより遠く、より長く、又はより速く走らせることができる。１以上の構成において、ユーザは、提案されたトレーニング１１１１を定義するために以前のトレーニングの結果を増やす量を選択してもよい。提案されたトレーニング１１１１はそれぞれ、以前のトレーニング１１１３の記録された計量値を、現在のトレーニングの提案又は目標計量値１１１５と共に表示してもよい。これにより、ユーザは、提案されたトレーニング１１１１のそれぞれを選択する際に自分が達成する改善の量を決定することができる。
【００８３】
図１１Ｃのインタフェース１１２０によって改善トレーニングを選択する代わりに、ユーザは、以前のトレーニングに基づかない走行を定義することを選択してもよい。図１０Ｃのインタフェース１０３０と同様、インタフェース１１２０は、ユーザが、走行タイプ、トレーニング中に再生されるオーディオコンテンツ、及び位置を含む走行の各種パラメータを定義できるようにしてもよい。
【００８４】
１以上の構成でユーザが改善走行を完了した場合、トレーニングサマリは、付加情報を含むことがある。例えば、図１１Ｄのサマリインタフェース１１３０は、改善走行の完了をユーザに祝福するメダルや他のインジケータ／メッセージ１１３１を含む。オーディオアイコン１１３３は、ユーザがオーディオメッセージを入手可能であるという指示を提供することがある。例えば、オーディオメッセージは、激励の言葉（例えば、有名人、友人、又はジェネラルボイスから）を含むことがある。応援又は祝福メッセージについては、後で更に詳しく述べる。アイコン１１３３を選択すると、メッセージが再生されてもよい。また、インジケータ／メッセージ１１３１は、５０回のトレーニングの実行、全部で１００マイルの走行（例えば、以前の全てのトレーニングにわたる）、１セッションで１０マイルの走行、１セッションで２６．２マイルの走行、単一セッションで３０分間の走行、全てのセッションで１００時間の走行など、他の所定の目標を達成したときに表示されてもよい。功績、目標及び報酬が、ユーザによって、運動トレーニング及び／又は監視サービス提供者によって定義されてもよく、友人、家族及び知人によって定義されてもよい。例えば、ユーザが５日で１０マイル走った場合に、友人がユーザにクーポンを提供してもよい。
【００８５】
図１１Ｅは、複数のそれまで記録されたトレーニングのリストを含む別の例の履歴インタフェース１１４０を示す。リスト内の各エントリ１１４１は、走行タイプラベル１１５１によって識別されてもよい。例えば、走行タイプラベル１１５１は、走行が、時間走行、改善走行、距離走行及び／又は基本走行であることを示してもよい。経路インジケータ１１４３に加えて、リスト１１４１は、対応するトレーニングの様々な属性を示すことがある各エントリの付加インジケータを含んでもよい。例えば、アイコン１１４５などの顔アイコンが、トレーニングに関して気分情報がタグ付けされたことを示すことがある。更に、道路アイコン１１４７は、トレーニングが屋外で行なわれたことを示してもよく、メダルアイコン１１４９は、トレーニング中に功績が達成されたことを示すことがある。また、トレーニング中に使用される運動機器のタイプを識別する運動機器インジケータと、トレーニング中の天候を示す天候アイコンとを含む他のインジケータが使用されてもよい。履歴インタフェース１１４０は、装置に記憶された全てのトレーニングのリストを表示し、又は幾つかの例では、最近に記録されたトレーニングの所定数だけを表示してもよい。
【００８６】
図１２Ａと図１２Ｂは、生成され表示されることがある他の例のホーム画面インタフェースを示す。
【００８７】
走行前、走行中、又は走行後にユーザに提供されるメッセージは、ユーザ運動活動レベルに基づいて選択されてもよい。したがって、ユーザが、所定の時間フレームにわたって高レベルの運動活動を行う場合は（例えば、指定しきい値を超える平均ペースでの走行又は特定しきい値を超える平均距離の走行）、ユーザは、第１の運動活動レベルで分類されてもよい。ユーザが、中レベル（例えば、平均ペース又は平均距離の２つのしきい値の間）の活動を行う場合、ユーザは、第２の運動活動レベルに分類されてもよい。ユーザが、低レベル（例えば、指定しきい値より低い）の活動を行う場合、ユーザは、第３の運動活動レベルで分類されてもよい。追加又は別として、活動レベルは、要求又は必要に応じて定義されてもよい。次に、ユーザの運動活動レベル分類に基づいて、メッセージ、ヒント、情報、コーチング、助言などが選択されてもよい。例えば、ユーザが、低範囲レベルの活動レベルに分類された場合、より教育的なメッセージが、ユーザに提供されてもよい。更に、装置は、ユーザに推奨する製品に固有でもよい。
【００８８】
他方、ユーザが、高範囲レベルの活動に分類された場合、ユーザは、低活動レベルユーザほど多くの指示又は十分な数の指示が提供されない可能性がある。例えば、磨耗警告（例えば、製品推奨のない）が、高活動レベルユーザに提供され、特定の製品推奨及び磨耗製品の危険を説明する情報を含む摩耗警告が、低活動レベルユーザに提供されることがある。中範囲活動レベルユーザは、高活動レベルユーザに提供される情報と低活動レベルユーザに提供される情報の間のレベルの情報が提供されることがある。一例では、製品推奨を含む摩耗警告が、説明情報なしに中活動レベルユーザに提供されてもよい。
【００８９】
メッセージは、また、ユーザの活動レベルにより、音質、言葉遣い、期待などが異なることがある。例えば、高活動レベルユーザは、指定された目標を達成するか設定された目標を超えることを強く促すメッセージを受け取ることがある。低活動レベルユーザの場合、メッセージは、挑発的ではなく激励的でよい。例えば、メッセージは、ユーザが、指定された目標に達しないと予測されたときでも、激励の言葉を提供することがある。別の例では、メッセージは、ユーザが達する可能性のある次の活動レベルと、前記次のレベルに達するのに必要な運動活動量を識別することがある。したがって、そのようなメッセージは、活動レベルとユーザに固有でよい。メッセージにおける他のタイプの違いが、様々なユーザ活動レベルに基づいて適用されることがある。
【００９０】
＜走行の定義−走行タイプの選択＞
図１０Ｃに示されたように、走行設定インタフェースは、ユーザが走行タイプを定義できるようにしてもよい。例えば、ユーザは、目的が特定の距離に達することである距離走行、目標がある特定時間走行することである時間走行、及び／又は目的が設定されない基本走行を行いたいことがある。ユーザが、少なくとも最初の走行を完了し記録した場合、ユーザは、目的が以前のトレーニングからの少なくとも１つの計量値を改善する改善走行タイプを選択してもよい。この後者のオプションは、以前の走行が完了され記録された場合だけ利用でき表示されることがある。
【００９１】
図１３Ａと図１３Ｂはそれぞれ、ユーザに以前の走行履歴がないときに表示する走行タイプ選択インタフェース１３５０と、ユーザに記録された走行履歴があるときに表示されることがある走行タイプ選択インタフェース１３００とを示す。インタフェース１３００及び１３５０は、図１３Ｂのインタフェース１３５０に「Ｄｏ  Ｍｏｒｅ」即ち改善走行オプション１３５３を含む以外は似ていることがある。現在選択されている走行タイプは、チェックマーク１３０３などのインジケータによって識別されてもよい。
【００９２】
図１４Ａ〜図１４Ｇは、時間走行を定義するための一連のユーザインタフェースを示す。図１４Ａで、ユーザは、時間オプションを選択した。これに応じて、時間走行タイプが、他の利用可能な走行タイプと異なるように表示されてもよい。その後で、図１４Ｂの時間選択インタフェース１４００がユーザに提示されることがある。時間選択インタフェース１４００は、多くの所定時間（例えば、５分、１５分、３０分、４５分、６０分）及びカスタム時間オプションを含むことがある。現在選択されている時間（例えば、３０分）が、選択マーク１４０３によって識別されてもよい。ユーザが時間を選択した後で、ユーザは、走行タイプ選択インタフェースに戻され、そこで選択した走行時間が、時間走行タイプオプションと関連して表示されてもよい。図１４Ｃは、（例えば、図１４Ｂのインタフェース１４００によって）ユーザが時間走行タイプを選択し、対応する時間長を選択したときに表示される走行タイプインタフェース１４３０を示す。
【００９３】
図１４Ｄは、ユーザがカスタム時間オプションを選択するインタフェース１４４０を示す。図１４Ｅで、ユーザが走行時間の長さを手動で定義してもよいインタフェース１４５０がユーザに提示されることがある。例えば、ユーザが時間数と分数をそれぞれ定義できるスクロールホイール１４５３及び１４５５が提供されてもよい。現在選択されている時間は、部分１４５７に表示されてもよい。図１４Ｃと同じように、図１４Ｆは、選択した時間が選択した走行タイプと関連して表示されるインタフェース１４６０などのインタフェースを表示してもよい。別の例では、図１４Ｇは、走行タイプを３０分走行として示す走行設定メインメニューを示す。「３０分」タグの付いた走行を識別することによって、アプリケーションと装置は、ユーザに、現在定義されている走行タイプが時間走行であり、現在の時間設定が３０分であることを示すことがある。
【００９４】
図１５Ａ〜図１５Ｆは、ユーザが距離走行タイプを選択したときに表示される一連のユーザインタフェースを示す。時間選択と同様に、ユーザは、図１５Ａのインタフェース１５１０で距離オプションを選択してもよく、次に、図１５Ｂのインタフェース１５２０で走行距離オプションのリストが提示されてもよい。例えば、リストは、１Ｋ走行、５マイル走行、５Ｋ走行、１０Ｋ走行、ハーフマラソン、マラソン、及びカスタム距離を含むことがある。５Ｋ走行などの所定の距離のうちの１つを選択することによって、５Ｋの所定の距離が選択インジケータに含まれることがある。あるいは、図１５Ｃと図１５Ｄに示されるように、ユーザは、図１５Ｃのインタフェース１５３０のカスタム距離を選択し、その後で、図１５Ｄのインタフェース１５４０でカスタム距離を手動で定義してもよい。距離が定義された後で、ユーザは、図１５Ｅと図１５Ｆに示されたように、距離オプションが選択インジケータと共に表示される走行タイプ選択インタフェースに戻ることがある。選択された距離は、走行距離タイプオプションに関連して表示されてもよい。例えば、図１５Ｅのインタフェース１５５０で、走行距離タイプオプションに「５Ｋ」が表示され、走行の目的として距離５Ｋが定義されたことを示してもよい。別の例では、図１５Ｆは、４．２５マイルなどのカスタム走行距離を表示するインタフェース１５６０を示す。
【００９５】
ユーザは、走行タイプ及び走行タイプ設定が適正であることを確認し、オプション１５６３を用いて主設定インタフェースに戻ってもよい。主走行設定メニューに戻り、ユーザは、現在定義されている走行パラメータを表示させてもよい。例えば、図１５Ｇは、走行タイプパラメータを有する１２．３マイルの距離を表示するインタフェース１５７０を示す。マイル数の指示は、時間と対照的に、走行が時間走行ではなく距離走行であることを示してもよい。
【００９６】
図１６Ａ〜図１６Ｆは、ユーザが改善走行タイプを選択するときに生成・表示されることがある一連のユーザインタフェースを示す。図１６Ａの図１６００に示されたように、「Ｄｏ  Ｍｏｒｅ」即ち改善走行タイプは、ユーザが改善走行タイプを選択したときに代替状態（時間タイプ、基本走行タイプ、距離走行タイプと比較して）で表示されてもよい。図１６Ｂと図１６Ｃは、改善オプションリスト作成選択インタフェース１６０５の部分１６１０及び１６２０を示す。例えば、部分１６１０で、ユーザは、前回走行オプション（例えば、以前の走行の１以上の統計を超える）、最遠走行、最長継続時間走行、及び最高速１Ｋ走行から選択してもよい。部分１６２０には、最高速１０Ｋ走行、最高速ハーフマラソン、最高速マラソン、及び履歴選択オプションが含まれてもよい。改善走行の目的は、以前の走行（例えば、最長走行、最遠走行、又は最高速１Ｋ走行）を所定量だけ超えるように自動的に定義されてもよい。一例では、目的としては、以前のトレーニングを５％超えることでもよい。改善量は、図１６Ｂの部分１６０７に示されてもよい。改善量は、例えば、ユーザによって定義されてもよく、装置又はアプリケーションによって自動的に設定されてもよく、運動活動監視サービス提供者などによって定義されてもよい。
【００９７】
例えば図１６Ｃの部分１６２０から履歴オプションが選択された場合、ユーザには、記録された走行のリストが提示されてもよい。図１６Ｄは、記録された以前の走行のリストを表示する履歴インタフェース１６３０を示す。次に、ユーザは、以前に記録された走行のうち改善する走行を選択してもよい。例えば、ユーザは、以前の１４．７マイル走行を５％改善するように決定してもよい。以前に記録された１４．７マイル走行を選択すると、図１６Ｅのインタフェース１６４０がユーザに提示されてもよく、改善すべき１４．７マイルで記録された統計又は計量値をユーザが選択してもよい。システムとアプリケーションは、改善量が追加された目的を自動的に計算してもよい。例えば、ユーザは、より遠くに走行し、より長時間走行し、より速いペースで走行するオプションを選択してもよい。
【００９８】
所望の改善が選択され定義された後、ユーザは、図１６Ｆのインタフェース１６５０など、選択された目的が走行タイプと関連して表示される走行設定メニューに戻されることがある。
【００９９】
１以上の構成で、所望のタイプの走行が定義された後、装置は、更に、定義された走行パラメータに基づいてコーチングを生成してもよい。一例を挙げると、コーチングは、意図された走行が長い場合（例えば、１０マイル）の方が、走行が短い距離の場合（例えば、３マイル）よりも長時間ウォームアップするようにユーザに助言してもよい。別又は追加として、様々なウォームアップ活動が、所望のペース又は距離により推奨されてもよい。コーチングは、アスリート又は有名人からの音声として提供されてもよい。特定の例において、ユーザは、有名人又は周知のコーチを選択してもよい。それぞれのコーチは、様々なレベルのトレーニング難度と強度に対応してもよい。例えば、１つのコーチは、定義した目標を１０％超えるようにユーザに促してもよい（例えば、トレーニング中にユーザを平均ペースより速く走らせるように合図することによって）。他のコーチは、定義した目標を３０％超えるようにユーザに促してもよい（例えば、トレーニング中に平均ペースの数倍長い時間走るように合図することにより）。幾つかのコーチは、様々なタイプのトレーニングに対応してもよい。例えば、コーチは、インターバル・トレーニングを好むことがあり、別のコーチは、より長く遅い走行よりも短距離走を好むことがある。
【０１００】
更に、ユーザに提供されるヒントと助言が、運動機器、サービス及び他の製品の推奨を含んでもよい。例えば、ユーザが新しいトレーニングを予定していることを決定した後で、ユーザの現在の靴が、しきい値摩耗状態に達している場合は、装置は、新しい靴の購入を推奨してもよい。装置は、また、圧縮靴下、脚絆、Ｔ−シャツ、シャツ、パンツなどの様々なタイプの服、風が強い地域ではウィンドブレーカ、寒い場所では防寒用下着、暑い気候ではヘッドバンド又はスエットバンドなどを推奨してもよい。１以上の態様によれば、製品推奨は、以前のトレーニングのユーザ記述に基づいて生成されてもよい。例えば、トレーニングで疲労したことをユーザが示した場合、装置は、次のトレーニングを始める前にスポーツドリンクを購入することを推奨してもよい。別の例では、以前のトレーニングで指定された天候又は地形が、推奨製品のタイプに影響を与えてもよい。例えば、あるタイプの靴が、道路走行用に推奨されてもよく、別のタイプの靴が、トラック走行に推奨されてもよい。更に別の例では、暖かい気候には水分吸収性の服が推奨されてもよく、寒い気候には保温性の服が推奨されてもよい。
【０１０１】
本明細書に記載された態様と関連して、様々な他のタイプの推奨及び推奨要素が使用されてもよい。例えば、推奨製品は、デジタル関連でもサービス関連でもよい。詳細には、装置は、ユーザが、経路の地理的マップに関連した走行の様々な属性をうまく視覚化できるように、走行完了時に経路マッピングアプリケーション又はサービスを訪問することを推奨してもよい。別の例では、コーチングや他のタイプのヒント及び情報は、場所固有の装置でもよい。ユーザが特定の経路に乗り出そうとしていることをモバイル装置が検出した場合、装置は、その経路に沿った様々な地形に関するアドバイスを与えてもよい。特定の例において、装置は、地形、天候、傾斜、標高などを含む場所固有の情報又は属性に応じて、コーチング（例えば、走る速さ、より遅く又は速く走る場所、経路の特定部分において費やすエネルギーの量）を提供してもよい。場所は、本明細書に記載されたように、ＧＰＳ装置を使用するか、又は座標、郵便番号、市外局番、都市名及び／又はこれらの組み合わせを用いて場所を手動で識別することによって、検出されてもよい。他のタイプの場所情報は、特定領域（国内地域、世界、特定経路、都市、州、郵便番号、市外局番など）内で走行するユーザを数を含んでもよい。また、場所固有の情報は、トレーニング中にユーザがその場所の所定の距離内に達するか入ったときに提供されてもよい。
【０１０２】
＜走行の定義−トレーニングオーディオ及び環境選択＞
走行タイプの選択と関連して、ユーザは、トレーニング中に再生されるオーディオコンテンツを選択してもよい。ユーザは、トレーニング中に何もオーディオコンテンツを再生させないように決定してもよい。図１７は、ユーザがインタフェース１７００から音楽オプションを選択することを示す。音楽オプションは、現在選択されているオーディオオプションの表示を含でもよい。例えば、オーディオコンテンツが選択されていない場合、選択ボタン内に単語「None（なし）」が表示されてもよい。あるいは、選択された再生リスト名又は選択アルゴリズム／パラメータ（例えば、ランダム、音楽カテゴリ）が表示されてもよい。
【０１０３】
図１８Ａ〜図１８Ｅは、オーディオコンテンツ定義オプションの選択時に生成され表示されることがある一連のオーディオコンテンツ選択インタフェースを示す。例えば、図１８Ａで、インタフェース１８００は、再生リスト選択オプション、シャッフルオプション、再生中オプション、再生オプションなしを含む複数の所定のオーディオコンテンツオプションを含むことがある。シャッフルオプションは、ユーザが全ての利用可能な歌から歌をランダムに選択することを可能にすることがある。幾つかの構成では、シャッフルオプションは、オーディオコンテンツをランダム順に（例えば、必ずしもオーディオコンテンツが全ての利用可能な歌のデータベースに記憶又はリストされた順序に従わずに）再生してもよい。再生中オプションを選択すると、現在の再生リスト又はオーディオコンテンツカテゴリ、アーティスト、アルバムなどが選択されることがある。オーディオが現在再生されていない場合、再生中オプションは、最近再生又は選択されたオーディオコンテンツを選択してもよい。図１８Ｂは、再生中オプションのユーザの選択が、曲選択オプションに反映される走行設定インタフェース１８１０を示す。
【０１０４】
他方、ユーザが、再生リストオプションを選択する場合（図１８Ｃに示されたような）、ユーザに再生リスト選択インタフェースが提示されてもよい。図１８Ｄは、例示的な再生リスト選択インタフェース（即ち、インタフェース１８３０）を示し、そこで、ユーザは、新しい再生リストを作成し、お気に入り走行ミックス再生リスト、購入した全ての音楽を含む再生リスト、及び再生頻度が上位２５のオーディオアイテムを含む再生リストを選択してもよい。お気に入り走行ミックス再生リストは、トレーニング中にオーディオコンテンツ又はオーディオコンテンツ再生リストが再生された頻度に基づいて、装置によって自動的に生成されてもよい。したがって、お気に入り走行ミックス再生リストは、上位２５最多再生がトレーニング又は非トレーニング時間中の総度数に基づいて決定されることがあるので、上位２５最多再生オーディオアイテムと異なってもよく、お気に入り走行ミックス再生リストは、トレーニング中に再生されたオーディオコンテンツにのみに基づいて生成されてもよい。
【０１０５】
再生リスト生成オプションを選択することによって、図１８Ｅの歌選択インタフェース１８４０でオーディオコンテンツリスト１８４１がユーザに提示されてもよい。ユーザは、オプション１８４３を用いて、オーディオコンテンツアイテムのリストをソートしてもよい。例えば、ユーザは、リストを再生リストメンバーシップ、アーティスト、歌、及びビデオでソート又は表示してもよい。ユーザは、リストからそれぞれ所望のアイテムを選択することによって、オーディオコンテンツアイテムをリストに追加してもよい。追加／除去インジケータ１８４５は、対応するオーディオコンテンツアイテムが、作成している再生リストに現在あるかどうかにより、見掛けが変化してもよい。例えば、オーディオコンテンツアイテムが、再生リストにない場合、インジケータ１８４５は、プラス記号として表示されてもよく、オーディオコンテンツが再生リストにある場合は、インジケータ１８４５は、マイナス記号として表示されてもよい。ユーザが、オーディオコンテンツを再生リストに追加し終わった後で、ユーザは、オプション１８４７を選択して走行設定を続けてもよい。あるいは、ユーザは、キャンセルオプション１８４９を選択することによって再生リスト作成をキャンセルしてもよい。１以上の構成において、オーディオコンテンツは、オーディオコンテンツアイテムにおいて、ユーザの以前のトレーニングパフォーマンスに基づいて、ユーザに提案又は推奨されてもよい。例えば、ユーザが、特定のオーディオコンテンツアイテム中に平均を超えるペースで走るか、平均を超える距離を走った場合、装置は、オーディオコンテンツアイテムが再生リストに追加されることを提案してもよい。同じプロセスを用いて提案再生リストを自動的に生成してもよい。例えば、再生リストは、ユーザが、最良トレーニングパフォーマンス（例えば、燃焼カロリー、距離、ペース及び／又はこれらの組み合わせなどの特定の統計又は計量値によって定義されたような）を示した際に、２５曲、３０曲、４０曲、５０曲又は他の数の歌を選択することによって生成されてもよい。
【０１０６】
１以上の構成によれば、モバイル装置及びトレーニング監視アプリケーションは、トレーニングの継続時間に基づいてオーディオを選択しかつ／又は提案してもよい。トレーニングの継続時間は、同じ長さ又はタイプの以前のトレーニングに基づいて、ユーザによって定義されてもよく近似／推定されてもよい。例えば、ユーザが、それまで４５分で５マイル走った場合、モバイル装置又はトレーニングアプリケーションは、その後の５マイルの走行トレーニングの継続時間を見積もってもよい。継続時間が決定された後で、モバイル装置又はアプリケーションは、予想継続時間に基づいて、その後のトレーニングのための音楽、オーディオブック、お笑い番組、インターネットラジオなどの１以上のオーディオコンテンツアイテムを後で選択してもよい。したがって、上記の例で、モバイル装置は、走行の４５分の継続時間と一致するコンテンツを選択してもよい。幾つかの構成で、モバイル装置は、各コンテンツ選択間に所定の間隔（例えば、１秒、２秒、３秒、５秒、１０秒など）を追加してもよい。間隔は、オーディオコンテンツの全継続時間の計算に含まれてもよい。ビデオコンテンツ又は、ビデオ及びオーディオコンテンツの混合物が、類似の方式で選択されてもよい。
【０１０７】
ユーザは、提案された再生リストを受け入れても拒否してもよく、必要に応じて再生リストを編集してもよい。再生リストは、全継続時間の指示と共に表示されてもよい（コンテンツアイテムの間に挿入された間隔がある場合及び／又はない場合）。それにより、ユーザが再生リストを修正しているとき、継続時間は、実時間で更新されてもよい。更に、コンテンツ継続時間は、目視比較を容易にするためにトレーニングの継続時間に対して表示されてもよい。例えば、トレーニング継続時間が、第１のバーとして表示されてもよく、コンテンツ継続時間が、第１のバーと重なる第２のバーとして表示されてよい。他の視覚的表現が、使用されてもよい（例えば、円グラフ）。
【０１０８】
曲選択と走行タイプ定義に加えて、ユーザは、更に、トレーニングの場所を定義してもよい。図１９Ａ〜図１９Ｃは、一連の場所定義インタフェースを示す。ユーザが場所設定オプションを選択するとき、図１９Ｂのインタフェース１９００に複数の利用できる所定の位置１９０１がユーザに提示されてもよい。場所１９０１は、屋外環境と屋内トレーニング環境を含むことがある。他の場所と場所のタイプは、都市、ランドマーク、及び他のカテゴリの場所（例えば、駐車場）などとして定義されてもよい。本明細書に示したように、特定の場所又は場所タイプの選択は、運動活動監視に使用されることがあるセンサ又は装置のタイプに影響を及ぼすことがある。追加又は別として、運動活動を測定するために使用されるアルゴリズムは、選択された場所によって影響を受けることがある。
【０１０９】
図２０Ａ〜図２０Ｚと図２１Ａ〜図２１Ｄは、走行を設定するために表示される追加の例示的なインタフェースを示す。例えば、図２０Ｎは、ユーザが以前の走行を（例えば、同じ目的、経路、機器、音楽と共に）繰り返し可能なインタフェースを示す。図２０Ｐ、図２０Ｑ、図２０Ｓ、及び図２０Ｔは、ユーザが改善走行のための目的を手動で定義することがある例示的なユーザインタフェースを示す。ユーザは、ユーザが走行のために達成したいペースを修正してもよい。インタフェースは、選択したペースによって反映される改善の量の指示を提供してもよい。例えば、８：００／マイルは、８：１５／マイルの最高速ペースより３％改善を表わすことがある。別の例では、３．５マイルは、３．２マイルの以前の最も遠い走行の１０％改善を表わすことがある。更に別の例では、１６マイルの目標の設定は、１４．７マイルの以前の最の遠い走行の９％改善を表わすことがある。
【０１１０】
図２０Ｘと図２０Ｙは、ユーザが経路走行を選択したときに表示されることがあるインタフェースを示す。経路走行は、ユーザが特定経路を選択したい走行を含むことがある。経路は、図２０Ｙに示されたように、経路の以前の走行時間や経路の距離などの対応する経路情報と共にリストされてもよい。走行時間は、経路のために達成された最速時間に対応してもよく、達成された最新時間に対応してもよい。他の経路情報は、経路に使用される運動機器の識別、経路の平均、最低及び／又は最高ペース、経路を走ったユーザの数などを含んでもよい。
【０１１１】
＜走行中＞
図２２Ａ〜図２２Ｄは、ユーザのトレーニング中にユーザに表示されることがある様々な例示的インタフェースを示す。図２２Ａと図２２Ｂは、例えば、ランドスケープモードの走行中インタフェースを示し、図２２Ｃと図２２Ｄは、プロファイルモードの走行中インタフェースを示す。図２２Ａと図２２Ｃにおいて、インタフェース２２００は、現在のトレーニング進捗状況２２０３（例えば、距離、時間、及びペース）を表示し、再生されている現在のオーディオコンテンツ２２０５、及びオーディオコンテンツが一時停止されている走行タイプ２２０７を表示する。インタフェース２２００は、更に、再生オプション２２０９（例えば、オーディオコンテンツの再生を再開又は開始する）を含むことがある。オーディオが一時停止されている間、インタフェース２２００は、それぞれ音楽を変更するかトレーニングを終了するオプション２２１１及び２２１３を提供してもよい。２２００は、更に、ＧＰＳ情報／データがいつ入手可能かを識別するＧＰＳインジケータ２２１５や、（例えば、間違った入力を防ぐために）装置の入力がロックされているかどうかを示すロックインジケータ２２１７などの、追加のインジケータを提供してもよい。１以上の構成で、インタフェース２２００の１以上の視覚要素の背景色や他の視覚的外観特徴が、現在のペース、距離、目標への進捗状況などにより変化してもよい。一例を挙げると、色や他の視覚的特徴が、ユーザが目標を上回ることが予想される場合、ユーザが目標を達成しつつある場合、及び／又はユーザが目標に足りないと予想される場合に、応じて変化してもよい。例えば、緑の背景は、ユーザが目標を所定の量だけ上回ると予想されることを示し、黄は、ユーザが目標を達成すると予想されることを示してもよい（例えば、目標に達するが目標を指定量だけ上回らない）。赤は、ユーザが目標に足りないと予想されることを示すことがある。
【０１１２】
図２２Ｂと図２２Ｄのインタフェース２２５０は、オーディオコンテンツが再生されている間に進捗情報を表示する。インタフェース２２５０は、図２２Ａと図２２Ｃのインタフェース２２００に表示されるものと類似の情報を含むことがあるが、音楽変更オプションとトレーニング終了オプションを表示する代わりに、インタフェース２２５０は、パワーソングオプション２２５１を含むことがある。パワーソングオプション２２５１は、ユーザが、特に動機を見つけることができる歌を活動化することを可能にする。したがって、ユーザは、自分が遅くなっていること、あるいはたくさんエネルギーがる感じた場合、ユーザは、パワーソングを活動化してトレーニングのその部分の間のパフォーマンスを最大にすることがある。１以上の構成では、インタフェース２２５０は、不注意による入力を防ぐためにインタフェースをロックする方法をユーザに助言する教育的メッセージを含むことがある。このメッセージは、例えば、ロックインジケータ２２５３をタッピングするか又は別の方法で対話することを含むことがある。
【０１１３】
幾つかの構成では、パワーソングは、選択されなくてもよく利用できなくてもよい。したがって、インタフェースは、パワーソングオプションを提供しないことがある。図２３Ａと図２３Ｂは、パワーソングオプションのないトレーニング情報を表示する例示的な走行中インタフェースを示す。
【０１１４】
図２４Ａ〜図２４Ｆは、ユーザがインタフェースをロックするとき（例えば、入力を防ぐため）、又はユーザ入力が検出されない期間が終了したときに表示されることがある例示的なロックインタフェースを示す。例えば、図２４Ａ〜図２４Ｃは、ユーザが、ロックシンボル２４０１を左位置から右位置に移動させることによってインタフェースをロック解除することを示す。ロック解除の進捗は、シンボル２４０１の位置よってだけでなく、画像２４０３などの白抜き画像の塗り潰しによって示されてもよい。即ち、装置は、画像２４０３が完全に塗り潰されたときにロック解除され入力を受けることができる。画像２４０３の塗り潰しは、シンボル２４０１を左位置から右位置に移動させることにより達成されてもよい。装置をロック解除するために、種々様々な動き、パターン及び画像が使用されてもよい。例えば、図２４Ｄ〜図２４Ｆは、ロック解除シンボルがプラス記号２４１３によって表わされ、ユーザが、シンボル２４１３を２４１５から湾曲したチェックマーク経路に沿って移動させなければならないインタフェース２４１０を示す。移動経路は、画像（例えば、画像２４１７）の形状若しくは見掛け又はその一部分に対応してもよい。
【０１１５】
幾つかの実施形態では、ロックアイコン又は画像は、事前に定義され、ロックアイコン又は画像のメニューから選択可能でよい。例えば、利用可能なロックアイコン及び画像は、オンラインサイトからダウンロードされてもよい。これにより、ユーザは、トレーニングトレーニングアプリケーション中に使用されるロックアイコン又は画像をカスタマイズしてもよい。更に、幾つかの例では、トレーニングアプリケーションに使用されるロックアイコン又は画像は、アプリケーションが装置上で使用されないときに使用されるロックアイコン又は画像と異なってもよい。
【０１１６】
図２５Ａ〜図２５Ｅは、ＧＰＳの可用性と状態を伝えるために使用されることがある様々な例示的なユーザインタフェースを示す。例えば、図２５Ａは、信号探索モードのＧＰＳインジケータ２５０１を示す。図２５Ｂは、信号が利用可能できないか検出されない場合のＧＰＳインジケータ２５０１を示す。詳細には、ＧＰＳインジケータ２５０１の外環は、第１の状態（例えば、輪郭又が実質的に透明）で表示されてもよい。図２５Ｃと図２５Ｄは、弱い信号と強い信号をそれぞれ示す第２と第３の状態のＧＰＳインジケータ２５０１を示す。信号強度は、透明レベル（例えば、信号が弱いときほど透明になる）、色、パターン、アニメーション（例えば、回転、点滅、フェードイン、フェードアウトなど）、及び／又はこれらの組み合わせを含む、インジケータ２５０１の様々な態様によって表わされてもよい。
【０１１７】
１以上の構成で、ＧＰＳ信号が弱い場合、ユーザにそのことを知らせるメッセージが表示されてもよい。例えば、図２５Ｅのインタフェース２５２０は、ＧＰＳ信号が弱く、走行の時間と距離が更に追跡されることがあることを示すメッセージ２５２１を表示する。例えば、ＧＰＳデータが利用できないときにＧＰＳデータを使用する代わりに、装置は、加速度計データの記録を活動化しかつ／又は開始してもよい。１以上の構成では、加速度計や他のセンサ（例えば、セルラ三角測量）の使用が、インタフェース内に（例えば、アイコン、単語などを用いて）視覚的に示されてもよい。
【０１１８】
更に、ユーザは、図２５Ａ〜図２５ＤのＧＰＳインジケータ２５０１を選択して、ユーザの現在位置を識別するマップを表示させてもよい。また、ユーザがマップモードにアクセスできるように他のオプション又はインジケータが表示されてもよい。図２５Ｆは、ユーザの場所がインジケータ２５３３によって識別されたマップ２５３０を示す。
【０１１９】
走行中に、様々なイベントを検出したときに様々な警告がユーザに提供されてもよい。例えば、図２６Ａのインタフェース２６００では、走行が休止されたことを示すメッセージがユーザに提供されてもよい。メッセージは、更に、トレーニングを再開する方法に関する指示（例えば、タップして再開する）を含むことができる。別の例では、図２６Ｂのインタフェース２６５０は、バッテリが無くなりそうなことを検出したときにメッセージを表示してもよい。メッセージは、バッテリが空になる前にトレーニングを保存するようにユーザに助言してもよい。メッセージは、バッテリが、指定した時間長さ、例えば、５分、１０分、１５分３０秒などで空になりそうなときに表示されてもよい。
【０１２０】
図２７Ａ〜図２７Ｈは、ユーザが走行している間に表示されることがある追加又は別のユーザインタフェースを示す。例えば、図２７Ｃは、ボタンを無効化しジェスチャコマンドを有効化するための指示を提供する通知メッセージを表示するインタフェースを示す。ジェスチャは、様々なコマンドに対応するタッチセンシティブな動きを含むことがある。例えば、ユーザの指の右へのスワイプは、以前のオーディオコンテンツアイテムに進むために使用され、左へのスワイプは、次のオーディオコンテンツアイテムに進むために使用される。別の例では、ユーザは、下方にフリック又はスワイプして（例えば、装置の向きに対して）音声フィードバックを受け取ることができる。音声フィードバックは、現在の進捗量（例えば、現在走った距離、時間長さ、ペース、燃焼カロリー）の発声を含むことがある。更に、１回のタッピングは、走行及び／又はコンテンツの休止に対応することがあり、２回のタッピングは、パワーソングを自動的に活動化することがある。したがって、ユーザは、装置を制御するためにディスプレイを見る必要がないことがある。更に、ユーザがアプリケーションと装置の機能と特徴を適切に調整するたために、可視オプションとボタンを含む情報を表示しなくてもよいことがある。
【０１２１】
図２７Ｇで、ユーザがトレーニング中に音声電話を受け取ったときのためのインタフェースが表示される。インタフェースは、自動的に表示され、図２７Ｃと図２７Ｄに表示されたような走行中トレーニングインタフェースと置き換わる。ユーザが呼び出しに応える場合、トレーニングとオーディオコンテンツの再生が自動的に一時停止されてもよい。あるいは、ユーザが呼び出しを断わった場合、トレーニングは、中断なしに自動的に継続されてもよい（例えば、図２７Ｃと図２７Ｄのインタフェースがもう１度表示されてもよい）。
【０１２２】
選択されたオーディオコンテンツに加えて、健康監視装置及びアプリケーションは、ユーザを励ますか特定のイベント又は状況をユーザに知らせるように構成された他のオーディオコンテンツを再生してもよい。例えば、ユーザが、各マイルの完了、１Ｋ走行、新しい最速ペースを指定距離に設定など、特定の道標又はゴールに達したときに、トランペット、称賛、花火又は他の一般的な激励音声などの様々な音が再生されてもよい。他の例では、ユーザは、「You are 5 seconds behind target pace. Speed it up（あなたは目標ペースより５秒遅れています。ペースを速めてください）」や「You are 20 seconds ahead of target pace. Keep it up.（あなたは目標ペースより２０秒進んでいます。その調子です）」などの激励又は指示メッセージが提供されてもよい。他のメッセージは、「You’re halfway to your goal and you’re running [ahead of/behind] target pace（あなたはゴールの中間で、目標ペースより速く／遅く走っています）」及び「You’re almost there. I’m wondering if you can run the length of one extra song? Double tap to accept!（もうすぐゴールです。もう１曲の長さ走りますか。走る場合はダブルタップしてください！）」を含んでもよい。この後者の例では、ユーザは、走行中に走行を更に改善するように喚起されてもよい。ユーザは、この喚起を受け入れてもよく、受け入れたとき、その喚起にしたがってトレーニングが自動的に拡張されてもよい（例えば、もう１曲分走行を延長する）。
【０１２３】
図２８Ａと図２８Ｂは、更に、本質的に文字でよくかつ対応するオーディオメッセージを伴うことがある警告を示す。例えば、図２８Ａのインタフェースでは、特定経路の最良時間を超えるようにユーザを促す警告がユーザに提示される（例えば、その経路を以前に走った場合）。図２８Ｂのインタフェースでは、最良経路時間を達成するために現在のペースを持続する喚起警告がユーザに提供されてもよい。それぞれの場合、喚起を受け入れるために、様々なタイプのジェスチャや他の対話が使用されてもよい。これらの対話は、装置の画面のタッピング、ジェスチャ、音声コマンドの発声、装置上の物理ボタンの押下などを含むことがある。
【０１２４】
オーディオメッセージは、助言又は警告を与えてもよい。例えば、メッセージは、経路の先に坂道があることを示してもよい（例えば、０．２５マイル以内、０．５マイル以内など）。
【０１２５】
更に、装置は、ユーザが指定目標を達成するのを支援する走行中ヒントを提供してもよい。ヒント又は情報は、例えば、所定の長さの時間遅く出発し、第２の長さの時間にわたって所望又は目標ペースまで加速するようにユーザに助言することを含む。前述のように、ヒントと助言は、現実のアスリート及び／又は他の健康についての有名人によって提供されてもよい。幾つかの構成では、ヒントと助言は、場所に固有でもよい。例えば、モバイル装置は、経路を走っている他のユーザをＧＰＳ情報に基づいて検出し、ユーザが他のユーザに対してどのように振る舞うべきかの指示を提供してもよい。他の例で、モバイル装置は、ランドマーク、地形、天候、傾斜などに関する情報を提供してもよい。特定の例では、経路の一部分に関して、経路のその部分に達する所定時間前にアドバイスをユーザに提供してもよい。システムは、ユーザが経路のその部分に達するまでの時間の長さを、現在のペース及び距離に基づいて計算してもよい。
【０１２６】
別の例又は構成では、走行中に位置固有の情報がユーザに提供されてもよい。例えば、ＧＰＳや他の位置決定システム信号に基づいて、運動監視装置が、ランドマーク又は対象ポイントを通過しようとしていることを決定してもよい。したがって、装置は、ランドマーク又は対象ポイントと関連したオーディオ又はビデオ情報を取得し、走行中に、場合によってユーザが対象ポイントを通過するときに、ユーザに情報を提供してもよい。例えば、オーディオ及びビデオ情報を提供するタイミングは、ユーザの現在の検出したペースと対象ポイントからの距離とに基づいて決定されてもよい。
【０１２７】
＜走行後＞
ユーザが走行を完了した後で、トレーニングサマリがユーザに提示されてもよい。更に、装置は、激励の言葉又はユーザが目標又は道標に達したことを示す指示を選択し、生成しかつ／又は表示してもよい。例えば、ユーザが、自分の最長走行（継続時間又は距離）又は最速走行（例えば、１Ｋ、１０Ｋ、又は他の所定の距離）を記録したとき、ユーザは、賞賛又はモチベーションメッセージを受け取ってもよい。メッセージは、本質的に文字でよく、音声出力を含み、その触覚フィードバック及び／又は組み合わせを提供する。トレーニングサマリは、トレーニングの場所（例えば、屋内又は屋外）により、異なる情報又はオプションを含むことがある。例えば、屋内トレーニングのトレーニングサマリは、記録データの精度を高める修正機能を含むことがあり、屋外トレーニングサマリは、修正機能を含まないことがある。トレーニングサマリ機能の違いは、ＧＰＳ装置が距離及び／又はペースを追跡できる精度に起因することがある。
【０１２８】
図２９は、屋内走行のトレーニングサマリを示す。走行距離、ペース、時間、燃焼カロリーなどの走行統計に加えて、インタフェース２９００は、修正走行オプション２９０１、気分タグ付けオプション２９０３、及びサービス提供者サイトオプション２９０５を含む。修正走行オプション２９０１を選択すると、ユーザは、走行の記録統計が正確になるようにすることができる。例えば、ユーザが４マイル走ったと装置が決定したが、ユーザが実際には４．２５マイル走った場合、ユーザは、修正オプション２９０１によって量を調整してもよい。
【０１２９】
図３０Ａ〜図３０Ｃは、ユーザが走行距離を修正する一連のユーザインタフェースを示す。図３０Ａのインタフェース３００１において、例えば、トレーニングサマリは、装置が、ユーザによる合計４．０３マイルの走行を検出したことを示す。値が正確でない場合、ユーザは、修正オプション３００３を選択することができる。図３０Ｂは、ユーザが、スクロールホイール３０１１及び３０１３を用いて実際に走った走行距離を選択することができる修正インタフェース３０１０を示す。ユーザが、修正し終わった後、ユーザは、図３０Ｃのインタフェース３０２０などのトレーニングサマリインタフェースに戻ってもよい。次に、インタフェース３０２０は、装置によって検出された元の距離の代わりに、修正した距離を含むことがある。
【０１３０】
図３１Ａ〜図３１Ｃは、追加の例示的なインタフェースを示し、それにより、ユーザは、加速度計又は非ＧＰＳ走行を修正することができる。
【０１３１】
図３２Ａ〜図３２Ｄは、ユーザが、位置固有の属性を含む様々なタイプの情報及びパラメータに基づいて走行にタグ付けすることがある例示的なユーザインタフェースを示す。例えば、図３２Ｂのインタフェース３２０１において、ユーザは、気分インジケータ３２０３の選択によって走行後にユーザが感じた気分、天候オプション３２０５の選択により走行中の天候条件、地形オプション３２０７の選択により地形タイプを指定し、メモセクション３２０９にメモを入力してもよい。天候は、幾つかの例では、ＧＰＳの機能を用いて自動的にタグ付けされてもよい。即ち、モバイル装置は、ＧＰＳ装置を用いて検出された所定の場所の天候を自動的に取得し、取得した天候データを用いて、トレーニングにタグ付けしてもよい。地形オプション３２０７は、トレッドミルなどの運動器具、直線道路、未舗装道路、曲がりくねった道路などの屋外地形が含まれることがある。地形は、受け取ったＧＰＳ情報に基づいて自動的に登録されてもよい。幾つかの例では、ユーザは、タグを何も入力しなくてもよい。タグの幾つかが自動的に登録又は入力されてもよいが、ユーザは、エントリを編集することが許可されることがある。したがって、ユーザは、必要に応じてタグ付けオプション３２０３〜３２０９のうちの１つ、２つ、又は全てをタグ付けしてもよい。
【０１３２】
他のタグが使用されてもよく、ユーザは、自分のカスタマイズしたタグを定義してもよい。図３２Ｃで、例えば、ユーザは、運動機器タグを選択して、トレーニング中に使用又は着用された運動機器のタイプを示してもよい。特定の例において、ユーザは、走行中に着用した靴のタイプ又は特定の靴を識別してもよい。特定の靴は、ユーザによって定義され、装置又はリモートシステムに記憶されてもよい。運動機器のタグ付けによって、アプリケーション、装置又はリモートシステムは、他の情報の中でも特に運動機器の磨耗又は使用（例えば、行なった運動活動の量）を追跡することができる。摩耗が、特定のしきい値（例えば、マイル又はトレーニングの数）に達したとき、装置は、交換が推奨されることをユーザに警告してもよい。また、装置は、例えば、ユーザの靴や他の運動機器の現在のタイプ、身長、体重、性別、靴サイズ、歩行特徴などに基づいて交換機器を推奨してもよい。推奨は、いつ行われてもよく、交換条件に限定されない。例えば、システムは、現在又は過去の運動機器、行なった活動、ユーザがよく走る地形、よくある天候条件などに基づいて、ユーザに適合するか適することが決定された新製品が出たときに推奨を提供してもよい。
【０１３３】
追加又は別として、ユーザは、セッション中に使用される１以上の装置（例えば、センサ、音楽装置、運動活動データ収集装置など）でトレーニングをタグ付けしてもよい。例えば、ユーザは、ＧＰＳ装置が使用されかつ／又は心拍数センサ若しくは加速度計が使用されたことを識別してもよい。幾つかの構成では、トレーニング中に使用される装置が、タグ付けメニューに自動的に登録されてもよい。次に、ユーザは、要求又は必要に応じて、自動的に埋め込まれた装置を編集してもよい。
【０１３４】
監視及びトレーニングアプリケーションは、更に、トレーニングセッションと関連した友人や他の個人をタグ付け又他の方法で登録する能力をユーザに提供してもよい。したがって、ユーザが友人と一緒に走行する場合、ユーザは、走行に友人の情報をタグ付けしてもよい。特定の例において、ユーザは、アプリケーションのタグ付けメニューで、友人と関連付けられたユーザ名や他の識別子を選択してもよい。ユーザ名又は識別子は、運動追跡監視サービス、ソーシャルネットワーキングサイト、電話番号、ユーザの電話帳に指定された愛称などで登録された識別子に対応してもよい。複数の友人又はトレーニングパートナが、必要に応じて、単一のトレーニングセッションにタグ付けされてもよい。幾つかの構成では、装置は、トレーニングセッションに、同じ経路を同時に走っている知人をタグ付けしてもよい。装置は、トレーニングセッションに、ユーザとの関係が確認済みの個人をタグ付けするだけでもよい。例えば、互いに関係を確認済みの個人だけが、お互いのトレーニングセッションでタグ付けされてもよい。
【０１３５】
タグを使用することにより、ユーザは、タグ付けパラメータの１つ又は複数によってソートすることができる。したがって、ユーザは、天候、使用装置のタイプ、トレーニングパートナ、使用される装置などの１つ又は複数のフィルタリングパラメータに基づいて、トレーニング履歴や他のトレーニング関連情報の表示を必要なセットに制限することがある。
【０１３６】
ユーザが、所望のタグを入力し終わった後で、装置は、ユーザをトレーニングサマリインタフェースに戻してもよい。図３２Ｄは、ユーザによって定義されたタグをトレーニングサマリに表示するサマリインタフェース３２１０を示す。詳細には、タグアイコン（例えば、気分がよい場合に幸せな顔、雨状態の場合に傘）が、タグオプションセクション３２１３に表示されてもよい。タグアイコンは、タグ付けが終わる前にそれまで表示されていた文字に置き換わってもよい（例えば、図３２Ａのインタフェースに示されたように）。１以上の構成において、タグ付けアイコンを選択するか、ホバリングするか、他の方法で対話することにより、詳細情報が表示されてもよい（例えば、情報バブル内に）。
【０１３７】
図３３Ａ〜図３３Ｃは、屋外走行のトレーニングサマリを示す。図３３Ａは、基本走行（例えば、目的又は目標のない走行）のトレーニングサマリを示し、一方、図３３Ｂは、距離走行のトレーニングサマリを示し、図３３Ｃは、時間走行のトレーニングサマリを示す。走行タイプは、アイコン３３０１によって識別されてもよい。前述のように、ＧＰＳが、屋内トレーニングを決定するために使用されるセンサ（例えば、加速度計）より信頼性が高く正確であると見なされることがあるので、屋外トレーニングサマリは、修正機能を有していなくてもよい。それにより、図３３Ａ〜図３３Ｃのインタフェースはそれぞれ、走行中にユーザがとる経路を表示する経路情報オプションを含むことがある。例えば、経路情報オプションを選択したとき、走行経路を識別する線が示されたマップがユーザに提示されることがある。
【０１３８】
図３４は、マップ３４０１をユーザの走行経路を表わす線３４０３と共に表示する経路情報インタフェースを示す。線３４０３上には、走行の様々なマイル数ポイントを識別するマイルマーカ３４０５が表示されてもよい。更に、インタフェース内には、開始及び終了インジケータ３４０７及び３４０９がそれぞれ提供されてもよい。更に、ユーザの最高速及び最低速ペースポイントが、それぞれマーカ３４１１及び３４１３によって識別されてもよい。ユーザの好みにより、ユーザに他の情報が表示されてもよい。例えば、ユーザは、タイムマーカが表示されることを要求してもよい（例えば、５分毎、１分毎、１０分毎、１時間毎）。マーカ３４０５〜３４１３を選択し、ホバリングし、又は他の方法で対話することによって、マーカ、ペース、距離、時間、ユーザの心拍数、及び／又は他の情報によって識別されたポイントで再生される歌を含む追加の詳細情報を提供してもよい。高度ポイントを示すマーカを含む他のマークがマップ３４０１に追加されてもよい。例えば、マップ３４０１上に経路の最高高度と最低高度が指定されてもよい。別の例では、マップ３４０１上に、５０フィートの高度変化が示されてもよい。高度マーカは、ユーザが最高ペースと最低ペースを記録したポイントに置かれてもよい。
【０１３９】
別又は追加として、ユーザは、ＧＰＳ検出位置に基づいてタグを入力してもよい。例えば、ユーザは、経路に沿った特定のポイントで疲れを感じたことを示すメモを記録したいことがある。メモは、メモが入力された位置に対応する特定のＧＰＳ座標で自動的に記録されてもよい。あるいは、メモは、走行後に入力され、位置は、ＧＰＳ座標を用いてユーザによって手動で指定される。検出されたＧＰＳ位置に基づいて、目立つランドマークなどの位置固有の説明などの他の情報が、自動的に記録されてもよい。
【０１４０】
図３５Ａ〜図３５Ｃは、ＧＰＳや他の位置決定システムを用いて走行が記録された場合にマップが表示され、非ＧＰＳ記録された走行がマップを含まないことがある例示的な経路サマリインタフェースを示す。例えば、図３５Ａで、ユーザが走行中にとった経路を表わす線３５０３と共にマップ３５０１が表示されてもよい。サマリ表示３５０５が、経路を命名するオプション３５０７と共に表示されてもよい。経路を命名することによって、ユーザは、将来のトレーニングのための経路を容易に識別し選択できるようになる。１以上の構成によれば、インタフェースは、更に、ユーザがメッセージ、賞賛又はモチベーションアイテムを受け取ったことを示す通知３５０９と、それらのメッセージ、賞賛及びモチベーションアイテムにアクセスするオプション３５１１とを含むことがある。一例を挙げると、メッセージ又はモチベーションアイテムは、ユーザの運動活動監視装置及び／又はアカウントに関連付けられることがあるソーシャルネットワーキングサイトによって提供されてもよい。
【０１４１】
図３６は、例示的な経路命名インタフェースを示す。幾つかの例で、経路命名インタフェースは、ユーザのトレーニング経路がＧＰＳ情報を用いて記録された場合だけ提供される。他の状況では、命名される経路を識別するのに十分な情報がない可能性がある。あるいは、ユーザは、全ての経路を命名できることがある。例えば、ユーザは、ＧＰＳ情報が追加されなかった場合にマップ上で経路を手作業で識別してもよい。別又は追加として、ユーザは、必要又は要求に応じてＧＰＳを用いて自動的に検出された経路を修正してもよい。ユーザが走った経路を命名し記憶することによって、システムは、後のトレーニングで、経路が以前に記憶された経路と一致することを識別することができる。次に、システムは、後のトレーニングを識別した経路と関連して自動的に記憶してもよい。
【０１４２】
図３５Ｃは、ＧＰＳ装置を用いて部分的にだけ記録された走行の経路サマリを含むマップ３５２１を示す。したがって、経路３５２３の一部分は、走行のその部分にＧＰＳデータがないため、存在しないことがある。追加又は別として、経路及びトレーニング情報は、１以上の他のユーザ、友人、ソーシャルネットワークサイトなどと共有されてもよい。例えば、情報を共有するために、共有オプション３５２５がユーザによって表示され選択されてもよい。トレーニング及び経路情報、達成などの共有については、後で詳細に述べる。１以上の構成では、ＧＰＳデータが利用できない場合、モバイル装置は、現在位置を決定するためにセルラ信号三角測量に切り換わってもよい。この情報は、加速度計データと共に、欠けているＧＰＳ情報を埋めるために代用トレーニング情報を提供することがある。例えば、セルラ三角測量は、所定のスケジュール（例えば、連続、３０秒毎、５秒毎、１５秒毎、１分毎、非周期的スケジュール）に基づいて走者の位置を提供してもよく、加速度計が、三角測量データを用いて決定されたユーザの位置を裏付けるペース及び距離情報を提供してもよい。セルラ三角測量及び加速度計システムを用いて測定された経路の一部分（例えば、経路３５２３）は、ＧＰＳデータを用いて記録された経路の一部分と違う風に（例えば、異なる色、異なるパターン）表示されてもよい。
【０１４３】
ユーザが、改善走行を完了したとき、ユーザは、トレーニングサマリ内に追加情報が提示されてもよい。例えば、ユーザが、改善走行で設定された目的を達成した場合、ユーザに達成のメダルや他のインジケータが提供されてもよい。図３７Ａでは、サマリインタフェース３７００は、新しい距離記録を設定するためのマイル数メダルを表示する。このメダルは、トレーニング履歴内のトレーニングエントリのインジケータ又はタグとして追加されてもよい。
【０１４４】
しかしながら、ユーザが、改善走行の目標又は目的に達しない場合、装置は、（例えば、同じ目的又は目標で）改善走行を再び試みるようにユーザを激励する図３７Ｂのインタフェース３７１０を表示してもよい。例えば、インタフェース３７１０は、改善走行を再び試みる時間（例えば、３日以内、１週間以内、２週間以内など）を設定することをユーザに求める選択メニューを提供してもよい。
【０１４５】
ユーザが改善走行を完了したかどうかにかかわらず、リマインダがユーザに提供されてもよい。リマインダは、更なる改善を達成するようにユーザにモチベーションを与えるか、それまで試みたが完了しなかった改善走行を再び試みることをユーザにリマインダするために使用されてもよい。図３７Ｃは、例示的なリマインダインタフェースを示す。インタフェース３７２０で、ユーザは、走行を開始又は計画するか、リマインダを破棄することを選択してもよい。
【０１４６】
図３８Ａ〜図３８Ｂは、更に、ユーザに表示されることがある例示的な警告及びリマインダメッセージを示す。警告又はメッセージは、モバイル装置によってトリガされ生成されることもあり、リモートネットワークサーバから受信されることもある。例えば、モバイル装置は、リモート健康監視サービス提供者からプッシュ通知を受信することがある。通知は、また、他のユーザ、友人、システム管理者、コーチング者などからのメッセージを含むことがある。
【０１４７】
本明細書に記載されたように、ユーザは、トレーニングデータを運動活動監視サービス提供者と同期させてもよい。ユーザが最初の走行を完了した場合、装置は、トレーニングサマリと関連した様々なインタフェースを表示し、このインタフェースにより、ユーザは、自分のデータをサービス提供者と同期させてもよい。図３９Ａは、ユーザが、健康監視サービス提供者によって提供されるサービスのメンバの場合に表示されることがあるインタフェース３９０１を示す。他方、図３９Ｂは、サービス提供者に登録するオプション３９０５を含むトレーニングサマリインタフェース３９０３を示す。
【０１４８】
トレーニングデータは、トレーニングサマリフェーズの間、又はトレーニング履歴の表示中に同期されてもよい。図４０Ａ〜図４０Ｃは、データがサービス提供者と同期されることがある一連のインタフェースを示す。例えば、図４０Ａのインタフェースにおいて、インタフェースは、進捗メッセージの同期を示すことがあり、図４０Ｂのインタフェースは、同期成功メッセージを示す。別の例では、図４０Ｃのインタフェースは、同期を再試行するオプション４００１を含む同期失敗メッセージを示す。
【０１４９】
同期は、また、図４１Ａ〜図４１Ｃに示されたような経路サマリ画面で実行されてもよい。例えば、経路サマリインタフェースはそれぞれ、データが同期されているか、同期されたか、接続が利用できないことを示す半透明メッセージが重ねられてもよい。
【０１５０】
追加又は別として、同期メッセージは、図４２Ａに示すように、ユーザに登録又はログインするように求めることを含んでもよい。その後で、ユーザは、図４２Ｂと図４２Ｃのインタフェースによってそれぞれアカウントにログインするか又はアカウントを作成してもよい。
【０１５１】
１以上の態様によれば、走行が、完了する代わりに時間切れした場合、ユーザは、そのような通知を含む警告メッセージが提供されてもよい。図４３は、そのようなメッセージを含むインタフェースを示す。指定された時間長の間に運動活動が検出されなかった場合は、走行が、時間切れになることがある。例えば、ユーザが、連続５分間、連続１０分間、連続３０分間などの間運動活動を示さない場合、装置は、自動的に走行を終了し、時間切れ状態を助言する警告メッセージを含むトレーニングサマリを生成することがある。１以上の態様によれば、走行が、ＧＰＳや他の位置決定システムを用いて追跡された場合には、走行が時間切れしたポイントが、経路マップ上に表示されてもよい。他の位置決定システムには、セル信号、Ｗｉ−Ｆｉ（例えば、ユーザの位置が、Ｗｉ−Ｆｉサービス提供者の位置と一致される）を使用し、ネットワークサービス提供者位置を決定する三角測量などがある。
【０１５２】
コーチングを含む他のタイプの走行後メッセージがユーザに提供されてもよい。１以上の例では、走行後メッセージは、新たに完了した走行の１以上の計量値を後のトレーニングセッションで超えることをユーザを促すために生成されることがある。メッセージは、また、達成するのに必要な距離、ペース、時間の長さを示してもよい。追加又は別として、メッセージは、完了したトレーニングにおけるユーザのパフォーマンスに基づいて生成された改善ヒントを提供してもよい。例えば、坂道でユーザのペースが著しく遅く（例えば、平均ペースより３０％低い）なった場合、装置は、斜面でのパフォーマンスを改善するためのヒントを提供してもよい。別の例では、ユーザのペースが、３分の１マイル後に急に低下した場合（例えば、１０％、２０％、３０％、４０％、５０％、６０％、又はそれを超える低下）を示した場合、装置は、４分の１マイルまでのペースを維持しかつ／又はトレーニング全体にわたってより規則的ペースを維持するために助言を提供してもよい。
【０１５３】
走行の完了時に、視覚的メッセージ（例えば、テキスト及び／又はグラフィックメッセージ）に加えて、オーディオメッセージも提供されてもよい。例えば、ユーザは、最長トレーニング（例えば、継続時間又は距離で）の完了を祝福されてもよい。走行中の喚起を受け入れその喚起に対応するための他のメッセージが提供されてもよい。オーディオメッセージは、自動音声又は有名人若しくは友人によって提供されてもよい。
【０１５４】
＜履歴＞
履歴リスト表示で、ユーザは、以前に実行されたか又は記録されたトレーニングの詳細及びサマリを表示することがある。追加又は別として、データは、履歴表示内のサービス提供者と同期されてもよい。図４４Ａ〜図４４Ｃは、同期プロセスを示す一連のインタフェースを示す。同期は、自動的でもよく、ユーザコマンドによってトリガされてもよい。同期が失敗した場合、同期は、ユーザコマンドによって再試行されてもよく、自動的に所定の再試行スケジュールに基づいてもよい。同期は、履歴表示がロードされるたびに実行されてもよく、前の同期時間から新しいトレーニングが追加されたときに実行されてもよい。将来の同期のスケジューリングを容易にするために同期履歴が記憶されてもよい。
【０１５５】
ユーザは、更に、履歴リストを編集して、望ましくないトレーニング記録を削除してもよい。例えば、図４５Ａのインタフェース４５００で、ユーザは、編集オプション０１を選択してもよい。編集オプション４５０１を選択すると、インタフェース４５００は、削除オプションを提供するように変化することがある。図４５Ｂは、ユーザが１以上のエントリを削除する削除インタフェース４５０３を示す。ユーザは、オプション４５０５を用いて、自分が削除したいエントリを選択してもよい。ユーザは、第２の削除オプション４５０７を後で選択することによって、削除の確認を要求されることがある。あるいは、ユーザは、オプション４５０５を選択して、削除されるエントリをマークしてもよい。完了又は確認オプション４５０９を選択すると、マークされたエントリが自動的に削除されることがある。ユーザは、いずれの場合も削除を確認することを要求されることがある。
【０１５６】
図４６Ａ〜図４６Ｃは、ユーザに履歴情報を伝えるために表示されることがある追加の例示的なインタフェースを示す。図４６Ｂと図４６Ｃで、例えば、インタフェースは、走行情報がサービス提供者とまだ同期されていないかどうかを識別するインジケータ又はメッセージを表示してもよい。同期されない場合、インタフェースは、ユーザがデータを直ちに同期させることを可能にする同期オプションを提供してもよい（図４６Ｃに示されたような）。別又は追加として、ユーザは、同期を将来の日又は時間に計画してもよい。
【０１５７】
＜設定＞
ユーザは、トレーニングの監視、データの記録、及びデータの同期に影響を与えることがある様々な設定を定義してもよい。図４７Ａと図４７Ｂは、様々な設定インタフェースの例示的な部分を示す。図４７Ａは、ユーザが、距離計量値（例えば、マイル、フィート、メートル）、フィードバックの頻度、画面がロックされるべきかどうか、修正オプション、及びサービス提供者アカウント情報（例えば、データ同期を可能にする）を定義できるようにするオプションを含む。図４７Ａでは、ユーザは、サービス提供者に定義又は登録されていなかった。したがって、ユーザが、ユーザ登録時にサービス提供者によって提供される機能又はサービスを巡回することを可能にするツアーオプションが含まれてもよい。
【０１５８】
ツアーオプションの選択は、基本アプリケーション及び装置の健康監視及びモチベーションの特徴及び機能に関する追加情報をユーザに提供してもよい。例えば、図４８Ａ〜図４８Ｆは、利用可能な特徴及び機能について述べる詳細情報を提供するツアーインタフェースを示す。
【０１５９】
図４７Ｂは、ユーザがサービス提供者アカウント情報を提供した場合に表示されることがある設定インタフェース部分を示す。サービス提供者アカウント情報を定義することによって、ユーザは、自動同期が行なわれるべきかどうかを定義する更に他のオプションが提供されることがある。図４７Ａに含まれたツアーオプションは、図４７Ｂのインタフェースに含まれてなくてもよい。また、ユーザは、サービス提供者からサインアウトするオプションが提供されてもよい。サインアウトすることによって、インタフェースは、図４７Ａのインタフェースに変化することがある。あるいは、サービス提供者アカウント情報が、記憶されてもよく、サインアウトオプションが、サインインオプションと置き換えられてもよい。
【０１６０】
図４９Ａ〜図４９Ｅは、ユーザがサービス提供者に登録する一連のインタフェースを示す。ユーザ名、電子メール、パスワード、生年月日などを含む幾つかの情報が、必須でも、任意でもよい。
【０１６１】
ユーザは、パワーソングを選択するように求められるか許可され得る。パワーソングは、特にユーザにモチベーションを与えられるオーディオコンテンツに対応することがある。図５０Ａと図５０Ｂは、ユーザが最初にパワーソングオプションを選択し、次にソングリストから歌を選択する一連のインタフェースを示す。ソングリストは、ユーザが既に所有する歌のリストでもよく、オーディオコンテンツ提供者を介して利用可能な歌を含んでもよい。図５０Ａで、パワーソングが選択されていない場合、パワーソングオプションは、選択ボタンの一部分だけを示すことがある。これと対照的に、パワーソングが選択された場合に、パワーソングの名前が、選択ボタンの一部分に表示されてもよい。
【０１６２】
図５１Ａ〜図５１Ｃはそれぞれ、ユーザが、距離計量値、フィードバック頻度及びロック画面の向きを設定することを可能にするインタフェースを示す。例えば、図５１Ａは、ユーザが、測定単位としてマイルとキロメータのどちらかを選択できるインタフェースを示す。他方、図５１Ｂは、ユーザがフィードバック（聴覚又は視覚）を提供する頻度を定義することを可能にする。頻度は、距離ベース又は時間ベースでよい。図５１Ｃは、ユーザがインタフェースをロックする向きを定義することを可能にするインタフェースを示す。例えば、ユーザは、ポートレートの向きかランドスケープの向きを選択することができる。選択は、ユーザ選択、走行中の装置の向き、及び／又はこれらの組み合わせに基づいて行われてもよい。
【０１６３】
図５２Ａ〜図５２Ｈは、運動活動統計のより正確な監視と追跡を可能にする様々なユーザ属性及び選択を定義するための修正インタフェースを示す。修正メニュー（例えば、図５２Ｂに表示されたような）によって、ユーザは、測定単位、ユーザ身長、ユーザ体重、及びユーザの性別を選択してもよい。測定単位は、例えば、英語と計量値を含むオプションから選択されてもよい。身長と体重は、スクロールホイールや他のスクロール方法を用いて定義されてもよく、選択された測定単位の値から選択できるようにしてもよい。装置は、このデータを用いて、ユーザの運動活動の結果をより適切に決定できることがある。例えば、加速度計の示度は、燃焼カロリー、即ちユーザの体重、身長及び性別を使用した走行距離に変換されてもよい。
【０１６４】
図５３Ａ〜図５３Ｖは、モバイル健康監視装置によって生成され表示され得る別又は追加の設定インタフェースを示す。図５３Ａ〜図５３Ｃのインタフェースは、１以上の例では、初心者ユーザ用に構成されてもよく、図５３Ｄ〜図５３Ｆのインタフェースは、より上級ユーザ用に構成されてもよい。上級ユーザは、既に健康監視サービス提供者に登録されているユーザを含んでもよい。したがって、図５３Ｅは、普通なら非登録ユーザに表示されない追加アカウント及び監視設定情報を含むことがある。更に、ユーザは、図５３Ｆのインタフェースでプライバシ設定を選択できることがある。ユーザが、個人設定を選択した場合、他のユーザは、そのユーザを見つけることやユーザの情報を見たりできないことがある。他方、公開設定が選択された場合、他のユーザは、そのユーザを公に検索し、ユーザに関する様々なタイプの情報を見ることができる。公開設定は、また、ソーシャルネットワークサイトやニュースフィードなどの他のサイト上で情報の共有を可能にしてもよい。
【０１６５】
他の態様で、ユーザは、情報共有設定を定義してもよい。例えば、図５３Ｓ〜図５３Ｖは、情報アカウント及び共有設定を構成するために使用されることがある様々な設定インタフェースを示す。図５３Ｓは、ユーザがニュースフィードサービスにログインしたときに自動的にトレーニング情報がニュースフィードに直接送信されることを示す。ニュースフィードサービスへのログインは、自動共有機能の承認に対応してもよい。
【０１６６】
他方、図５３Ｖは、ユーザが、ＦＡＣＥＢＯＯＫなどのソーシャルネットワークサイトのようなネットワークサイト上で情報を共有するための様々な環境を設定できるようにしてもよい。詳細には、ユーザは、活動ブロードキャストを有効又は無効にすることもできる。活動ブロードキャストは、完了した走行、目標及び課題の自動共有を含むことがある。追加又は別として、ユーザが走行や他のトレーニングを実行しているときに、ユーザは、他のユーザに通知する機能（例えば、ユーザのネットワークサイトページ上の投稿又は状況更新をする）を有効又は無効にしてもよい。これにより、他のユーザは、激励メッセージを投稿し、走行中のユーザの進捗状況を追跡することができる。トレーニングデータは、また、ソーシャルネットワークサイト及びソーシャルネットワークフィードに、走行中と実時間で投稿されてもよい。情報を共有するために、種々の他の特徴及び機能が、ユーザによって構成されてもよい。
【０１６７】
＜トレーニング共有＞
ユーザは、トレーニング情報又はその一部分を、１以上の他のユーザ、友人と共有し、ソーシャルネットワーキングサイトによって共有することを選択してもよい。図５４Ａ〜図５４Ｃは、ユーザがソーシャルネットワーキングサイト及びニュースフィード上でトレーニング情報を共有する例示的なインタフェースを示す。図５４Ａで、ＦＡＣＥＢＯＯＫとＴＷＩＴＴＥＲを含む複数の共有アウトレットを含む共有メニュー５４０１がユーザに提示されてもよい。メニュー５４０１は、また、トレーニング情報を健康監視サービス提供者と同期させるオプションを含んでもよい。
【０１６８】
ユーザが、ＦＡＣＥＢＯＯＫなどのソーシャルネットワークサイトによってトレーニングデータを共有することを選択した場合、図５４Ｂのインタフェース５４１０などのインタフェースが表示されてもよい。インタフェース５４１０は、自動的に生成されたトレーニング更新メッセージ５４１３を含み、ユーザが、フォーム５４１５に追加の情報又はメモを含めることを可能にしてもよい。メッセージを承認する際、ユーザは、公開オプション５４１７を選択することによってソーシャルネットワーキングサイトにデータを公開してもよい。
【０１６９】
ＴＷＩＴＴＥＲなどのニュースフィードサービスによるトレーニングデータの共有は、図５４Ｃのインタフェース５４２０などのインタフェースによって実行されてもよい。詳細には、インタフェース５４２０は、ニュースフィードサービスに自動的にアクセスするためにユーザのログイン及びパスワード情報を要求することがある。ニュースフィードメッセージは、トレーニング及び／又は経路情報を含む自動生成メッセージでよい。例えば、メッセージは、記録された１以上の計量値、行われた運動活動のタイプ及び／又は運動活動パフォーマンスの場所に基づいて自動的に生成されてもよい。ユーザは、メッセージを編集しかつ／又は自分のメッセージを作成することを許可されてもよい。
【０１７０】
図８３は、例示的なＴＷＩＴＴＥＲメッセージ生成インタフェースを示す。
【０１７１】
図５５Ａと図５５Ｂは、トレーニング／走行情報を共有するための他の例示的インタフェースを示す。図５５Ｂのインタフェース５５０１は、例えば、ソーシャルネットワーキングサイトや他の情報アウトレットのログイン情報をユーザに入力させることがある。ログイン情報は、データを情報アウトレットに自動的に同期させ公開するために健康監視サービス提供者と関連して記憶され使用されてもよい。ユーザがログインした後、システムは、情報アウトレットによって新しい走行情報を自動的に共有してもよい。幾つかの構成では、情報は、ユーザコマンド又は確認の受け取りに応じてのみ共有されてもよい。
【０１７２】
トレーニング情報は、健康監視サービス提供者サイト、個人ホームページなどを含む他のチャネルによって共有されてもよい。幾つかの構成では、ユーザは、トレーニング情報を複数のサイト又はサービスに、単一の共有インタフェースによって同時又は非同時に公開できることがある。
【０１７３】
図５６は、トレーニング情報が投稿され伝達されることがある例示的なソーシャルネットワーキングサイト・インタフェースを示す。インタフェース５６００は、ユーザの個人用ページに対応してもよく、ユーザが走ろうとしており、支援コメントを提供するように他のユーザに促していることを示す状態メッセージ５６０１を含む。
【０１７４】
図５７は、友人や他のユーザにテキスト入力フォーム５７０１に激励メッセージを入力させる例示的なメッセージ入力インタフェース５７００を示す。ユーザは、また、所定の音５７０３のリストからオーディオコンテンツを選択してもよい。
【０１７５】
図５８は、図５７のインタフェース５７００を介して提出され、ユーザのモバイル装置に表示されるメッセージを示す。
【０１７６】
１以上の構成によれば、ユーザは、更に、リモート健康監視サービスサイトにアクセスし、モバイル健康監視装置を介してデータを受信してもよい。例えば、インタフェースは、ネットワークを介してリモート健康監視サイトから受信したデータに基づいてモバイル監視装置によって生成されてもよい。ユーザは、図５９のインタフェース５９００などのインタフェースを介して、リモート健康監視サービスにログインしかつ及び／又は登録してもよい。
【０１７７】
ユーザが、ユーザ情報及び／又はログイン情報を入力した後で、ユーザは、ユーザ運動活動記録、功績、スケジュール、進捗などを表示する様々なユーザインタフェースを検索してもよい。図６０Ａ〜図６０Ｄは、リモート健康監視サイトから少なくとも部分的に受信されることがあるトレーニング情報をナビゲートし表示するために使用されることがある例示的なインタフェースを示す。図６０Ａで、ユーザに、リモートサイトとまだ同期されていない幾つかの走行又はトレーニングが通知されてもよい。装置は、更に同期させなければならないトレーニング又は走行を識別するために、装置とリモートサイトのデータベースとの間でデータを一致させてもよい。同期メッセージは、ユーザが達成又は獲得した賞とトロフィーの数のサマリの一部として表示されてもよい。走行の同期は、自動的に開始されてもよく、手動コマンドによって開始されてもよい。
【０１７８】
図６０Ｂで、インタフェース６０１０は、友人招待６０１３、毎日進捗インジケータ６０１５、目標インジケータ６０１７及び６０１９を含む、様々なトレーニング及びユーザデータのサマリを含むことがある。友人招待６０１３は、運動活動監視サイトのユーザが互いを対話することを可能にしてもよい。友人には、非友人と対照的な様々なレベルの特典が提供されてもよい。例えば、友人は、ユーザに関する写真、詳細なトレーニング情報、及び他の個人データを見ることができ、一方、非友人は、名前、性別及び一般活動レベルなどの一般的プロファイルデータしか見ることが許可されもよい。したがって、ユーザは、友人リクエストを確認又は受け入れることによって誰を友人として分類するかを管理してもよい。毎日進捗インジケータ６０１５は、毎日の目標６０１９などの毎日の目標を達成するために更に完了しなければならない追加の運動活動の量（例えば、走行距離）を識別する。毎日の目標に加えて、目標６０１７が、定義されてもよい。目標６０１７は、ユーザが達したい別の達成に対応してもよい。別又は追加として、目標６０１７は、所定の健康レベルの向上に対応してもよく、複数の健康ユーザ間のユーザのランキングを高めてもよい。
【０１７９】
図６０Ｃは、リモート健康監視サービスから少なくとも部分的に受信されかつ／又は生成された別の例示的なトレーニングデータサマリを表示するインタフェース６０２０を示す。例えば、サマリ６０２１は、友人招待の数、友人フィードの最新数、及び賞表示オプションに加えて、前回走行のサマリ（例えば、走行走行距離）を含むことがある。追加又は別として、サマリ６０２１は、走った総走行距離と、運動活動に費やした総時間長を含んでもよい。友人フィードインジケータは、ユーザの友人に投稿された更新の数を識別してもよい。例えば、友人が新しい走行を完了し、友人のプロファイルが、その情報で更新された場合、友人フィードインジケータは、その追加更新を反映してもよい。フィードは、また、自動更新及び投稿に加えて手動投稿（例えば、ユーザコメント又はメッセージ）を含むことがある。ユーザは、自分の走行履歴で蓄積した賞、功績、達成及び目標を表示する賞表示オプションを用いてもよい。リモート健康監視サイトからデータにアクセスすることによって、ユーザは、モバイル監視装置にこれまで記憶されていないトレーニング情報及び履歴を表示できることがある。したがって、ユーザは、その時にモバイル装置上にあるものだけでなく、完全なトレーニング履歴を表示できることがある。
【０１８０】
トレーニング共有は、更に、ユーザが現在用いているか、完了したか、将来の活動のために作成した経路及び／又は経路のマップの共有を含んでもよい。経路又はマップ情報は、運動活動追跡監視サービス若しくはコミュニティ及び／又はＦＡＣＥＢＯＯＫやＴＷＩＴＴＥＲなどのソーシャルネットワーク若しくはアウトレットを含む様々なアウトレットによって共有されてもよい。ユーザのモバイル装置（例えば、活動監視装置）上で実行する活動監視アプリケーションは、そのようなサービス及びアウトレットへのマップ及び／又は経路情報を含むトレーニング情報を同期させるための設定を含んでもよい。
【０１８１】
図７７は、ユーザが特定タイプの情報を自動的に共有するようにアプリケーションを構成することができる例示的な同期設定インタフェースを示す。オプション７７０１は、トレーニングの自動共有及び同期が一般に行われるかどうかを指定し、オプション７７０３及び７７０５は、ユーザが、マップ情報やペースデータなどの特定タイプの情報の共有を個別に構成できるようにする。日付、トレーニングの長さ、心拍数情報、目標情報、ストリーク情報などを含む他のタイプの情報が、制御を共有する個人に提供されてもよい。幾つかの例で、自動共有オプション７７０１がオフにされたとき、情報固有オプション７７０３及び７７０５が、自動的にオフにされてもよい。同様に、自動共有オプション７７０１がオンにされた場合、それに応じて、情報固有共有オプション７７０３及び７７０５が、自動的にオンにされてもよい。自動共有オプションの設定の可能にすることによって、ユーザが、全てのトレーニングを手動で指定することなく情報を共有することができるだけでなく、ユーザは、共有した情報及び特徴をカスタマイズすることもできる。
【０１８２】
ユーザは、更に、情報を共有するための様々な条件及びパラメータを設定してもよい。例えば、ユーザは、共有が許可される期間、及び共有が許可されないか禁止される期間を定義してもよい。他の例では、条件は、トレーニング計量値範囲（例えば、走行距離の範囲、トレーニング継続時間の範囲、平均ペースの範囲）、共有の頻度（例えば、７日毎に最大３つのトレーニングだけを共有する）、トレーニングが単独で行われるか他の人々と行なわれるか、目標が達成されたかどうかなど及び／又はこれらの組み合わせを含んでもよい。特定の例では、トレーニングの１以上の計量値が自己最高記録を超えた場合だけトレーニングが共有されてもよい。共有条件及びパラメータは、全体共有するように指定されてもよく、特に１組の情報タイプに関して指定されてもよく、情報タイプにしたがって指定されてもよく、これらの組み合わせにより指定されてもよい。例えば、第１のタイプの情報は、第１の組の共有条件と関連付けられてもよく、第２のタイプの活動情報は、第２の組の共有条件と関連付けられてもよい。これにより、システムは、最初に、全体共有条件が満たされたかどうか判定し、満たされた場合は、各情報タイプ固有又は情報タイプグループ固有の条件が満たされたかどうかを判定する。全体共有条件が満たされない場合は、個人情報タイプ条件又は情報グループ条件が満たされた場合でも、情報タイプのどれかの共有が禁止されることがある。
【０１８３】
図７８Ａ〜図７８Ｃは、ユーザが、トレーニングデータを入力し同期させ、共有される情報を管理することができる例示的なトレーニングサマリインタフェースを示す。図７８Ａで、例えば、インタフェースは、セクション７８０１及びコメント入力フィールド７８０３にトレーニングのサマリ計量値を含める。ユーザは、トレーニングに関するコメント又はメモを入力することができる。コメント又はメモは、また、サマリが投稿されたときに他のユーザに対するメッセージを含んでもよい。ユーザは、更に、本明細書に記載されたように、気分、天候条件及び地形タイプを含む所定のトレーニング属性タグ７８０５を選択するためのオプションが提供されてもよい。別又は追加として、タグ７８０５は、自動付与され、ユーザ編集可能でよい。
【０１８４】
オプション７８０７は、コミュニティ又はソーシャルネットワーク内の友人や他のユーザをトレーニングと関連付けるオプションをユーザに提供する。ユーザのタグ付けは、ユーザをトレーニング参加者であると識別すること、コミュニティ又はソーシャルネットワーク上のトレーニングエントリを、タグ付けしたユーザの活動フィード又はタイムラインに挿入すること、トレーニングエントリを、他のユーザの活動フィード、プロファイル又はタイムラインに投稿することなど及び／又はこれらの組み合わせを含んでもよい。一態様によれば、ユーザのトレーニングに関して別のユーザがタグ付けされた場合、共有トレーニングのタグ付けユーザのトレーニング情報が取得されてもよい。一例では、タグ付けされたユーザのパフォーマンスデータが、ソーシャルネットワークシステム上のタグ付けユーザのアカウント、運動活動監視システム及び／タグ付けユーザの運動活動監視装置から取得されてもよい。次に、その共有トレーニングのタグ付けユーザのパフォーマンスデータは、タグ付けユーザのトレーニングエントリと関連して投稿され（例えば、その一部分として含まれ）てもよい。一例を挙げると、トレーニングエントリは、そのトレーニングに参加する複数ユーザのパフォーマンス情報をリストしてもよい。これにより、システムは、タグ付けユーザを識別し（例えば、活動監視サイト上の識別子、ソーシャルネットワーク上の識別子など）、ユーザがタグ付けされたトレーニングのトレーニング情報が利用可能かどうかを判定してもよい。そのような場合、タグ付けユーザのトレーニング情報は、取得され、その同じトレーニングのタグ付けユーザのパフォーマンス情報と共に、トレーニングエントリ又は投稿に含められてもよい。
【０１８５】
他の態様によれば、複数ユーザが、トレーニングに対してタグ付けされた場合、ソーシャルネットワークサイト又はコミュニティ上の対応するトレーニング投稿又はエントリに対するコメント又はフィードバックが、全てのタグ付けユーザに対する祝福メッセージや他のタイプのフィードバックをもたらしてもよい。あるいは、フィードバック又は祝福メッセージは、投稿ユーザだけに配信されてもよい。
【０１８６】
データが、１以上のネットワークサイト又はシステムに同期されるか又は他の方法で送信されたとき、「Sync Complete（同期完了）」などのメッセージが、情報バー７８０９に表示されてもよい。更に、情報バー７８０９は、情報が送信又は同期されるサービス、システム又はサイトを特定してもよい。例えば、アイコン、テキスト識別子、画像などが、同期されたサービス、システム又はサイトの識別子として使用され、情報バー７８０９に表示されてもよい。また、識別子は、各システム又はサービスの同期が成功したかどうかにより見掛けが異なってもよい。一例において、特定のシステム又はサービスとの同期が成功しなかった場合、そのアイコン、画像、テキストなどが、色付け又は塗りつぶされる代わりに、輪郭フォーム又はグレイスケールで表示されてもよい。これにより、ユーザは、自分のコミュニティ／アカウント／システム／サービスなどのそれぞれと同期状態をより容易に決定することができる。
【０１８７】
図７８Ｂは、マップ／経路情報が、トレーニング投稿又はエントリで共有されるかどうかをユーザが切り換えることを可能にする付加的な同期オプション７８１１を示す。マップ／経路情報共有が活動化された場合、経路を示す活動経路や他の情報のマップが、トレーニングサマリ投稿に含まれることがある。一例を挙げると、マップ／経路情報は、トレーニング情報が投稿されるソーシャルネットワークや他のソーシャルアウトレットと異なるシステム（例えば、ＧＯＯＧＬＥ  ＭＡＰＳ、ＭＡＰＱＵＥＳＴ（登録商標）など）によって提供されるマップ又は経路描画インタフェースへのリンクに対応してもよい。一例を挙げると、リンクは、活動監視アプリケーションによって生成されてもよい。マップ／経路情報共有が、活動化されない場合、マップ及び／又は他の経路情報が、投稿で共有されないことがある。マップ／経路情報共有の切り換えは、投稿がネットワークサイトに送信され入力された後で実行されてもよい。例えば、トレーニングエントリが投稿された後で、又はトレーニング情報がネットワークサイトに既に送信された（例えば、投稿ため）後で、ユーザが、マップ／経路情報共有オプション７８１１を切り換える場合、アプリケーションは、以前に投稿されたエントリを交換又は修正する編集バージョンのトレーニングエントリを送信してもよく、切り換えた情報を削除するリクエストを送信してもよい。特定の例において、アプリケーションは、マップ／経路リンクを投稿又はエントリから除去することを要求してもよい。
【０１８８】
図７８Ｃは、マップ／経路情報共有オプションがオフにされるトレーニングサマリインタフェースを示す。
【０１８９】
図７９Ａと図７９Ｂは、ソーシャルネットワークなどのネットワークサイト上の例示的なトレーニング投稿又はエントリを示す。図７９Ａで、マップ／経路情報は、メッセージ７９０１（例えば、「Click to check out my route and stats（クリックして経路と統計を確認してください）」）によって示されたようにネットワークサイトに投稿される。幾つかの構成で、マップ／経路情報の投稿は、アイコン、選択可能なリンク、色、フォントサイズ、特定のメッセージ及び類似物及び／又はこれらの組み合わせなどのインジケータによって指定されてもよい。例えば、アイコン７９０３は、マップ／経路情報が投稿されて利用可能かどうかにより異なってもよい。別の例では、テキスト「Click to check out my route and stats（クリックして経路と統計を確認する）」は、ネットワークサイトと異なりリモートにあるマッピングインタフェース及び／又はシステムへのリンクを含むことがある。フィールド７８０３（図７８Ａ）などのコメントフィールドに入力されたコメントは、トレーニングエントリタイトル７９０３（例えば、「Just crushed another run with Abc+ GPS. Click to check out my route and stats（Ａｂｃ＋ＧＰＳで別の走行をクラッシュしました。クリックして経路と統計を確認してください）」の一部として投稿されてもよく、エントリ内のメッセージ７９０５（例えば、「Map your runs, track your progress and get the motivation you need to go even further with Abc+ GPS（走行をマッピングし、進捗状況を追跡し、Ａｂｃ＋ＧＰＳで更に遠くに進むのに必要なモチベーションを得てください）」）として投稿されてもよく、エントリに関するがそのエントリとは別のユーザコメント７９０７として投稿されてもよい。例えば、ユーザコメント７９０７は、ネットワークサイトに行われたエントリを示す件名に対応することがある。
【０１９０】
図７９Ｂは、マップ／経路情報が利用できない例示的なトレーニングエントリを示す。例えば、インジケータメッセージ及び／又はリンク「Click to check out my route and stats（クリックして経路と統計を確認してください）」は、この例示的なエントリでは提供されない。
【０１９１】
図８０は、別のユーザの別の例示的トレーニングエントリを示す。例えば、第１のユーザは、自分のソーシャルネットワーキングページ８００１を閲覧し、他のユーザ（友人など）のメッセージ、イベント及び活動を示す活動フィード８００３が提供される。フィード８００３内のエントリ８００５は、別のユーザのトレーニングエントリを提供し、エントリ８００５が選択されたとき、ポップアップ情報表示８００７が、更なる詳細を表示するために提示されてもよい。ポップアップ表示８００７は、活動場所又は経路のマップ（そのような情報が共有される場合）並びに他の計量値又はサマリ情報を含むことがある。マップは、本明細書で更に詳しく述べるように、経路の識別（例えば、緯度及び経度座標、セルラ三角測量座標など）、ペース情報、目標の識別などを含む様々な情報を含むことがある。マップはインタラクティブでよく、したがって、ユーザは、ウィンドウ８００９内でマップをナビゲートすることができる。例えば、ユーザは、必要に応じて、東、西、北、南の方への地理、道、地形、ランドマークなどを表示させてもよい。ウィンドウ８００９は、また、ユーザがより多くの地理を同時に見ることができるように拡大可能でよい。トレーニングエントリは、更に、他のインタフェース、ページ又はサイトへのリンクを、トレーニングの異なる詳細又は追加の詳細と共に含むことがある。
【０１９２】
ネットワークサイト又はページ上のエントリは、データオブジェクト又は構成によって特定されてもよい。これらのデータオブジェクト又は構成は、分類、分析及び記憶を容易にするように規定されることがある。ネットワークサイト上のトレーニングのサマリエントリに関して、アクションオブジェクト（例えば、ユーザが行なったアクション）、アクション監視オブジェクト（例えば、行われたアクションを監視しかつ／又は記録するために使用される装置又はソフトウェア）は、ソーシャルネットワーキングサイトや他のネットワークシステムへの既知のオブジェクトとして既定されてもよい。一例を挙げると、オブジェクトは、ソーシャルネットワーキングサイト又はシステムの様々なＡＰＩ及びインタフェースを使用することによって、ソーシャルネットワーキングサイトや他のネットワークシステムのコンテキスト内で実行するように構成されたアプリケーション又はアプレットの一部として定義されてもよい。アプリケーション又はアプレットは、更に、ソーシャルネットワーキングサイトと異なる運動監視サイト、システム又は装置と接続して活動データを受け取り、トレーニングエントリを生成／作成し、活動データを解析し、分析しかつ／又は要約し、活動データからメトリクスを生成し、かつ／又は活動データを編成するように構成されてもよい。
【０１９３】
アプリケーション又はアプレットは、運動監視システム又は装置から受け取った座標データ又は経路データに基づいて、マップ映像又は画像、オンラインマップ生成システム／サイトへのリンクを含むマップ情報を生成するように構成されてもよい。一例を挙げると、アプリケーション又はアプレットは、開始座標と終了座標を１以上の中間座標と一緒に又はなしで用いて経路のマップを生成し（例えば、ＧＯＯＧＬＥマップと接続して経路をプロットする）か、内部マッピング機能を用いて経路マップを生成してもよい。他の例では、運動監視サイト、システム又は装置から受け取った活動データは、マップ画像又はインタラクティブ・マップオブジェクトを含んでもよい。また、活動データは、本明細書で述べるように、トレーニングに共有されたか又はタグ付けされた他のユーザを特定してもよい。
【０１９４】
トレーニングエントリを生成するとき、ソーシャルネットワークシステム又はその上で実行されるアプリケーションは、最初に、マップ又は経路情報が利用可能かどうかを判定してもよい。この利用可能性は、活動監視サイト、システム又は装置から受け取った活動データにそのような情報が含まれるかどうかによって定義されてもよく、（例えば、活動監視サイト、システム又は装置に送られた）そのような情報の要求に対する応答によって決定されてもよい。マップ／経路情報が利用できない場合、トレーニングエントリは、パフォーマンスグラフ表示（例えば、走行や他の運動活動に関する時間対ペース又は時間対心拍数をプロットする折れ線グラフ）や、トレーニングのその他の文字又は画像指向の図など、位置指向でないサマリインタフェースへのリンクにより生成されてもよい。マップ／経路情報が利用可能な場合、トレーニングエントリは、位置指向でないサマリリンクへの追加又は別として、視覚的マップ又は視覚的経路描写へのリンクと共に生成されてもよい。幾つかの構成では、エントリを生成するシステム、アプリケーション又は装置は、ユーザのトレーニング情報が個人に対して設定されたかどうかを判定してもよい。そのような場合は、代わりに、販売ページ（例えば、運動活動監視サービスのために、ユーザの運動活動を監視するために使用される装置などの装置）や他の公開ページに対するリンクが、エントリに含まれてもよい。
【０１９５】
図８０を再び参照すると、ポップアップ情報表示装置８００７に示されたように、トレーニングエントリは、走行アクション８０１１及び監視装置オブジェクト８０１３の点でトレーニングを定義してもよい。これらのオブジェクトは、ソーシャルネットワーキングサイト又はその上で実行されるアプリケーションによって自動的に特定されてもよい。一例を挙げると、アプリケーションは、受け取った活動データと関連した活動タイプを決定し、対応するアクションディスクリプタオブジェクトを特定してもよい。各アクションディスクリプタオブジェクトは、単一の活動タイプに固有でもよい。しかしながら、単一の活動タイプが、複数のアクションディスクリプタオブジェクトに対応してもよい。したがって、走行活動タイプの場合、アクションディスクリプタ「走行」が使用されてもよく、歩行活動を示すために「歩行」アクションディスクリプタが用いられてもよい。他の例では、アクションディスクリプタには、重量挙げ用の「ｌｉｆｔ」、水泳用の「ｓｗａｍ」、スキー用の「ｓｋｉｅｄ」などが挙げられる。また、パフォーマンス計量値の値に応じて、様々なアクションディスクリプタが使用されてもよい。例えば、ユーザのペースが、４．０〜６．５マイル／時間の場合、選択されたアクションディスクリプタは、「ｊｏｇｇｅｄ」でよく、一方、ユーザのペースが、６．５を超えた場合、選択されたアクションディスクリプタは「ｒａｎ」でよい。したがって、同じ活動タイプが、複数のアクションディスクリプタを有してもよい。
【０１９６】
更に、アプリケーション又はシステムは、活動記録装置及び／又はアプリケーションを自動的に識別し、対応する監視装置及び／又は監視アプリケーションディスクリプタオブジェクトをトレーニングエントリと関連付けてもよい。それにより、ユーザが、ＧＰＳシステムを有する装置を使用した場合、対応するディスクリプタオブジェクトは、「ＧＰＳ装置」でよい。別の例では、活動がＧＰＳアプリケーションを用いて記録された場合、対応するディスクリプタオブジェクトは、「ＧＰＳアプリケーション」でよい。装置ディスクリプタは、特定のオブジェクト（商標とモデル）に固有でもよくかつ／又は含まれる技術のタイプ又は検出されるように構成された活動のタイプなどの機能に基づいて定義されてもよい。使用される装置のタイプは、名前又は識別子（例えば、シリアル番号、モデル番号、商標、ユーザが指定した装置名）、機能情報（例えば、加速度計、ＧＰＳ、ジャイロスコープなど）など、及び／又はこれらの組み合わせを含む。同様に、アプリケーションディスクリプタは、特定タイプのアプリケーション、アプリケーション機能のカテゴリに、特定のアプリケーションなどに固有でもよい。
【０１９７】
上記の情報を用いて、ソーシャルネットワークシステム又はコミュニティサイト（又は、その上で実行されるアプリケーション）は、＜装置／アプリケーション＞を用いて、＜ユーザ＞＜アクション＞＜計量値＞などのイベントを構成してもよく、この場合、＜ユーザ＞は、活動を行なうユーザを識別し、＜アクション＞は、アクションディスクリプタオブジェクトに対応し、＜計量値＞は、走ったマイル、泳いだ距離、持ち挙げた重量などのパフォーマンス値を提供し、＜装置／アプリケーション＞は、監視装置又はアプリケーションディスクリプタオブジェクトに対応する。次に、トレーニングは、上記のディスクリプタオブジェクト及びパラメータを用いて編成され、検索され、分類されかつ／又は解析されてもよい。例えば、全ての走行が、アクションディスクリプタオブジェクト「ｒａｎ」又は「ｒｕｎ」を有する全てのトレーニングエントリを識別することによって、グループ化され、走行距離や平均ペースなどの平均計量値を決定するために分析されてもよい。別の例では、特定の監視装置又はアプリケーションを使用するトレーニングエントリが、識別されてもよく、様々な統計又はトレーニング情報が、特定の監視装置又はアプリケーションに対応するトレーニング群に基づいて生成されてもよい。
【０１９８】
図８１は、例示的な活動サマリプロファイルページを示す。活動サマリプロファイルページ８１０１は、ソーシャルネットワーキングサイト又はコミュニティサーバ上で実行される活動監視アプリケーション又はアプレットに固有でもよくかつ/又はそれらによって提供されてもよい。プロファイルページは、トレーニングエントリ内の所定のディスクリプタオブジェクトを用いて、最長走行、最長活動継続時間、平均ページ、最新走行、最短走行、最高速走行、最高速ペースなどの識別を含むサマリデータを生成してもよい。ページ８１０１で、最長走行が、その走行の継続時間、走行の平均ペース、及びとった経路のマップで識別される。プロファイルページ８１０１は、更に、ユーザが他のユーザセクション８１０３内で活動を一緒に行なった走行友人や他のユーザを識別してもよい。
【０１９９】
幾つかの構成では、既定数のユーザのだけが、セクション８１０３に表示されてもよく、それらのユーザは、ユーザにより行なわれた活動の数、継続時間、距離又は他の計量値に基づいて選択されてもよい。例えば、セクション８１０３は、プロファイルユーザが運動活動を一緒に実行したユーザのうち、その頻度（例えば、活動セッションの数、又は週、月、年などの期間当たりの活動セッションの数）に基づいて上位３人をリストするように構成されてもよい。別の例では、セクション８１０３は、プロファイルユーザが運動活動を一緒に実行したユーザのうち、実行した活動の総量（例えば、継続時間、距離、試合、ゴルフのホールなど）に基づいて、上位５人のユーザをリストするように構成されてもよい。更に別の例では、セクション８１０３は、プロファイルユーザの平均パフォーマンスに基づいて上位数のユーザを他のユーザと共にリストしてもよい。例えば、上位ユーザは、トレーニング中にプロファイルユーザが最も速い平均ペースで一緒に走ったユーザとして識別されてもよい。別の例では、上位ユーザは、プロファイルユーザがトレーニング１回当たり最も遠くまで一緒に走ったユーザとして識別されてもよい。
【０２００】
ページ８１０１は、更に、都市のリストを含む。国、州、郵便番号、市外局番などの他のタイプの場所がリストされてもよい。セクション８１０３と同じように、場所セクション８１０５は、上位Ｘ箇所の場所を、それらの場所で行なわれた活動の量、それらの場所でのトレーニングの頻度、ユーザが指定したその場所の格付け、そのような場所におけるトレーニングの平均計量値などに基づいて、識別してもよい。ページ８１０１は、更に、セクション８１０７で、距離、継続時間、格付けポイント、作成されたバスケット、作成された目標などの累積的計量値を表示してもよい。複数の計量値が、累積方式で表示されてもよい。表示されるこれらの計量値及び／又は計量値の数は、ユーザによって選択されてもよく、ユーザによって最も頻繁に行なわれた活動若しくは活動タイプ、又はユーザが最も多い（時間又は距離の点で）活動を行った活動若しくは活動タイプに基づいて自動的に定義されてもよい。
【０２０１】
別又は追加として、プロファイルページ８１０１は、更に、最多使用、最良パフォーマンスなどに基づく上位装置を含んでもよい。プロファイルページ８１０１は、１以上の装置にユーザによって、又は活動監視サイトによって、記録された活動データの全て又は選択サブセットに基づいて生成されてもよく、投稿されたトレーニングエントリ内に提供されたトレーニングデータに限定されなくてもよい。幾つかの構成では、プロファイルページ８１０１に提供されたデータは、投稿されたトレーニングデータを、ソーシャルネットワーク又はコミュニティサイト上のエントリに反映させてもよい。
【０２０２】
図８２は、共有パラメータを修正し共有許可を確認するために使用されることがある例示的なアプリケーション構成インタフェース８２０１を示す。インタフェース８２０１は、電子メール情報アクセス、プロファイル情報（年齢、名前、住所、電話番号）など、アプリケーションによってアクセスされる許諾又はデータを識別することがある。インタフェース８２０１は、更に、同じアプリケーションを使用する他のユーザを識別してもよい。セクション８２０３は、アプリケーションによって生成された情報が提供又は共有されるエンティティをユーザが制御することを可能にするために含まれることがある。セクション８２０３には、公開（例えば、ソーシャルネットワーキングサイト又はコミュニティシステム上の全ての人）、友人の友人、友人、及びソーシャルネットワークシステムと友人を含む幾つかのオプションがあらかじめ付与されてもよい。公共ではなくソーシャルネットワークシステムと情報を共有することによって、ソーシャルネットワークシステムは、データを用いて、アプリケーションが使用される頻度、ユーザが行っている活動のタイプなどの統計を決定することができる。ソーシャルネットワークシステムは、各ユーザから得られた特定のデータを公表しなくてもよいが、内部又は外部使用のために、決定された統計などの情報を収集してもよい。幾つかの構成では、セクション８２０３は、ユーザによって定義されたグループ又はエンティティを含んでもよい。例えば、ユーザは、自分のグループを定義し、他のユーザ（例えば、友人）をそれらのグループに分類してもよい。次に、ユーザは、ユーザが定義したグループに基づいて共有許可又はパラメータを選択してもよい。
【０２０３】
＜目標＞
ユーザは、迅速な走行の目標を設定するように改善走行を定義してもよいが、複数の走行にわたる長期目標をユーザに選択させてもよい。図６１Ａ〜図６１Ｃは、例示的な目標定義インタフェースを示す。図６１Ａと図６１Ｂで、ユーザは、それぞれ改善オプションを選択しその後で距離改善オプションを選択してもよい。図６１Ｃで、ユーザは、ユーザが走りたい距離と、その距離を走る期間を選択することによって、距離改善目標を定義してもよい。ユーザは、定義された目標を達成するためにユーザが走りたい日を選択してもよい。種々のパラメータを選択した後で、ユーザは、目標を設定又は開始してもよい。時間目標、ペース目標、カロリー目標などを含む他のタイプの目標に関してに、類似のインタフェース及びオプションが定義されてもよい。ユーザは、毎日の目標を定義してもよい。例えば、ユーザは、全体目標（例えば、４週間で４０マイル走る）をどのようにして達成したいかを日単位で指定してもよい。したがって、ユーザは、月曜日に３マイル走り水曜日に５マイルを走りたいと指定してもよい。目標は、組み合わされてもよい。例えば、ユーザは、４週間で４０マイル走り、８．５マイル／時間のペースを達成したいことを示してもよい。
【０２０４】
１以上の目標に向けた進捗を様々な方式で追跡することができる。図６０Ｄは、例えば、目標のリスト及びそれと関連した進捗状況を表示する目標追跡インタフェースを示す。例えば、毎月の目標は、その月に６回の走行が残っていることを示す。距離目標は、あと３０マイル走らなければならないことを示し、カロリー目標又は目的は、ユーザが目標を達成するために更に２７６６カロリー燃焼させなければならないことを示すことがある。
【０２０５】
図６０Ｅと図６０Ｆは、追加の例示的な目標追跡インタフェースを示す。例えば、図６０Ｅで、進捗状況バーは、目標タイプ又は目標が選択されるか、ユーザがそれにフォーカスを置くまで表示されなくてもよい。図６０Ｆで、インタフェースは、目標及び目標進捗状況の詳細を表示してもよい。例えば、インタフェース６０３０は、ユーザが目標を達成するまでに２６．３マイルあり、目標が１２月１日までに４０マイル走ることであることを示す。更に、次のトレーニング（例えば、２．２マイル走る）に直接進むオプション６０３３がユーザに提示されてもよい。
【０２０６】
ユーザは、様々なインタフェースによって、目標を達成するための目標及びトレーニングを想起されてもよい。図６２Ａと図６２Ｂは、そのようなリマインダを提供するための例示的なインタフェースを示す。図６２Ａで、インタフェース６２００は、ユーザが所定の目標に達するために２．２マイル走らなければならないという通知を提供する。図６２Ｂで、インタフェース６２１０は、走行中に様々な音声通知を提供してもよい。音声通知は、目標に対する進捗状況をユーザに示してもよい。例えば、目標の現在の部分を完了し、全体目標に対して前進したことを示すメッセージがユーザに提供されてもよい。メッセージは、別又は追加として、本質的に文字であり、更に、「次の走行は土曜日に３マイルです」又は「目標を達成するまで、２．２マイルの走行であと５回です！」などのリマインダ情報を含むことがある。
【０２０７】
＜モチベーション、祝福及び声援＞
ユーザが、目標を達成するか、道標に達するか、目的を完了するか、向上するか、改善走行を完了したとき、激励又は祝福メッセージがユーザに提供されてもよい。別又は追加として、声援、激励の言葉及び／又は他のメッセージが、走行前又は走行中に提供されてもよい。これらのメッセージは、オーディオ、ビデオ、画像、動画、接触又は触覚フィードバック（例えば、振動）などを含むことがある。１以上の構成では、祝福メッセージは、名高いアスリートなどの有名人からのオーディオ及び／又はビデオメッセージを含むことがある。ユーザは、そのようなメッセージが表現されユーザに伝えられる時間を設定することを許可されてもよい。例えば、ユーザは、走行中に祝福メッセージを望まない可能性があり、したがって、全てのメッセージがトレーニング後又は非トレーニング時間中に再生されるという好みを示してもよい。したがって、ユーザは、メッセージが伝えられない時間も指定してもよい。追加又は別として、祝福メッセージは、特に、群衆の声援、ハンドマイク、カウベルの響き、ブブゼラの音、花火の爆発、スロットマシンの大当たり音などの効果音を含むことがある。
【０２０８】
図６３Ａ〜図６３Ｃは、１以上の祝福又はモチベーションメッセージがリストに表示されることがある例示的な祝福インタフェースを示す。幾つかのメッセージをモバイル装置によって生成してもよく、他のメッセージを他のユーザから受け取ってもよい。１以上の例では、メッセージは、テキスト音声変換システムを用いて変換され、音声出力装置によって再生されてもよい。別又は追加として、他のユーザは、オーディオ及び／又はビデオメッセージを送信してもよい。メッセージの送信者は、メッセージがユーザに伝えられるときのトリガリングイベントを示してもよい。例えば、送信者は、ユーザが、単一トレーニング中に５マイルマークに達したときに、メッセージがユーザに表示又は再生されるように指定してもよい。
【０２０９】
幾つかの例で、ユーザは、有名人によって祝福されてもよい。図６４Ａ〜図６４Ｅは、有名人メッセージを含む例示的な祝福インタフェースを示す。メッセージは、オーディオ及び／又はビデオを含むことがある。メッセージは、改善走行の完了、道標の到達（例えば、１週間で２５マイル）、最高速ペース、最高速距離、又は最高速時間の設定などの様々な功績に対して伝えられることがある。１以上の構成では、功績は、様々な健康レベルの到達を含んでもよい。例えば、１週間で５マイル以下走ることが、第１の健康レベルであると見なされ、１週間で５マイルを超え１０マイル未満走ることが、第２の健康レベルと見なされてもよい。追加の健康レベルが定義され、様々な賞又は特典がそれと関連付けられてもよい。例えば、ユーザは、様々な公開チャネル（例えば、健康監視サイトのメインページ上）などを介して、様々なトレーニングへのアクセスを受け取り、様々な賞（例えば、音楽、製品、サービス）を受け取り、報賞を得てもよい。
【０２１０】
幾つかの態様によれば、リモートソーシャルネットワーキングサイトなどのオンラインコミュニティを介して他のユーザから受け取った幾つかのコメントや他の対話に基づいて、ユーザに伝える（例えば、送信、描写、再生など）祝福メッセージのタイプが選択されてもよい。例えば、他のユーザは、トレーニングセッション前又はトレーニングセッション中に、ユーザによって投稿されたトレーニング告知を「好む」ことをコメントするか示してもよい。また、他のユーザは、告知を他の人に転送する方法、他のサイトからの告知にリンクする方法、告知を他のタグ（例えば、エモティコン）でラベル付けする方法などを含む他の方法で、トレーニング告知と対話してもよい。その場合、運動活動監視アプリケーション又はサービスは、告知と関連したソーシャルネットワーキングサイトを介して受け取る幾つかの対話を決定してもよい。次に、決定した幾つかの対話により、様々なタイプの祝福メッセージ（例えば、様々な効果音又は様々なカテゴリのメッセージ）を選択しトリガすることができる。例えば、対話の数が多いほど、大きいか又はより目立つか特徴的な効果音又はメッセージが選択されトリガされてもよい。幾つかの構成では、他のユーザからの肯定的な対話だけがカウントされてもよい。したがって、「嫌い」即ちユーザのトレーニング告知の不支持の表現は、祝福メッセージを選択又はトリガするために使用される対話全体に考慮されないことがある。
【０２１１】
幾つかの例では、効果音又は祝福メッセージはそれぞれ、フィードバック量の範囲及び／又はフィードバックの内容に対応することがある。例えば、第１〜第３のコメントや他のタイプのフィードバックが、第１のメッセージをトリガしてもよく、第４〜第７のコメントが、第２のメッセージをトリガしてもよい。様々なメッセージに対して様々なしきい値、トリガ及び範囲が設定されてもよい。必要に応じて、任意数の範囲が定義されてもよい。幾つかの構成では、ユーザのトレーニングにフィードバックを提供するユーザは、ユーザに提供するモチベーション又は祝福コンテンツを選択してもよい。システムは、ユーザが選択したコンテンツの１つ又は複数を、人気に基づいて選択してもよい。例えば、６人がコンテンツＡを選択したが、２人がコンテンツＢを選択した場合、トレーニングを行なっている個人にコンテンツＡが表現されてもよい。他の例では、個人のために選択されたコンテンツアイテムが全て表現されてもよい。
【０２１２】
否定的なフィードバックを受け取ったとき、コーチングや激励などの他のタイプのメッセージがユーザに送られてもよい。例えば、ユーザが、トレーニングの投稿に応じて、自分のソーシャルネットワーキングサイトで「嫌い」投票又は否定的コメントを受け取った場合、運動パフォーマンス監視装置は、ユーザのパフォーマンスを改善するためにユーザにモチベーションを与える激励メッセージを受け取りかつ／又は表現することがある。祝福メッセージと同様に、異なるタイプ、レベル又は厳しさのモチベーション、コーチング又は激励メッセージが、受け取った否定的フィードバックの数によりユーザに提供されてもよい。コーチング又は激励メッセージは、パフォーマンスを改善するための提案された命令を含んでもよい。
【０２１３】
図６５Ａは、例示的なトレーニングセッション告知を示し、このトレーニングセッション告知は、トレーニングの前後又は間に、ユーザのソーシャルネットワーキングサイトなどのオンラインコミュニティに投稿されるか他の方法で提供されるか、又はソーシャルネットワーキングサービス（例えば、ＴＷＩＴＴＥＲ）などのオンラインコミュニティを介して伝えられることがある。告知６５００は、ユーザが遂行している（例えば、マラソントレーング走行）トレーニングのタイプと、他のユーザ（例えば、友人と家族）にコメントを残すか又はトレーニングの賛同（又は、不賛同）を示すように激励するメッセージを示すことがある。告知と関連して、コメント数６５０１又は賛同表示６５０３も表示されることがある。幾つかの構成では、複数タイプのフィードバック及び／又は複数の異なりかつ／又は特徴のあるオンラインコミュニティ又はリモートネットワークサイト（例えば、ソーシャルネットワーキングサービス）からのフィードバックを収集して、受け取ったフィードバックの量を決定してもよい。例えば、コメントの数が、受け取った賛同インジケータに追加されてもよい。他の構成では、各タイプのフィードバックが別々に数えられてもよい。追加又は別として、肯定的フィードバック又は１以上の所定の規則又はパラメータ（例えば、フィードバックで使用されるコンテンツのタイプ、言葉、文字、シンボルなど、著者／評者などの識別など）と一致するフィードバックだけが、フィードバックの量に考慮されてもよい。更に別の例では、ユーザに送られるために選択されるコンテンツ又はメッセージのタイプが、フィードバック量以外又はフィードバック量に加えた１以上の所定のパラメータ又は規則のマッチングに基づいてもよい。例えば、そのようなパラメータ又は規則には、フィードバックで使用されるコンテンツのタイプ（ビデオ、オーディオ、テキスト）、言葉、文字、シンボルなど、著者／評者の識別などが含まれる。
【０２１４】
受け取ったフィードバックの量の決定は、オンラインコミュニティ（例えば、ソーシャルネットワーキングサイト）からコメントを受け取ることと、受け取ったフィードバックの量（例えば、コメントの数）を数えることを含むことがある。別の例では、フィードバックの量の決定は、投稿されたトレーニング情報に応答して受け取ったコメント又はフィードバックの数の指示を受け取ることを含むことがある。他の例では、フィードバックの量の決定は、別の装置によって実行されてもよい。他の装置が、フィードバックの量の決定を運動監視システムに提供してもよい。また、他の装置が、ユーザに提供されるコンテンツ（例えば、効果音、ビデオ、テキスト、触覚フィードバック）を選択するように構成されてもよい。また、フィードバック量を決定する提供は、装置（例えば、運動パフォーマンス監視装置）のひとつのソフトウェア又はハードウェアモジュールから同じ装置の別のソフトウェア又はハードウェアモジュールに行われてもよい。フィードバック量を決定する提供は、フィードバックの量の決定をメモリに記憶することを含んでもよい。
【０２１５】
幾つかの構成によれば、フィードバックの量の決定とコンテンツの選択は、運動パフォーマンス監視サービスや運動パフォーマンス監視装置などの様々な装置によって実行されてもよい。あるいは、決定とコンテンツ選択は、同じ装置によって実行されてもよい。更に別の構成では、フィードバックの量の決定及び／又はコンテンツの選択が、オンラインコミュニティ（例えば、ソーシャルネットワーキングシステム）によって行われてもよい。
【０２１６】
図６５Ｂと図６５Ｃは、ユーザがトレーニングを完了した後で表示される例示的なトレーニング告知を示す。これらの説明例におけるトレーニング告知は、完了したトレーニングと関連した統計及び計量値を提供してもよい。例えば、走行距離、走行時間及び／又はペース（例えば、平均ペース、最高速ペース、最低速ペースなど）が、トレーニング告知に表示されてもよい。他のユーザが、告知にコメントすることが許可され、前述のように祝福メッセージがユーザに提供されてもよい。
【０２１７】
図６５Ｄは、友人や他のユーザフィードバックと関連付けられた別の例示的なトレーニング告知を示す。トレーニング告知に応じて文字コメント及び／又は賛同インジケータを送信する代わり又は追加として、友人や他のユーザが、ユーザに再生されるオーディオ及び／又はビデオメッセージを記録してもよい。例えば、告知６５１１で、友人は、告知６５１１に応じてオーディオメッセージ６５１３を記録した。オーディオメッセージ６５１３は、ユーザにすぐに再生されてもよく、オーディオメッセージ６５１３の作成者によって選択されたトリガ（例えば、トレーニングの完了、指定された距離、時間又はペース目標の到達、特定数の全コメントや他のタイプのフィードバックの受け取りなど）に応じて再生されてもよい。別又は追加として、トレーニングを行なうユーザは、友人や他の個人が残したオーディオメッセージを受け取るためのトリガリングイベントを選択してもよい。
【０２１８】
長いオーディオ又は視覚メッセージを聞くか又は見ることをユーザに要求することなく、特定量の肯定的フィードバックを受け取ったことをユーザに通知する効率的な方法として、効果音が使用されてもよい。
【０２１９】
＜運動活動データの表示＞
運動活動情報及びそれから生成された情報（例えば、統計、傾向、推奨など）は、本明細書に記載された１以上のインタフェースで表示されてもよい。１つの構成において、ユーザは、運動活動監視サービスに登録されたユーザの運動活動情報を生成し表示するリモートネットワークサイトにアクセスしてもよい。１以上の構成では、情報表示及びインタフェースは、モバイル装置及び／又モバイル装置上で実行される健康監視アプリケーションによってアクセスされてもよい。
あるいは、ユーザは、別の計算装置を介して情報表示にアクセスしてもよい。幾つかの構成では、情報表示が、リモート健康監視サーバによって生成され提供されるので、ユーザは、様々な場所及び装置からトレーニング情報にアクセスすることができ、そのような装置又は場所のそれぞれとデータを同期させたり転送したりしなくてもよい。
【０２２０】
図６６Ａと図６６Ｂは、トレーニングレビューを含む例示的なインタフェースを示す。トレーニングレビューは、選択された走行の全走行距離にわたるユーザのペースのグラフ６６０１を含むことがある。ユーザは、リスト６６０５などのトレーニングリストから、表示する様々な走行を選択してもよい。リスト６６０５は、既定数の最新トレーニングを含んでもよい。グラフ６６０１は、１マイル、１キロメートル、０．５マイルなどの距離増分に対応する走行におけるポイントを識別するインジケータ又はマーカ６６０７を含むことがある。トレーニングレビューインタフェースは、更に、ＧＰＳインジケータ６６０９などのトレーニング属性インジケータを含むことがある。ＧＰＳインジケータ６６０９は、トレーニングがＧＰＳ情報と共に記録されたことを表してもよい。したがって、ユーザの経路は、トレーニング情報の一部として記録されてもよい。更に、ユーザは、更に、属性又はパラメータをトレーニングに追加してもよい。例えば、ユーザは、走行後に、気分選択オプション６６１１を選択してユーザの気分を入力してもよい。気分は、トレーニング完了後にユーザが感情的かつ／又は身体的にどのように感じたかを含んでもよい。トレーニングレビューには、ニュース又はメッセージフィード、最終走行の概要、目標の進捗状況（又は、目標に達するために完了すべき残りの量）、課題の進捗状況、又は場所などの他の情報が含まれてもよい。
【０２２１】
図６６Ｃと図６６Ｄは、走行又はトレーニングの属性を入力するインタフェースを示す。例えば、図６６Ｃで、インタフェース６６２０は、ユーザの気分、天候及び／又は地形を指定するための入力ウィンドウ６６２３を含む。ウィンドウ６６２３は、更に、トレーニングに関する追加のユーザコメントを受け取るように構成されたテキスト入力フォームを提供してもよい。１以上の構成で、トレーニングが、ＧＰＳ装置などの位置決定システムを用いて記録された場合、ウィンドウ６６２３は、インジケータ６６２５を表示してもよい。
【０２２２】
図６６Ｅと図６６Ｆは、複数のトレーニングのトレーニングサマリのカレンダー又はタイムラインビューを示す。各日は、その日（又は、時間、週、月などの他の時間単位）の走行距離を示す棒グラフを含んでもよい。各棒グラフをホバリングするか他の方法で対話することによって、図６６Ｅのウィンドウ６６３１などの詳細ウィンドウが、走行に関する追加情報と共に表示されてもよい。例えば、ウィンドウ６６３１は、走行後のユーザの気分、天候、地形、及びトレーニングが場所及び経路情報を含むかどうかを示してもよい。ユーザが、マニュアル又はカスタムメモを入力した場合は、メモアイコン６６３５が、対応するトレーニングを表わす棒グラフと関連して表示されてもよい。また、現在表示されている時間フレーム内の全てのトレーニングに関して、時間、トレーニング、距離及び燃焼カロリーの全量を示すサマリデータ６６３７が表示されてもよい。
【０２２３】
表示及び／又は分析する特定のトレーニングを選択することによって、選択したトレーニングの詳細を提供するインタフェースがユーザに提示されてもよい。図６６Ｇと図６６Ｈは、走行に関して記録された統計のサマリを提供する例示的な走行詳細ページを示す。図６６Ｇに示した説明例において、ユーザは、編集オプション６６４１を用いて、トレーニングに関して記憶された種々のパラメータを編集することを許可されもよい。幾つかの構成において、走行距離、走行時間、燃焼カロリーなどの幾つかのパラメータは、変更できないことがある。走行が、ＧＰＳ装置や他の位置測位システムによって記録された場合、走行詳細インタフェースは、ＧＰＳインジケータ６６４３を含んでもよい。更に、インタフェースは、走行が場所情報と共に記録された場合に、経路表示オプション６６４５を表示してもよい。経路と経路情報については、後で詳しく述べる。
【０２２４】
図６６Ｉと図６６Ｊは、記録されたトレーニング情報の１以上のパラメータを修正する編集インタフェースを示す。例えば、ユーザには、走行後のユーザの気分、天候条件、地形及び／又はメモを修正するオプションが提供される。ユーザの好み、サービス提供者要件、規則などに応じて、他のパラメータが修正されてもよい。
【０２２５】
図６６Ｋは、トレーニングセッションの統計を表示する例示的なトレーニングデータインターフェース６６６０を示す。インタフェース６６６０は、時間対距離、距離対ペース、時間対ペース及び／又はこれらの様々な組み合わせに対応する走行曲線６６６１を含んでもよい。幾つかの構成では、走行曲線６６６１は、トレーニングの計量値を表わす１以上の視覚的特徴を有することがある。例えば、トレーニング全体にわたってユーザが示す様々なペースを表わすために異なる色が使用されてもよい。別の例では、様々な心拍数を表わすために、異なるパターン又は透過率の走行曲線が使用されてもよい。インタフェース６６６０は、更に、スプリット又はインターバル時間及びペースを含む追加のトレーニングデータ粒度を提供してもよい。幾つかの構成では、この追加情報は、ユーザが、トレーニングを記録するか又はトレーニングデータを表示するために特定のモードを選択した場合だけ提供又は記録されてもよい。他の構成では、追加情報は、トレーニング記録モードに関係なく利用可能でよい。
【０２２６】
他のタイプのトレーニングデータ視覚化は、現在の走行ペース曲線を平均ペース曲線に対して又はその上に表示することを含んでもよい（例えば、全ての走行、指定された期間内の全ての走行、同じ経路の全ての走行などの１組の走行）。追加又は別として、走行曲線や他のトレーニングデータ視覚化は、トレーニング中に使用された音楽再生リストと共に表示されてもよい。
【０２２７】
＜経路の追跡、表示及び作成＞
本明細書に記載されたように、幾つかの構成では、ユーザのトレーニングが、位置決定システムと共に記録されてもよい。それにより、ユーザの経路は、トレーニングデータの一部として記録又は記憶されてもよい。トレーニングデータを取得したとき、経路が、ユーザのレビューのために表示されてもよい。
【０２２８】
図６７Ａ〜図６７Ｇは、経路情報が表示されることがある一連の経路詳細インタフェースを示す。例えば、図６７Ａのインタフェース６７００では、ユーザの経路６７０１は、マップ上にアニメーション方式で描画されてもよい。ユーザを表わすアイコン６７０３は、アニメーションにされ、走行の経路に応じて移動してもよい。経路は、先行経路線６７０５と、それに続くアイコン６７０３が経路の一部分を横切った後で第２経路線６７０７によって示されてもよい。アイコン６７０３は、経路に沿ったユーザの速度によるアニメーションにされてもよい。例えば、アイコン６７０３は、ユーザのペースが遅くなる経路６７０１の部分で遅くなることがあり、ユーザのペースが速くなる経路６７０１の部分で速くなることがある。移動アニメーションは、ユーザのペースと比例してもよく、ユーザのペースに基づくアルゴリズムを用いて計算されてもよい（例えば、マイル／時間が、画素／秒に変換されてもよい）。インタフェース６７００は、更に、経路に沿って、距離増分（例えば、１マイル、１キロメートル、０．５マイルなど）を識別する距離マーカ６７０９を含んでもよい。また、ユーザが最高速ペースと最低速ペースを示した経路上のポイントを示すペースマーカ６７１１が含まれてもよい。高度マーカ６７１３を用いて、より高い高度又は最高高度のポイントを識別する高度情報が提供されてもよい。
【０２２９】
部分６７１５に、インタフェース６７００は、ユーザのペースと高度対時間のグラフ６７１７を含んでもよい。線６７１９及び６７２１は、アイコン６７０３を用いてユーザが走るアニメーションが前進するように見掛け（例えば、アニメーション式）が変化してもよい。例えば、線６７１９の一部分６７２３が太くなり、アニメーションが経路のその部分を横切ったことを示してもよい。マーカ６７２５は、経路のアニメーション現在位置を示す。同様に、距離、時間、ペース及び高度を含むその位置に関する詳細情報が提供されてもよい。アニメーションをリプレイさせるために、リプレイオプション６７２７が選択されてもよい。リプレイは、１以上の機構において、走行及び経路詳細を最初にロードでアニメーションが示されたペースより遅いペースでアニメーションを再生することがある。凡例６７２９は、マーカ６７０９、６７１１及び６７１３のそれぞれの説明並びに対応するトレーニングデータを提供してもよい。例えば、最良及び最悪マイルのペースが表示されてもよく、最高速及び最低速ペース情報が提供されてもよい。最高高度マーカ６７１３に対応する高度データが、更に、表示されてもよい。また、ユーザは、自分のマーカを手動で作成して、走行又はトレーニングに沿った特定の場所を１組のパフォーマンス統計と関連付けやすくしてもよい。
【０２３０】
マーカ６７０９、６７１１及び６７１３の１つ又は複数と対話することにより、ユーザのトレーニングの特定のポイントに関する対応するトレーニングデータが表示されてもよい。図６７Ｃは、ユーザがマーカ６７１３を選択するときの例示的なインタフェースを示す。選択に応じて、グラフ６７１７は、対応するデータを表示するように修正されてもよい。１以上の構成では、ユーザのアイコン（例えば、図６７Ａのアイコン６７０３）が、選択された場所にすぐに移動されてもよい。追加又は別として、表示された経路は、ユーザのアイコンの位置を反映するように修正されてもよい（例えば、経路の選択されたポイントまでの部分が、横断を反映するように変更されてもよい）。マークのない部分は、トレーニングデータを表示するように選択可能でよい。凡例６７２９は、経路上のマーカや他のポイントの選択により更新されてもよい。
【０２３１】
１以上の追加の態様によれば、マップドロップダウンメニューオプション６７３１（図６７Ａ）が、基本マップの様々なオプションを表示してもよい。例えば、ユーザは、衛星画像、コンピュータ生成表現（図６７Ａ参照）、地形画像、及び／又は衛星と地形を組み合わせた複合画像を表示するように、マップの見掛けを変更してもよい。図６７Ｆは、衛星画像モードでマップ上の経路を示す。
【０２３２】
追加又は別として、経路又はトレーニングの様々なタイプの特徴は、視覚属性を用いて視覚的に伝えられてもよい。例えば、経路は、走行中にユーザが示す様々な速度又はペース、心拍数などを示す複数の色を含んでもよい。特定の例において、ユーザが第１のしきい値より高いペースを示した経路線の部分は、緑色で表示されてもよく、ユーザ第２のしきい値より低いペースを示した経路線の他の部分は、赤色で表示されてもよい。ユーザが第１と第２のしきい値の間のペースを示した経路線の更に他の部分は、黄色で表示されてもよい。ペース、速度、心拍数、高度、地形、天候などを表わすために、種々の色階調及び特徴が使用されてもよい。トレーニング属性を示すために、パターン、透過率、影付け、点描などを含む様々な他の視覚属性が使用されてもよい。
【０２３３】
図６７Ｇは、心拍数情報が利用可能な場合に心拍数タブ６７５１が表示された経路情報インタフェース６７５０を示す。心拍数タブ６７５１を選択することにより、グラフは、心拍数と時間又は距離又はペースとの関係を表示することができる。心拍数情報が利用可能な場合は、経路情報及び詳細が、このデータで補足されてもよい。例えば、最高及び最低心拍数マーカが、経路に表示されてもよい。
【０２３４】
図６８Ａは、別の例示的な経路詳細インタフェース６８００を示す。インタフェース６８００は、経路の新しい時間記録を作るために最後の０．２５マイルにパワーソングを再生することを推奨する提案６８０１のような走行洞察や提案などの追加情報を含んでもよい。提案は、様々なアルゴリズム及びパラメータに基づいて生成されてもよく、一例を挙げると、走行においてユーザが最も遅いペースになる部分を識別し、そのペースを高めるモチベーションソングの再生を提案することを含んでもよい。別の例では、ユーザが、（例えば、心拍数情報に基づいて）走行／経路の第１の部分で著しい努力をしているように見える場合に、システムは、第１の部分でより遅いペースで走って、経路の残りの部分で疲れ果てることがないように提案してもよい。
【０２３５】
経路情報は、公開オプション６８０３の選択によって１以上の構成で公開されてもよい。ユーザは、ＦＡＣＥＢＯＯＫ、ＴＷＩＴＴＥＲ並びに／又は他のソーシャルネットワーキングサイト及びニュースフィードサービスを含む様々なアウトレットに情報を公開してもよい。公開オプション６８０３の選択時に、アカウント情報と公開オプションを指定するメニュー（図示せず）が表示されてもよい。
【０２３６】
インタフェース６８００は、更に、同じ又は類似の経路の以前のトレーニングのリスト６８０５を含んでもよい。リスト６８０５は、１以上のエントリを含んでもよく、例えば走行時間や、功績が記録されたかどうかを含むトレーニング詳細の概要を含んでもよい。例えば、ユーザが、１月２１日に最高速時間で経路を走った場合、そのエントリは、その達成又は意義のインジケータとしてトロフィーアイコン６８０７を含んでもよい。更に、インタフェース６８００は、部分６８０９で改善走行提案を提供してもよい。詳細には、インタフェース６８００は、現在の経路を所定の長さの距離だけ改善する他の経路を表示してもよい。経路提案は、ユーザが過去に走った経路又は他のユーザが走った経路に基づいて生成されてもよい。
【０２３７】
図６８Ｂは、ユーザが経路を保存して経路詳細を追加できるインタフェースを示す。インタフェース６８１０は、キーワードと説明に加えて経路名を指定できるプロンプト６８１１を含む。キーワードは、検索語として使用される１以上の単語を含むことがあり、これにより、ユーザや他のユーザは、経路のデータベースから経路を見つけるのが容易になることがある。説明は、景色、地形、難度、天候、交通、騒音などを含む、経路のより長い説明を含むことがある。ユーザは、更に、オプション６８１３を用いて経路のプライバシを選択してもよい。例えば、経路を個人に設定することによって、他のユーザは、経路を見つけたり表示したりできない。経路を見つけかつ／又は表示することが許可された特定の個人又は個人グループを選択するためのオプションを含む、追加のプライバシパラメータ及び設定が提供されてもよい。他のオプションは、各個人又は個人グループに許可された表示及びアクセス権限を定義することを含んでもよい。
【０２３８】
図６９Ａは、ユーザが走り、作成し及び／又は保存した様々な経路をリストする保存経路インタフェースを示す。例えば、経路リスト６９０１は、ユーザによって保存された４つの異なる経路を含む。経路６９０３などのＧＰＳを用いて作成／記録された経路は、１以上のインジケータを含んでもよく、異なる方式で表示されてもよい。例えば、距離インジケータ６９０５は、経路６９１５などの非ＧＰＳ作成経路とは違ったふうに見えてもよい。保存経路リスト６９０１は、マップの背景に対して表示されてもよい。マップは、経路の場所を識別する１以上のマーカを含んでもよく、リスト６９０１内の経路は、マーカに対応するように番号付けさられるか他の方法で識別されてもよい。また、経路が、そのユーザ又は経路を走った他のユーザによって格付けされてもよい。例えば、格付けは、格付けインジケータ６９０７によって反映又は表示されてもよい。インタフェース内の他のタブには、それぞれ経路のデータベース又はリストを検索し経路を作成するための検索タブ６９０９と作成タブ６９１１が含まれてもよい。更に、簡単検索バー６９１３は、キーワード検索に使用されてもよく、検索タブ６９０９は、距離、地形、天候などの高度な検索オプションを提供してもよい。
【０２３９】
図６９Ｂは、ユーザが経路リスト（例えば、図６９Ａの経路リスト６９０１）から経路（例えば、図６９Ａの経路６９０５）を選択したときに表示されることがある経路インタフェース６９２０を示す。経路を選択したとき、経路リスト６９２１は、選択された経路だけを表示し、複数の経路を含む経路リスト（例えば、図６９Ａの経路リスト６９０１）に表示されたものより詳しい追加の詳細を提供する。追加の詳細は、経路と関連して記憶されたキーワードと詳細を含むことがある。情報は、更に、経路の作成者を示してもよい。また、基本マップ６９２３は、経路の各部分を認識できる倍率で経路を表示するように変化することがある。一例を挙げると、マップ６９２３は、経路の境界より大きい既定量の領域を表示してもよい。例えば、マップ６９２３の表示領域は、経路が、表示領域の６０％、７５％、９０％又は他の割合を占めるように定義され得る。
【０２４０】
図７０Ａは、ユーザが新しい経路を定義する経路作成インタフェースを示す。新しい経路を作成するために、ユーザは、フォーム７００１によって開始場所を定義してもよい。あるいは、ユーザの経路は、記録されたＧＰＳ経路に基づいてもよい。更に、ユーザは、名前、キーワード（例えば、検索用）、説明、及び経路が共有されるかどうかを指定してもよい。スタート場所を選択する際、終了位置フォーム（図示せず）が表示されてもよい。開始及び終了位置は、マップ７００３との対話によって、又はアドレスを入力することにより選択されてもよい。１以上の構成では、ユーザは、更に、ユーザが走行中に横断したい中間地点を指定してもよい。ユーザは、更に、自分が走りたい距離と、道路に沿って走るべきかどうかを指定してもよい。これらのパラメータに基づいて、システムとインタフェースは、提案経路を生成し、そのような経路をマップ７００３に表示してもよい。ユーザは、マップ７００３に表示された経路線と対話し、追加の中間地点を含め、距離を調整し、開始及び終了ポイントを修正することなどによって、経路を修正してもよい。ユーザは、更に、オプション７００５を用いて、以前のステップを除去してもよい。例えば、ユーザが、作成インタフェースが活動状態の間に最初に経路を走るか歩くことによって経路を作成し、ユーザが自分の経路を間違った場合、ユーザは、一時停止して経路の前回部分を除去してもよい。
【０２４１】
あるいは、ユーザは、データベースから以前に記録されたＧＰＳ経路を取得することによって経路を作成してもよい。例えば、ユーザは、オプション７００７を選択してＧＰＳ経路を取得してもよい。図７０Ｂは、複数の以前に記録された経路がリスト７０１１に表示される選択メニュー７０１０を示す。経路の形状と場所の概要を提供するミニマップ７０１３が表示されてもよい。リスト７０１１は、逆時間順、アルファベット順、距離順などで表示されてもよい。
【０２４２】
ユーザが、以前に記録されたＧＰＳ経路を選択した場合、経路作成インタフェースの様々なフィールドが、自動的に埋められてもよい。例えば、図７０Ｃで、作成インタフェース７０５０は、開始住所、距離及び経路名を事前に埋めている。キーワード又は説明が、選択された経路と共に記憶された場合、これらのフィールドは、自動的に事前に埋められてもよい。経路が、ＧＰＳ装置を用いて生成されたので、前回ステップオプションとフォロー道路オプションは、無効化されてもよい。あるいは、このオプションは、アクティブのままで、ユーザがＧＰＳ装置によって記録された経路を修正できるようにしてもよい。
【０２４３】
図７１Ａと図７１Ｂは、更に、経路情報を表示するための例示的なインタフェースを示す。図７１Ａで、経路情報表示装置７１００は、同じか又は類似の経路を走っているか走った友人のリストをユーザが見ることを可能にする友人タブ７１０１を有してもよい。図７１Ｂは、経路と関連した努力目標に対する現在の立場を示す順序で友人７１１１が表示された友人リスト表示７１１０を示す。例えば、経路のペース努力目標が定義されてもよく、したがって、リスト表示７１１０は、友人を最高速ペースから最低速ペースの順にリストしてもよい。ペースデータのない友人は、アフファベット順で下にリストされてもよい。また、友人は、アルファベット、年齢、ユーザが経路を走った回数、ペースなどを含む他の順序に従って表示されてもよい。
【０２４４】
図７２Ａ〜図７２Ｆは、更に、例示的な経路追跡表示インタフェースを示す。１以上の構成で、経路追跡は、個人情報、自動的に決定された情報、及び／又はユーザが入力した情報で経路をタグ付けするためにオプションを含んでもよい。例えば、ユーザは、経路に、経路に沿って運動しているときにどのように感じたか、経路の名前、経路の格付け（例えば、ユーザが経路をどれだけ楽しんだか、景色格付け、騒音格付け、地形格付け）、音楽提案、天候、地形、ランドマーク、又は経路に沿った面白い場所などでタグ付けしてもよい。次に、この情報は、使用する経路を探している他の個人と共有されてもよい。様々なユーザが、経路をタグ付けしてもよく、したがって、経路は、複数のタグと共に表示されることがある。
【０２４５】
ユーザの経路を追跡し記憶することによって、運動活動監視追跡システムは、更に、その経路上のユーザのパフォーマンスを、同じ経路を走った他のユーザに対して評価してもよい。したがって、システムは、他のユーザに対するユーザのパフォーマンスに基づいて様々な功績を定義してもよい。功績の例には、経路を所定の期間内に最も多数回走らせるための称賛、及び／又は経路を所定の期間内に最も速く走らせるための賞賛が含まれる。所定の期間は、全時間、指定数の最近の週、月、年などに対応してもよい。
【０２４６】
図７３は、特定の経路の経路順位表７３０１及び７３０３が表示される例示的なインタフェース７３００を示す。経路は、マップ領域７３０５に表示されてもよい。順位表７３０１は、経路を走ったユーザを、ユーザが経路を走った回数にしたがってリストする。他方、順位表７３０３は、経路を走ったユーザを、最高速ペースにしたがってリストする。幾つかの構成では、順位表７３０１及び７３０３は、常に、それぞれ現在のユーザとそれに対応する走行回数とペースを表示して、ユーザが、各順位表７３０１及び７３０３の先頭者と並ぶことができるようにしてもよい。ユーザが、順位表上の特定の位置に達したとき（例えば、１位、２位、３位、上位１０人、上位１０％、上位２０％など）、通知がユーザに提供されてもよい。一例を挙げると、この通知は、ユーザの携帯機器に配信されるプッシュ通知でよく、それにより、ユーザは、達成にすぐに気付くことがある。他の例では、通知は、電子メール、テキストメッセージ、マルチメディアメッセージ、音声メール、通話などによって提供されてもよい。
【０２４７】
図７３に示したような幾つかの例では、システムは、経路又はトラックに沿った様々な距離の走行を追跡してもよい。例えば、順位表７３０１は、特定された距離を最も多い回数走ったユーザを示す。これらのタイプの順位表は、トラックに使用されてもよく、例えば、その場合、トラックは、特定距離の走行を可能にする様々な距離マーカを提供する。
【０２４８】
経路は、マップ上に表示又は特定されて、ユーザがトレーニングを行なった位置を視覚化するのに役立つことがある。ユーザのトレーニングを特定する他に、マップは、友人などの他の個人のトレーニングの位置を特定してもよい。幾つかの構成では、マップは、ユーザの友人の現在又は最後に記録されたトレーニングを表示してもよい。他の構成では、マップは、特定の長さの時間（例えば、全時間、指定された数の月、日、週、年、時間など）にわたる、ユーザの友人の記録された全てのトレーニングを表示してもよい。更に他の追加又は別の構成において、ユーザは、マップ上にトレーニングを表示するフィルタを指定してもよい。これらのフィルタには、距離、ペース、高度、傾斜、天候、地理的地域（例えば、州、国、大陸、半球、タイムゾーン、郵便番号など）などのパラメータが含まれることがある。別のユーザの経路位置インジケータを選択することにより、ユーザは、経路の詳細、経路上の他のユーザのトレーニングセッションなどを表示してもよい。
【０２４９】
ＧＰＳや他の位置決定システムを使用することにより、運動パフォーマンスを追跡し監視するためのより高い粒度の追加の機能が提供される。更に、位置検出は、他のユーザとパフォーマンスを比較し、ユーザが走っている可能性のある他の位置を特定する機能をユーザに提供する。位置決定及び経路追跡の種々の他の利点及び特徴は、本明細書に記載された態様を用いて達成されてもよい。
【０２５０】
＜生の挑戦（ライブ・チャレンジ）＞
１以上の追加又は別の態様によれば、監視装置及び／又はサービス提供者は、生の挑戦環境でユーザを競争相手とマッチングすることを容易にすることができる。図７４は、生の挑戦を生成し処理する例示的な方法を示す。例えば、ステップ７４００で、ユーザは、１Ｋ走行などのトレーニングを選択してもよい。トレーニングは、モバイル健康監視装置などの装置によって定義され開始されてもよい。ユーザは、所定の走行タイプ／構成を選択してもよく、自分の走行をカスタマイズしてもよい。次にで、ステップ７４０５で、ユーザは、１以上の他のユーザに対する１Ｋ走行の挑戦を開始してもよい。ステップ７４１０で、挑戦マッチングシステムが、ユーザが挑戦する特定のユーザを指定したかどうかを判定してもよい。例えば、ユーザは、挑戦する友人を選択してもよい。そのような場合、システムは、選択されたユーザが、ステップ７４１５でマッチングシステムと関連付けられた運動活動サービスと現在オンラインかどうかを判定してもよい。例えば、ユーザが、サービスにサインオンしていない場合、ユーザは、オフラインであると決定されることがある。あるいは、ユーザがオンラインの場合、ユーザは、オンラインであると見なされることがある。１以上の構成では、オンラインであることは、更に、ユーザとのアクティブなデータ通信接続を含んでもよい。したがって、選択されたユーザとのアクティブなデータ接続が利用できない場合、ユーザは、オフラインであると見なされることがある。選択されたユーザが、オフラインであると決定された場合、システムは、ステップ７４２０で、選択されたユーザが対応できない旨のメッセージを送信してもよい。次に、システムは、ステップ７４２５で、ユーザが別のユーザに挑戦するか又は走行に直接進むことを可能にするインタフェースを表示してもよい。ユーザが、別のユーザに挑戦することを選択した場合、システムは、ステップ７４１０に戻ってもよい。あるいは、システムは、ステップ７４３０に進み、走行が、挑戦コンポーネントなしに開始されてもよい。
【０２５１】
ユーザが、挑戦する特定のユーザを選択していない場合、システムは、１人又は複数のユーザを自動的に識別し選択してもよい。例えば、ステップ７４３５で、システムは、走り始めようとしているユーザの１以上の属性を識別してもよい。属性には、年齢、体重、身長、健康レベル、安静時心拍数などが含まれることがある。ステップ７４４０で、システムは、このユーザと似たようなしきい値を有することがあるオンラインユーザを検索してもよい。次に、システムは、ステップ７４４５で、マッチングオンラインユーザのそれぞれに挑戦状を送信してもよい。幾つかの構成ではマッチングシステムは、運動活動を現在行なっているユーザをフィルタリングしてもよい（例えば、そのようなユーザを邪魔しないように）。他の構成では、マッチングシステムは、同じパス若しくは経路又は類似の経路の近傍（例えば、類似の距離）内にいるユーザを識別してもよい。挑戦する他のユーザを見つけるために、種々の他のマッチングパラメータ及びアルゴリズムが使用されてもよい。例えば、幾つかの例では、検索範囲は、サービスの全ユーザではなくユーザの友人のリストに限定されてもよい。
【０２５２】
ステップ７４５０で、マッチングシステムは、招待されたユーザが挑戦を受け入れたかどうかを判定してもよい。受け入れない場合、システムは、ステップ７４５５で、ユーザの挑戦状が断わられたことをユーザに知らせることがある。次に、システムは、ステップ７４２５で生成され表示されたようなメニューを表示してもよい。招待されたユーザの１人又は複数が、挑戦を受け入れた場合、ステップ７４６０で、現在のユーザに受け入れが知らされてもよい。次に、トレーニングは、ステップ７４３０で、受け入れられた参加者間の挑戦として開始されてもよい。
【０２５３】
１以上の構成で、参加者は、挑戦の際（例えば、走行中）に目標量（例えば、距離、燃焼カロリー、ペース）を増やすオプションを選択することによって、挑戦を高度化してもよい。次に、他の参加者が挑戦の修正に合意するかどうかを尋ねる通知が、他の参加者に送信されてもよい。既定数の参加者が合意した場合、挑戦は、その場で自動的に直ちに修正されてもよい。例えば、挑戦は、参加者の大部分が合意するか、参加者の少なくとも７５％が合意するか、全ての参加者が合意する（又は、他の幾つかのしきい値又はルールが適用された）場合だけ、修正されてもよい。他の例では、挑戦は、挑戦の修正に合意しない参加者以外の参加者に合意するために修正されてもよい。そのような場合、２つの別個の挑戦が、走行中に作成さてもよく、１つの挑戦は、元の目標／挑戦に対応し、別の挑戦は、修正された目標／挑戦に対応する。また、修正された目標／挑戦が参加者は、修正された目標／挑戦が元のものより大きい場合には元の目標／挑戦の参加者のままでもよい。
【０２５４】
挑戦の終わりに、ユーザの結果が比較され、勝者が宣言されてもよい。幾つかの構成では、サービス提供者は、勝者に、賞賛、仮想メダル、仮想通貨や他の賞を与えてもよい。追加又は別として、システムは、挑戦者を促して別の計画時間に別の走行に参加させ、参加者を更に激励して運動活動に参加させてもよい。
【０２５５】
＜トレーニング前とトレーニング後の挑戦＞
ユーザが運動活動に参加し興味を維持できるように更にモチベーションを与えるため、トレーニングアプリケーション及び装置は、トレーニング前及び／又はトレーニング中に追加の挑戦を提供してもよい。例えば、トレーニングアプリケーションは、ユーザが、アプリケーションを用いて新しい走行（例えば、時間、距離又は基本走行）を定義することを許可される前、又は定義されたトレーニングを開始することを許可される前に、トレーニング前の挑戦を完了することを要求してもよい。
【０２５６】
図７５は、トレーニングセッションに参加する前にウォームアップトレーニングを完了させることをユーザに促すように構成された例示的なインタフェースを示す。インタフェース７５００は、複数の所定のウォームアップ活動で埋められた回転ホイール７５０１などのインタラクティブ選択機構を含むことがある。選択機構７５０１を所定のウォームアップ活動で事前に埋めることにより、更に、適切で有効なウォームアップルーチンに関してユーザが教示又は助言される。ユーザは、インタフェース画面上で指をスワイプするか又は「スピン」ボタン（図示せず）を押すことによって、ホイール７５０１と対話してもよい（例えば、ホイールを回す）。装置は、ホイール７５０１に埋められたウォームアップ活動のうちの１つをランダム又は疑似ランダムに選択するアルゴリズムを有してもよい。回転を視覚的に示し、選択されたウォームアップ活動を識別するため、ポインタ７５０３が使用されてもよい。幾つかの構成では、装置とアプリケーションは、選択されたウォームアップ活動の完了した後でないとユーザがトレーニングセッションを開始できないようにしてもよい。例えば、アプリケーションは、ウォームアップ活動が完了するまで、インタフェースをウォームアップ活動にロックしてもよい。完了は、装置（例えば、ＧＰＳ又は加速度計アルゴリズムを用いて）によって検出されてもよく、自己報告されてもよい。幾つかの構成では、ホイール７５０１は、ウォームアップ活動のデータベースから選択されたウォームアップ活動で埋められてもよい。したがって、ホイール７５０１は、（例えば、様々なトレーニングセッションのために）様々な時間に様々なウォームアップ活動で埋められてもよい。
【０２５７】
図７５に示されたトレーニング前ウォームアップ活動選択機構と同様に、運動トレーニングアプリケーションは、更に、クールダウン活動選択機構を提供してもよい。図７６は、例えば、トレーニングの完了後にクールダウン活動を選択するためのクールダウン活動選択インタフェースを示す。このアプリケーションは、このインタフェースを、トレーニング後のクールダウンの重要性とそれを行う効果的な方法をユーザにアドバイスするために提供してもよい。インタフェース７６００の選択機構７６０１は、図７５のホイール選択機構７５０１と同じように動作してもよい。詳細には、ホイール７６０１は、任意数（例えば、１、２、５、１０、１５、２０など）のクールダウン活動で埋められ、回転を示し選択されたタスクを識別するポインタ７６０３を含んでもよい。幾つかの環境では、ホイール７６０１は、少なくとも２つのクールダウン活動で埋められてもよい。クールダウンタスクは、痛みを緩和し柔軟性を高めるのを支援するために、ストレッチング、ウォーキング、遅いジョギングなどを含むことがある。幾つかの例では、クールダウン活動は、クールダウンが行なわれない場合に関連トレーニングのクレジットを記録も提供もないことによって、要求され強化されてもよい。例えば、トレーニングを用いて仮想通貨又は計量値を獲得してもよい。したがって、ユーザが、クールダウンを行なわない場合、そのユーザは、対応する量の仮想通貨又は仮想運動パフォーマンス計量値を獲得できない。
【０２５８】
図７５と図７６の例示的なホイール選択機構の追加又は代わりに、他の選択機構が使用されてもよい。例えば、スロットマシン選択機構が提供されてもよく、ユーザが、アームを引いて、行なわれるウォームアップ又はクールダウン活動を識別する。別の例では、アプリケーションは、転がる１以上のサイコロをシミュレートしてもよく、サイコロの各面が、異なるクールダウン又はウォームアップ活動をリストする。
【０２５９】
他の特徴
本明細書で述べた運動トレーニングアプリケーション、装置及びシステムの一部として、追加の特徴が含まれてもよい。例えば、運動トレーニングアプリケーション又はシステムは、ユーザがトレーニングセッション中に競争する仮想競争相手を生成してもよい。仮想競争相手は、ユーザに追加のモチベーションを与えてもよい。一例を挙げると、ユーザは、仮想競争相手の所望の平均ペース及び意図したトレーニングの距離又は継続時間を指定してもよい。次に、アプリケーション又はシステムは、指定された平均ペースに基づいて仮想競争相手の進捗状況をシミュレートし、仮想競争相手のシミュレートした進捗状況をユーザの実際の進捗状況と比較してもよい。次に、その比較が、ユーザに伝えられてもよい。一例では、相対的パフォーマンスの指示を提供するために、「Speed up! Your competitor is about to overtake you!（速度を上げて！競争相手があなたに追いつこうとしています！）」又は「Keep it up. You are ahead of your competitor（その調子。あなたは競争相手より前にいます。）」などの聴覚メッセージが、ユーザに提供されてもよい。他の例では、ユーザの進捗状況に対する仮想競争相手の進捗状況の視覚表示が、経路マップに沿って表示されてもよい。更に別の例では、仮想競争相手のパフォーマンスの数値計量値が、ユーザのパフォーマンスに対して表示されてもよい。他のタイプの相対的パフォーマンスインジケータが使用されてもよい。
【０２６０】
＜まとめ＞
本明細書で述べた１以上の特徴を有する活動監視システム及び環境を提供することにより、運動活動に参加しユーザの健康を改善するためにユーザを激励しモチベーションを与える夢中になる体験がユーザに提供される。他の走行で設定された以前の統計を超えるようにユーザを励ますことにより、ユーザは、自分が行うことができる改善によりモチベーションが与えられてもよい。更に、ユーザは、屋内と屋外のトレーニング用に単一の装置を使用可能であってもよく、トレーニングデータを当該単一の装置に収集することができる。更に、ユーザは、他のユーザに生の挑戦ができるようになることで、練習のモチベーションが与えられてもよい。したがって、ユーザは、身体的には自分だけで走っている場合でも他のユーザと一緒にトレーニングしているかのように感じることができる。
【符号の説明】
【０２６１】
１０１  コンピュータ
１０３  計算ユニット
１０５  プロセッサユニット
１０７  システムメモリ
１０９  ＲＯＭ
１１１  ＲＡＭ
１１９  リムーバブル光ディスクドライブ
１１５  ネットワークインタフェース
１１７  ハードディスクドライブ
１２１  入力装置
１２３  出力装置
【図１】
0006308948.tif 000002
【図２】
0006308948.tif 000003
【図３】
0006308948.tif 000004
【図４】
0006308948.tif 000005
【図５】
0006308948.tif 000006
【図６】
0006308948.tif 000007
【図７】
0006308948.tif 000008
【図８】
0006308948.tif 000009
【図９】
0006308948.tif 000010
【図１０Ａ】
0006308948.tif 000011
【図１０Ｂ】
0006308948.tif 000012
【図１０Ｃ】
0006308948.tif 000013
【図１０Ｄ】
0006308948.tif 000014
【図１０Ｅ】
0006308948.tif 000015
【図１０Ｆ】
0006308948.tif 000016
【図１０Ｇ】
0006308948.tif 000017
【図１１Ａ】
0006308948.tif 000018
【図１１Ｂ】
0006308948.tif 000019
【図１１Ｃ】
0006308948.tif 000020
【図１１Ｄ】
0006308948.tif 000021
【図１１Ｅ】
0006308948.tif 000022
【図１２Ａ】
0006308948.tif 000023
【図１２Ｂ】
0006308948.tif 000024
【図１３Ａ】
0006308948.tif 000025
【図１３Ｂ】
0006308948.tif 000026
【図１４Ａ】
0006308948.tif 000027
【図１４Ｂ】
0006308948.tif 000028
【図１４Ｃ】
0006308948.tif 000029
【図１４Ｄ】
0006308948.tif 000030
【図１４Ｅ】
0006308948.tif 000031
【図１４Ｆ】
0006308948.tif 000032
【図１４Ｇ】
0006308948.tif 000033
【図１５Ａ】
0006308948.tif 000034
【図１５Ｂ】
0006308948.tif 000035
【図１５Ｃ】
0006308948.tif 000036
【図１５Ｄ】
0006308948.tif 000037
【図１５Ｅ】
0006308948.tif 000038
【図１５Ｆ】
0006308948.tif 000039
【図１５Ｇ】
0006308948.tif 000040
【図１６Ａ】
0006308948.tif 000041
【図１６Ｂ】
0006308948.tif 000042
【図１６Ｃ】
0006308948.tif 000043
【図１６Ｄ】
0006308948.tif 000044
【図１６Ｅ】
0006308948.tif 000045
【図１６Ｆ】
0006308948.tif 000046
【図１７】
0006308948.tif 000047
【図１８Ａ】
0006308948.tif 000048
【図１８Ｂ】
0006308948.tif 000049
【図１８Ｃ】
0006308948.tif 000050
【図１８Ｄ】
0006308948.tif 000051
【図１８Ｅ】
0006308948.tif 000052
【図１９Ａ】
0006308948.tif 000053
【図１９Ｂ】
0006308948.tif 000054
【図１９Ｃ】
0006308948.tif 000055
【図２０Ａ】
0006308948.tif 000056
【図２０Ｂ】
0006308948.tif 000057
【図２０Ｃ】
0006308948.tif 000058
【図２０Ｄ】
0006308948.tif 000059
【図２０Ｅ】
0006308948.tif 000060
【図２０Ｆ】
0006308948.tif 000061
【図２０Ｇ】
0006308948.tif 000062
【図２０Ｈ】
0006308948.tif 000063
【図２０Ｉ】
0006308948.tif 000064
【図２０Ｊ】
0006308948.tif 000065
【図２０Ｋ】
0006308948.tif 000066
【図２０Ｌ】
0006308948.tif 000067
【図２０Ｍ】
0006308948.tif 000068
【図２０Ｎ】
0006308948.tif 000069
【図２０Ｏ】
0006308948.tif 000070
【図２０Ｐ】
0006308948.tif 000071
【図２０Ｑ】
0006308948.tif 000072
【図２０Ｒ】
0006308948.tif 000073
【図２０Ｓ】
0006308948.tif 000074
【図２０Ｔ】
0006308948.tif 000075
【図２０Ｕ】
0006308948.tif 000076
【図２０Ｖ】
0006308948.tif 000077
【図２０Ｗ】
0006308948.tif 000078
【図２０Ｘ】
0006308948.tif 000079
【図２０Ｙ】
0006308948.tif 000080
【図２０Ｚ】
0006308948.tif 000081
【図２１Ａ】
0006308948.tif 000082
【図２１Ｂ】
0006308948.tif 000083
【図２１Ｃ】
0006308948.tif 000084
【図２１Ｄ】
0006308948.tif 000085
【図２２Ａ】
0006308948.tif 000086
【図２２Ｂ】
0006308948.tif 000087
【図２２Ｃ】
0006308948.tif 000088
【図２２Ｄ】
0006308948.tif 000089
【図２３Ａ】
0006308948.tif 000090
【図２３Ｂ】
0006308948.tif 000091
【図２４Ａ】
0006308948.tif 000092
【図２４Ｂ】
0006308948.tif 000093
【図２４Ｃ】
0006308948.tif 000094
【図２４Ｄ】
0006308948.tif 000095
【図２４Ｅ】
0006308948.tif 000096
【図２４Ｆ】
0006308948.tif 000097
【図２５Ａ】
0006308948.tif 000098
【図２５Ｂ】
0006308948.tif 000099
【図２５Ｃ】
0006308948.tif 000100
【図２５Ｄ】
0006308948.tif 000101
【図２５Ｅ】
0006308948.tif 000102
【図２５Ｆ】
0006308948.tif 000103
【図２６Ａ】
0006308948.tif 000104
【図２６Ｂ】
0006308948.tif 000105
【図２７Ａ】
0006308948.tif 000106
【図２７Ｂ】
0006308948.tif 000107
【図２７Ｃ】
0006308948.tif 000108
【図２７Ｄ】
0006308948.tif 000109
【図２７Ｅ】
0006308948.tif 000110
【図２７Ｆ】
0006308948.tif 000111
【図２７Ｇ】
0006308948.tif 000112
【図２７Ｈ】
0006308948.tif 000113
【図２８Ａ】
0006308948.tif 000114
【図２８Ｂ】
0006308948.tif 000115
【図２９】
0006308948.tif 000116
【図３０Ａ】
0006308948.tif 000117
【図３０Ｂ】
0006308948.tif 000118
【図３０Ｃ】
0006308948.tif 000119
【図３１Ａ】
0006308948.tif 000120
【図３１Ｂ】
0006308948.tif 000121
【図３１Ｃ】
0006308948.tif 000122
【図３２Ａ】
0006308948.tif 000123
【図３２Ｂ】
0006308948.tif 000124
【図３２Ｃ】
0006308948.tif 000125
【図３２Ｄ】
0006308948.tif 000126
【図３３Ａ】
0006308948.tif 000127
【図３３Ｂ】
0006308948.tif 000128
【図３３Ｃ】
0006308948.tif 000129
【図３４】
0006308948.tif 000130
【図３５Ａ】
0006308948.tif 000131
【図３５Ｂ】
0006308948.tif 000132
【図３５Ｃ】
0006308948.tif 000133
【図３６】
0006308948.tif 000134
【図３７Ａ】
0006308948.tif 000135
【図３７Ｂ】
0006308948.tif 000136
【図３７Ｃ】
0006308948.tif 000137
【図３８Ａ】
0006308948.tif 000138
【図３８Ｂ】
0006308948.tif 000139
【図３９Ａ】
0006308948.tif 000140
【図３９Ｂ】
0006308948.tif 000141
【図４０Ａ】
0006308948.tif 000142
【図４０Ｂ】
0006308948.tif 000143
【図４０Ｃ】
0006308948.tif 000144
【図４１Ａ】
0006308948.tif 000145
【図４１Ｂ】
0006308948.tif 000146
【図４１Ｃ】
0006308948.tif 000147
【図４２Ａ】
0006308948.tif 000148
【図４２Ｂ】
0006308948.tif 000149
【図４２Ｃ】
0006308948.tif 000150
【図４３】
0006308948.tif 000151
【図４４Ａ】
0006308948.tif 000152
【図４４Ｂ】
0006308948.tif 000153
【図４４Ｃ】
0006308948.tif 000154
【図４５Ａ】
0006308948.tif 000155
【図４５Ｂ】
0006308948.tif 000156
【図４６Ａ】
0006308948.tif 000157
【図４６Ｂ】
0006308948.tif 000158
【図４６Ｃ】
0006308948.tif 000159
【図４７Ａ】
0006308948.tif 000160
【図４７Ｂ】
0006308948.tif 000161
【図４８Ａ】
0006308948.tif 000162
【図４８Ｂ】
0006308948.tif 000163
【図４８Ｃ】
0006308948.tif 000164
【図４８Ｄ】
0006308948.tif 000165
【図４８Ｅ】
0006308948.tif 000166
【図４８Ｆ】
0006308948.tif 000167
【図４９Ａ】
0006308948.tif 000168
【図４９Ｂ】
0006308948.tif 000169
【図４９Ｃ】
0006308948.tif 000170
【図４９Ｄ】
0006308948.tif 000171
【図４９Ｅ】
0006308948.tif 000172
【図５０Ａ】
0006308948.tif 000173
【図５０Ｂ】
0006308948.tif 000174
【図５１Ａ】
0006308948.tif 000175
【図５１Ｂ】
0006308948.tif 000176
【図５１Ｃ】
0006308948.tif 000177
【図５２Ａ】
0006308948.tif 000178
【図５２Ｂ】
0006308948.tif 000179
【図５２Ｃ】
0006308948.tif 000180
【図５２Ｄ】
0006308948.tif 000181
【図５２Ｅ】
0006308948.tif 000182
【図５２Ｆ】
0006308948.tif 000183
【図５２Ｇ】
0006308948.tif 000184
【図５２Ｈ】
0006308948.tif 000185
【図５３Ａ】
0006308948.tif 000186
【図５３Ｂ】
0006308948.tif 000187
【図５３Ｃ】
0006308948.tif 000188
【図５３Ｄ】
0006308948.tif 000189
【図５３Ｅ】
0006308948.tif 000190
【図５３Ｆ】
0006308948.tif 000191
【図５３Ｇ】
0006308948.tif 000192
【図５３Ｈ】
0006308948.tif 000193
【図５３Ｉ】
0006308948.tif 000194
【図５３Ｊ】
0006308948.tif 000195
【図５３Ｋ】
0006308948.tif 000196
【図５３Ｌ】
0006308948.tif 000197
【図５３Ｍ】
0006308948.tif 000198
【図５３Ｎ】
0006308948.tif 000199
【図５３Ｏ】
0006308948.tif 000200
【図５３Ｐ】
0006308948.tif 000201
【図５３Ｑ】
0006308948.tif 000202
【図５３Ｒ】
0006308948.tif 000203
【図５３Ｓ】
0006308948.tif 000204
【図５３Ｔ】
0006308948.tif 000205
【図５３Ｕ】
0006308948.tif 000206
【図５３Ｖ】
0006308948.tif 000207
【図５４Ａ】
0006308948.tif 000208
【図５４Ｂ】
0006308948.tif 000209
【図５４Ｃ】
0006308948.tif 000210
【図５５Ａ】
0006308948.tif 000211
【図５５Ｂ】
0006308948.tif 000212
【図５６】
0006308948.tif 000213
【図５７】
0006308948.tif 000214
【図５８】
0006308948.tif 000215
【図５９】
0006308948.tif 000216
【図６０Ａ】
0006308948.tif 000217
【図６０Ｂ】
0006308948.tif 000218
【図６０Ｃ】
0006308948.tif 000219
【図６０Ｄ】
0006308948.tif 000220
【図６０Ｅ】
0006308948.tif 000221
【図６０Ｆ】
0006308948.tif 000222
【図６１Ａ】
0006308948.tif 000223
【図６１Ｂ】
0006308948.tif 000224
【図６１Ｃ】
0006308948.tif 000225
【図６２Ａ】
0006308948.tif 000226
【図６２Ｂ】
0006308948.tif 000227
【図６３Ａ】
0006308948.tif 000228
【図６３Ｂ】
0006308948.tif 000229
【図６３Ｃ】
0006308948.tif 000230
【図６４Ａ】
0006308948.tif 000231
【図６４Ｂ】
0006308948.tif 000232
【図６４Ｃ】
0006308948.tif 000233
【図６４Ｄ】
0006308948.tif 000234
【図６４Ｅ】
0006308948.tif 000235
【図６５Ａ】
0006308948.tif 000236
【図６５Ｂ】
0006308948.tif 000237
【図６５Ｃ】
0006308948.tif 000238
【図６５Ｄ】
0006308948.tif 000239
【図６６Ａ】
0006308948.tif 000240
【図６６Ｂ】
0006308948.tif 000241
【図６６Ｃ】
0006308948.tif 000242
【図６６Ｄ】
0006308948.tif 000243
【図６６Ｅ】
0006308948.tif 000244
【図６６Ｆ】
0006308948.tif 000245
【図６６Ｇ】
0006308948.tif 000246
【図６６Ｈ】
0006308948.tif 000247
【図６６Ｉ】
0006308948.tif 000248
【図６６Ｊ】
0006308948.tif 000249
【図６６Ｋ】
0006308948.tif 000250
【図６７Ａ】
0006308948.tif 000251
【図６７Ｂ】
0006308948.tif 000252
【図６７Ｃ】
0006308948.tif 000253
【図６７Ｄ】
0006308948.tif 000254
【図６７Ｅ】
0006308948.tif 000255
【図６７Ｆ】
0006308948.tif 000256
【図６７Ｇ】
0006308948.tif 000257
【図６８Ａ】
0006308948.tif 000258
【図６８Ｂ】
0006308948.tif 000259
【図６９Ａ】
0006308948.tif 000260
【図６９Ｂ】
0006308948.tif 000261
【図７０Ａ】
0006308948.tif 000262
【図７０Ｂ】
0006308948.tif 000263
【図７０Ｃ】
0006308948.tif 000264
【図７１Ａ】
0006308948.tif 000265
【図７１Ｂ】
0006308948.tif 000266
【図７２Ａ】
0006308948.tif 000267
【図７２Ｂ】
0006308948.tif 000268
【図７２Ｃ】
0006308948.tif 000269
【図７２Ｄ】
0006308948.tif 000270
【図７２Ｅ】
0006308948.tif 000271
【図７２Ｆ】
0006308948.tif 000272
【図７３】
0006308948.tif 000273
【図７４】
0006308948.tif 000274
【図７５】
0006308948.tif 000275
【図７６】
0006308948.tif 000276
【図７７】
0006308948.tif 000277
【図７８Ａ】
0006308948.tif 000278
【図７８Ｂ】
0006308948.tif 000279
【図７８Ｃ】
0006308948.tif 000280
【図７９Ａ】
0006308948.tif 000281
【図７９Ｂ】
0006308948.tif 000282
【図８０】
0006308948.tif 000283
【図８１】
0006308948.tif 000284
【図８２】
0006308948.tif 000285
【図８３】
0006308948.tif 000286